(57)【特許請求の範囲】
【請求項１】
遊技者にとって有利な有利状態に制御可能な遊技機であって、
遊技者の動作を検出可能な検出手段を備え、
特定期間において、前記検出手段により遊技者の動作が検出されたことに基づき第１特定演出を実行し、
非特定期間において、前記有利状態に制御されるか否かに関する演出でない第２特定演出の実行が制限されていないときは前記検出手段により遊技者の動作が検出されたことに基づき前記第２特定演出を実行し、
前記非特定期間において、前記検出手段により複数回である所定回数の遊技者の動作が検出されたことに基づき所定条件が成立したときに前記第２特定演出の実行の制限が開始され、前記第２特定演出の実行が制限されているときに前記検出手段により遊技者の動作が検出されても前記第２特定演出を実行せず、
前記第２特定演出の実行が制限されているときであっても、前記特定期間において前記検出手段により遊技者の動作が検出されたことに基づき前記第１特定演出を実行し、
前記特定期間において、所定動作が行われたことに基づき複数回の動作を行う連続動作が行われたとみなし、
前記非特定期間において、前記所定動作が行われても前記連続動作が行われたとみなさずに１回の動作が行われたとみなし、
前記第１特定演出として、前記第２特定演出の実行が制限されているときと、前記第２特定演出の実行が制限されていないときとで、同じ演出が行われる、遊技機。
【請求項２】
演出手段と、
前記演出手段による演出態様を調整する演出調整手段と
をさらに備える、請求項１に記載の遊技機。
【発明の詳細な説明】
【技術分野】
【０００１】
本発明は、パチンコ遊技機やスロットマシン等の遊技機に関する。
【背景技術】
【０００２】
操作有効期間において操作スイッチの操作回数が所定回数を超えたときにスイッチ連打防止画像を表示させてスイッチの操作を制限する遊技機が知られている（例えば、特許文献１を参照）。
【先行技術文献】
【特許文献】
【０００３】
【特許文献１】特開２００８−１８８１０２号公報
【発明の概要】
【発明が解決しようとする課題】
【０００４】
しかしながら、スイッチ連打防止画像を表示させて操作に対する全ての演出を制限すると興趣が低下する虞があった。
本発明は、上記の点に鑑みなされたものであり、第２特定演出の実行（後述）が制限されている場合でも興趣の低下を防止する遊技機を提供することを目的とする。
【課題を解決するための手段】
【０００５】
（１）本発明は、上述した課題を解決するためになされたものであり、遊技機は、遊技者にとって有利な有利状態に制御可能な遊技機（例えば、図１に示すパチンコ遊技機１等）であって、遊技者の動作を検出可能な検出手段（例えば、図１に示す、遊技者の操作を検出可能なスティックコントローラ３１Ａ、遊技者の押下を検出可能なプッシュボタン３１Ｂ等）を備え、特定期間（例えば、図３５に示す、Ｔｔ１、Ｔｔ２等の期間）において、前記検出手段により遊技者の動作が検出されたこと（例えば、プッシュボタン３１Ｂの押下、プッシュボタン３１Ｂの連打）に基づき第１特定演出（例えば、図３７に示す、画像表示装置５の表示画面にカットイン演出５ＣＥ、２次元コード５ＣＤ等を表示する演出）を実行し（例えば、図１に示す、演出制御用ＣＰＵ１２０による実行が可能）、非特定期間（例えば、図３５に示す、Ｔｈ１、Ｔｈ２等の期間）において、前記有利状態に制御されるか否かに関する演出でない第２特定演出（例えば、図３５に示す、スピーカ８からの効果音の出力、画像表示装置５の表示画面へのセリフ表示５ＴＨの表示）の実行が制限されていないときは前記検出手段により遊技者の動作が検出されたことに基づき前記第２特定演出を実行し（例えば、図１に示す演出制御用ＣＰＵ１２０による、図３１のステップＳ６０５０６の処理又は図３２のステップＳ６０５３１の処理が実行可能）、前記非特定期間において、前記検出手段により複数回である所定回数の遊技者の動作が検出されたことに基づき所定条件が成立（例えば、図３５に示す、プッシュボタン３１Ｂの規定回数以上の押下により、図３４のステップＳ７７５に示す、第２特定演出制限フラグがオンになった状態）したときに前記第２特定演出の実行（例えば、図１に示す演出制御用ＣＰＵ１２０による、図３４に示すステップＳ７７７の処理の実行）の制限が開始（例えば、図１に示す演出制御用ＣＰＵ１２０による、図３４に示すステップＳ７７１及びステップＳ７７５の処理を実行可能）され、前記第２特定演出の実行が制限されているときに（例えば、図３５に示す、第２特定演出制限フラグがオン状態であるとき）前記検出手段により遊技者の動作が検出されても前記第２特定演出を実行せず、前記第２特定演出の実行が制限されているときであっても、前記特定期間において前記検出手段により遊技者の動作が検出されたことに基づき前記第１特定演出を実行し、前記特定期間において、所定動作（長押し）が行われたことに基づき複数回の動作を行う連続動作が行われたとみなさずに１回の動作が行われたとみなし（図３２に示すステップＳ６０５２８：ＹＥＳの処理の実行）、前記非特定期間において、前記所定動作が行われても前記連続動作が行われたとみなさない（図３４に示す、ステップＳ７７２：ＹＥＳ、ステップＳ７７７の処理の実行）、前記第１特定演出として、前記第２特定演出の実行が制限されているときと、前記第２特定演出の実行が制限されていないときとで、同じ演出が行われる、ことを特徴とする。
【０００６】
このような遊技機によれば、第２特定演出の実行が制限される場合でも興趣の低下を防止することができる。
【０００７】
（２）上記（１）の遊技機は、演出手段（例えば、図１に示すスピーカ８等の音出力手段、ＬＥＤ９等の発光手段等）と、前記演出手段による演出態様（例えば、図１に示すスピーカ８の音量、ＬＥＤ９の輝度等）を調整可能な演出調整手段（例えば、図１の画像表示装置５の表示画面に表示される音量調整表示、輝度調整表示等）とをさらに備えるものであってもよい。
【０００８】
このような遊技機によれば、演出効果を向上させることができる。
【０００９】
（３）上記（１）又は（２）の遊技機は、前記第２特定演出の実行を制限するときに遊技者に対して前記第２特定演出の実行を制限することを報知する（例えば、図３６に示す、セリフ表示５ＡＬ等を表示する）ものであってもよい。
【００１０】
このような遊技機によれば、第２特定演出の実行が制限される場合でも興趣の低下を防止することができる。
【００１１】
（４）上記（１）から（３）のいずれか一の遊技機は、前記検出手段として遊技者が操作可能な操作部（例えば、図１に示す、スティックコントローラ３１Ａ、プッシュボタン３１Ｂ等）を有し、前記特定期間において、前記操作部の連続操作（例えば、図１に示す、プッシュボタン３１Ｂの長押し）を前記操作部に対する複数回の操作として前記第１特定演出を実行し（図３２に示すステップＳ６０５２８の処理又はステップＳ６０５２９の処理に基づくステップＳ６０５３１の実行）、前記非特定期間において、前記操作部の連続操作を前記操作部に対する複数回の操作とはせずに前記第２特定演出を実行する（図７７に示す、ステップＳ７７４の処理に基づくステップＳ７７７の実行）ものであってもよい。
【００１２】
このような遊技機によれば、非特定期間に誤って連続操作をした場合であっても第２特定演出が制限されず、興趣の低下を防止することができる。
【００１３】
（５）上記（２）の遊技機は、前記演出手段を制御可能な演出制御手段（例えば、図２に示す演出制御用ＣＰＵ１２０等）をさらに備え、前記演出手段は、少なくとも発光手段（例えば、図４２に示す装飾ＬＥＤ９Ｓ等）を含み、前記演出制御手段は、少なくとも発光手段を制御可能な発光制御手段（例えば、図２に示す、演出制御用ＣＰＵ１２０等）を含み、前記演出調整手段は、調整可能期間中（例えば、図２６等に示すステップＳ１０１３の処理が実行されている間等）に少なくとも発光手段の輝度調整を行うことが可能な輝度調整手段（例えば、図４２に示す画像表示装置５の表示画面に表示される輝度調整表示５ＫＣ等）を含み、前記発光制御手段は、前記輝度調整手段によって調整される輝度で、調整可能期間中に複数種類の発光態様（例えば、図４２に示す装飾ＬＥＤ９Ｓの複数色による発光等）による演出を行うものであってもよい。
【００１４】
このような遊技機によれば、複数種類の発光態様で確認しながら輝度調整が可能となる。
【００１５】
（６）上記（２）の遊技機は、前記演出手段を制御可能な演出制御手段（例えば、図２に示す演出制御用ＣＰＵ１２０等）をさらに備え、前記演出手段は、少なくとも音出力手段（例えば、図に示すスピーカ８等）を含み、前記演出制御手段は、少なくとも音出力手段を制御可能な音出力制御手段（例えば、図２に示す演出制御用ＣＰＵ１２０等）を含み、前記演出調整手段は、調整可能期間中（例えば、図２６等に示すステップＳ１０１３の処理が実行されている間等）に少なくとも音出力手段の音量調整を行うことが可能な音量調整手段（例えば、図４３に示す画像表示装置５の表示画面に表示されるボリューム表示５ＶＯＬ等）を含み、前記音出力制御手段は、前記音調整手段によって調整される音量で、前記調整可能期間中に複数種類の音出力態様（例えば、スピーカ８から出力される低音域の音、中音域の音、又は高音域の音）による演出を行うものであってもよい。
【００１６】
このような遊技機によれば、複数種類の音出力態様で確認しながら音調整が可能となる。
【図面の簡単な説明】
【００１７】
【図１】本発明の一態様によるパチンコ遊技機の正面図である。
【図２】パチンコ遊技機に搭載された各種の制御基板などを示す構成図である。
【図３】演出制御コマンドの内容の一例などを示す説明図である。
【図４】主基板の側にてカウントされる遊技用乱数を例示する説明図である。
【図５】変動カテゴリ及び変動パターンを例示する図である。
【図６】表示結果決定テーブルの構成例を示す図である。
【図７】大当り種別決定テーブルの構成例を示す図である。
【図８】遊技制御用データ保持エリアの構成例を示すブロック図である。
【図９】演出制御パターンの構成例等を示す図である。
【図１０】演出制御用データ保持エリアの構成例を示すブロック図などである。
【図１１】遊技制御用タイマ割込み処理の一例を示すフローチャートである。
【図１２】特別図柄プロセス処理の一例を示すフローチャートである。
【図１３】特別図柄プロセス処理における始動入賞判定処理の一例を示すフローチャートである。
【図１４】始動入賞時処理の一例を示すフローチャートである。
【図１５】入賞時乱数値判定処理の一例を示すフローチャートなどである。
【図１６】変動カテゴリ決定テーブルの選択例を示す図である。
【図１７】変動カテゴリ決定テーブルの構成例を示す図である。
【図１８】特別図柄通常処理の一例を示すフローチャートである。
【図１９】変動パターンの決定割合の設定例を示す図である。
【図２０】特別図柄停止処理の一例を示すフローチャートである。
【図２１】変動時遊技状遷移処理の一例を示すフローチャートである。
【図２２】大当り終了処理の一例を示すフローチャートである。
【図２３】演出制御メイン処理の一例を示すフローチャートである。
【図２４】コマンド解析処理の一例を示すフローチャートである。
【図２５】演出制御プロセス処理を示すフローチャートである。
【図２６】可変表示開始待ち処理の一例を示すフローチャートである。
【図２７】可変表示開始設定処理の一例を示すフローチャートである。
【図２８】第１特定演出設定処理の一例を示すフローチャートである。
【図２９】演出決定割合の設定例を示す図である。
【図３０】可変表示中演出処理の一例を示すフローチャートである。
【図３１】第１特定演出Ａを実行する演出装置制御処理の一例を示すフローチャートである。
【図３２】第１特定演出Ｂを実行する演出装置制御処理の一例を示すフローチャートである。
【図３３】特図当り待ち処理の一例を示すフローチャートである。
【図３４】第２特定演出処理の一例を示すフローチャートである。
【図３５】第２特定演出の制限と第２特定演出の制限中における第１特定演出の実行の一例を示すタイムチャートである。
【図３６】第２特定演出の制限の一例を示す図である。
【図３７】第２特定演出制限中における第１特定演出の実行の一例を示す図である。
【図３８】特図の変動回数による第２特定演出の制限解除の一例を示すタイムチャートである。
【図３９】特図の変動回数による第２特定演出の制限解除の一例を示す図である。
【図４０】特図大当りによる第２特定演出の制限解除の一例を示すタイムチャートである。
【図４１】特図大当りによる第２特定演出の制限解除の一例を示す図である。
【図４２】輝度調整の一例を示す図である。
【図４３】音量調整の一例を示す図である。
【発明を実施するための形態】
【００１８】
以下、図面を参照しつつ、本発明の実施形態を詳細に説明する。図１は、本発明の実施形態によるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１９】
遊技盤２における遊技領域の下側部分には、普通入賞球装置６Ａと普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。
普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）第２始動入賞口を形成する。第１始動入賞口と、第２始動入賞口とを特に区別しない場合には、単に「始動入賞口」と称する。
【００２０】
一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。
【００２１】
なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。このように、第２始動領域としての第２始動入賞口は、遊技球が通過（進入）しやすい拡大開放状態と、遊技球が通過（進入）しにくいまたは通過（進入）できない通常開放状態とに変化する。
【００２２】
普通入賞球装置６Ａが形成する第１始動入賞口を通過（進入）した遊技球は、例えば図２に示す第１始動口スイッチ２２Ａによって検出される。普通可変入賞球装置６Ｂが形成する第２始動入賞口を通過（進入）した遊技球は、例えば図２に示す第２始動口スイッチ２２Ｂによって検出される。
【００２３】
なお、始動入賞口（第１始動入賞口、第２始動入賞口）や大入賞口（後述）などの入賞口を通過（進入）した遊技球が、夫々の入賞口に対応して設けられたスイッチ（第１始動口スイッチ２２Ａ、第２始動口スイッチ２２Ｂ、カウントスイッチ２３（後述））によって検出されることを「入賞」と称する。「入賞」のうち、始動入賞口（第１始動入賞口または第２始動入賞口）への入賞を「始動入賞」と称し、特に、第１始動入賞口への入賞を第１始動入賞と称し、第２始動入賞口への入賞を第２始動入賞と称する。
【００２４】
第１始動入賞の発生（第１始動口スイッチ２２Ａによる遊技球の検出）に基づいて、所定個数（例えば３個）の遊技球が賞球として払い出されるとともに、第１特図保留記憶数（後述）が所定の上限値（例えば「４」）以下であれば、第１特別図柄表示装置４Ａにおいて実行される第１特図ゲーム（後述）や画像表示装置５において実行される飾り図柄の可変表示（後述）といった可変表示ゲームを実行するための第１始動条件（第１実行条件とも称する）が成立する。
【００２５】
また、第２始動入賞の発生（第２始動口スイッチ２２Ｂによる遊技球の検出）に基づいて、所定個数（例えば３個）の遊技球が賞球として払い出されるとともに、第２特図保留記憶数（後述）が所定の上限値（例えば「４」）以下であれば、第２特別図柄表示装置４Ｂにおいて実行される第２特図ゲーム（後述）や画像表示装置５において実行される飾り図柄の可変表示（後述）といった可変表示ゲームを実行するための第２始動条件（第２実行条件とも称する）が成立する。なお、第１始動入賞に基づいて払い出される賞球の個数と、第２始動入賞に基づいて払い出される賞球の個数とは、互いに同一の個数であってもよいし、異なる個数であってもよい。
【００２６】
第１特図保留記憶数とは、第１始動入賞の発生時には直ちに実行されずに実行が一旦保留されている可変表示ゲーム（第１始動入賞の発生による可変表示ゲーム）の数である。第１始動入賞の発生によって、第１特図ゲーム（後述）や飾り図柄の可変表示（後述）といった可変表示ゲームを実行するための第１始動条件は成立した場合であっても、第１始動入賞の発生による上述の可変表示ゲームの開始を許容する第１開始条件が成立していない場合（例えば、先に成立した第１開始条件又は第２開始条件に基づく可変表示ゲームが実行中であることやパチンコ遊技機１が大当り遊技状態に制御されている場合）には、当該可変表示ゲームの実行は保留される（当該可変表示ゲームは実行待ちの状態となる）。つまり、第１特図保留記憶数とは、実行待ちの状態となった第１始動入賞の発生による可変表示ゲームのゲーム数である。第１特図保留記憶数は、第１開始条件が１つ成立する毎に１つずつ減少する。
【００２７】
なお、ある第１始動入賞による第１始動条件は成立したが、当該第１始動入賞による可変表示ゲームの開始を許容する第１開始条件が成立していない当該第１始動入賞に対応する可変表示に関する情報は、当該第１始動入賞による可変表示ゲームの開始を許容する第１開始条件が成立する迄、保留データ（第１特図保留情報）として記憶（保留）される。換言すれば、保留されていた第１特図保留情報は第１開始条件が成立する毎に１つずつ消化され、消化される第１特図保留情報に基づく可変表示ゲームが実行される。
【００２８】
第２特図保留記憶数とは、第２始動入賞の発生時には直ちに実行されずに実行が一旦保留されている可変表示ゲーム（第２始動入賞の発生による可変表示ゲーム）の数である。第２始動入賞の発生によって、第２特図ゲーム（後述）や飾り図柄の可変表示（後述）といった可変表示ゲームを実行するための第２始動条件は成立した場合であっても、第２始動入賞の発生による上述の可変表示ゲームの開始を許容する第２開始条件が成立していない場合（例えば、先に成立した第１開始条件又は第２開始条件に基づく可変表示ゲームが実行中であることやパチンコ遊技機１が大当り遊技状態に制御されている場合）には、当該可変表示ゲームの実行は保留される（当該可変表示ゲームは実行待ちの状態となる）。つまり、第２特図保留記憶数とは、実行待ちの状態となった第２始動入賞の発生による可変表示ゲームのゲーム数である。第２特図保留記憶数は、第２開始条件が１つ成立する毎に１つずつ減少する。
【００２９】
なお、ある第２始動入賞による第２始動条件は成立したが、当該第２始動入賞による可変表示ゲームの開始を許容する第２開始条件が成立していない当該第２始動入賞に対応する可変表示に関する情報は、当該第２始動入賞による可変表示ゲームの開始を許容する第２開始条件が成立する迄、保留データ（第２特図保留情報）として記憶（保留）される。換言すれば、保留されていた第２特図保留情報は、第２開始条件が成立する毎に１つずつ消化され、消化される第２特図保留情報に基づく可変表示ゲームが実行される。
【００３０】
なお、第１特図保留記憶数と第２特図保留記憶数とを加算した保留記憶数を「合計保留記憶数」と称する。第１特図保留記憶数と、第２特図保留記憶数と、合計保留記憶数とを特に区別しない場合には、通常、単に「特図保留記憶数」または「保留記憶数」と称するが、単に「特図保留記憶数」または「保留記憶数」と称した場合に、第１特図保留記憶数、第２特図保留記憶数、合計保留記憶数の何れか１つ又は２つを指すこともあるものとする。また、第１始動条件と、第２始動条件とを特に区別しない場合には、単に「始動条件」又は「実行条件」とも称する。また、第１開始条件と、第２開始条件とを特に区別しない場合には、単に「開始条件」とも称する。また、第１特図保留情報と、第２特図保留情報とを、特に区別しない場合には、単に「特図保留情報」とも称する。
【００３１】
遊技盤２における遊技領域の下側部分（普通入賞球装置６Ａと普通可変入賞球装置６Ｂの下方）には、特別可変入賞球装置７が設けられている。特別可変入賞球装置７は、遊技球が通過（進入）できない閉鎖状態と、遊技球が通過（進入）できる開放状態とに変化する大入賞口を形成する。具体的には、特別可変入賞球装置７は、例えば図２に示す大入賞口扉用のソレノイド８２によって開閉駆動される大入賞口扉を備え、大入賞口扉の開閉によって大入賞口の状態（開放状態、閉鎖状態）を変化させる。
【００３２】
一例として、特別可変入賞球装置７は、ソレノイド８２がオフ状態であるときに大入賞口扉を閉じて大入賞口を閉鎖状態とし、ソレノイド８２がオン状態であるときに大入賞口扉を開いて大入賞口を開放状態とする。開放状態となった大入賞口を通過（進入）した遊技球は、例えば図２に示すカウントスイッチ２３によって検出される。つまり、大入賞口を開放状態とすることによって、大入賞口への入賞が発生する。
【００３３】
大入賞口への入賞の発生（カウントスイッチ２３による遊技球の検出）に基づいて、所定個数（例えば１２個）の遊技球が賞球として払い出される。大入賞口への入賞の発生に基づいて払い出される賞球の個数（例えば１２個）は、第１始動入賞の発生に基づいては払い出される賞球の個数（例えば３個）、第２始動入賞の発生に基づいて払い出される賞球の個数（例えば３個）よりも多い。つまり、大入賞口の状態（開放状態、閉鎖状態）が、遊技者にとって有利か否かに大きく影響する。即ち、大入賞口が開放状態であるときには大入賞口が閉鎖状態であるときに比べて多くの賞球が期待できるので、大入賞口が開放状態であるときには大入賞口が閉鎖状態であるときに比べて遊技者にとって非常に有利である。
【００３４】
なお、遊技球が通過（進入）できない閉鎖状態に加えて、または代えて、遊技球が通過（進入）しにくい一部開放状態を設けてもよい。
【００３５】
遊技盤２における遊技領域の右側部分には、第１特別図柄表示装置４Ａと、第２特別図柄表示装置４Ｂとが設けられている。第１特別図柄表示装置４Ａは、例えば７セグメントやドットマトリクスのＬＥＤ（発光ダイオード）等から構成される。第２特別図柄表示装置４Ｂについても同様である。第１特別図柄表示装置４Ａは、各々を識別可能な複数種類の識別情報（特別識別情報）である特別図柄（「特図」ともいう）を変動可能に表示（可変表示）する。第２特別図柄表示装置４Ｂについても同様である。なお、第１特別図柄表示装置４Ａにおいて可変表示される特別図柄（特図）を「第１特図」とも称し、第２特別図柄表示装置４Ｂにおいて可変表示される特別図柄（特図）を「第２特図」とも称する。
また、識別情報の可変表示を伴って実行するゲーム（若しくは、識別情報の可変表示自体）を可変表示ゲームと称する。特に、第１特別図柄表示装置４Ａが実行する可変表示ゲーム（第１特図を可変表示させる可変表示ゲーム）を第１特図ゲームとも称し、第２特別図柄表示装置４Ｂが実行する可変表示ゲーム（第２特図を可変表示させる可変表示ゲーム）を第２特図ゲームとも称する。また、第１特図ゲームと、第２特図ゲームとを区別しない場合には、単に「特図ゲーム」とも称する。
【００３６】
第１特別図柄表示装置４Ａ（第２特別図柄表示装置４Ｂも同様）は、特図ゲームとして、「０」〜「９」を示す数字や「−」を示す記号等から構成される複数種類の特別図柄を可変表示する。夫々の特別図柄には、夫々に対応した図柄番号が付されている。一例として、「０」〜「９」を示す各数字には「０」〜「９」の各図柄番号が付され、「−」を示す記号には「１０」の図柄番号が付されていればよい。なお、特別図柄は、「０」〜「９」を示す数字や「−」を示す記号等から構成されるものに限定されない。例えば、７セグメントのＬＥＤにおいて点灯させるものと消灯させるものとの組合せを異ならせた複数種類の点灯パターン（例えば、アルファベットのＬやＥのような点灯パターン）を予め設定しておき、特別図柄として表示してもよい。
【００３７】
遊技盤２における遊技領域の右側部分（第１特別図柄表示装置４Ａと第２特別図柄表示装置４Ｂの上部）には、第１保留表示器２５Ａと第２保留表示器２５Ｂとが設けられている。第１保留表示器２５Ａは、例えば４個のＬＥＤを含んで構成され、保留データ（第１特図保留情報）に基づく第１特図保留記憶数（第１特図ゲームの保留数）を特定可能に表示する第１保留表示が行われる。例えば、第１保留表示器２５Ａは、点灯させるＬＥＤの数によって、第１特図保留記憶数を特定可能に表示する。例えば、新たな第１始動条件の成立によって第１特図ゲームの保留数が１つ増加した場合には点灯数を１つ増やし、新たな第１開始条件の成立によって第１特図ゲームの保留数が１つ減少した場合には点灯数を１つ減らせばよい。
【００３８】
第２保留表示器２５Ｂは、例えば４個のＬＥＤを含んで構成され、保留データ（第２特図保留情報）に基づく第２特図保留記憶数（第２特図ゲームの保留数）を特定可能に表示する第２保留表示が行われる。例えば、第２保留表示器２５Ｂは、点灯させるＬＥＤの数によって、第２特図保留記憶数を特定可能に表示する。例えば、新たな第２始動条件の成立によって第２特図ゲームの保留数が１つ増加した場合には点灯数を１つ増やし、新たな第２開始条件の成立によって第２特図ゲームの保留数が１つ減少した場合には点灯数を１つ減らせばよい。
【００３９】
遊技盤２における遊技領域の左側部分には、通過ゲート４１と、普通図柄表示器２０と、普図保留表示器２５Ｃとが設けられている。通過ゲート４１を通過した遊技球は、例えば図２に示すゲートスイッチ２１によって検出される。通過ゲート４１を通過した遊技球がゲートスイッチ２１によって検出されたことに基づいて、普図保留記憶数（後述）が所定の上限値（例えば「４」）以下であれば、普通図柄表示器２０において実行される普図ゲーム（後述）を実行するための普図始動条件が成立する。
【００４０】
普通図柄表示器２０は、第１特別図柄表示装置４Ａや第２特別図柄表示装置４Ｂと同様に７セグメントやドットマトリクスのＬＥＤ等から構成される。普通図柄表示器２０は、特別図柄とは異なる複数種類の識別情報である普通図柄（「普図」あるいは「普通図」ともいう）を変動可能に表示（可変表示）する。なお、普通図柄を可変表示させる可変表示ゲームを普図ゲーム（又は「普通図ゲーム」）とも称する。なお、普図始動条件は成立したが普図開始条件（後述）が成立していない普図ゲームに関する情報は、保留データ（普図保留情報）として記憶（保留）される。
【００４１】
普図保留表示器２５Ｃは、例えば４個のＬＥＤを含んで構成され、例えば点灯させるＬＥＤの数によって、保留データ（普図保留情報）に基づく普図保留記憶数を表示する。普図保留記憶数とは、通過ゲート４１を通過した遊技球がゲートスイッチ２１によって検出されたときには直ちに実行されずに実行が一旦保留されている普図ゲームの数である。ゲートスイッチ２１による遊技球の検出によって、普図ゲームを実行するための普図始動条件は成立した場合であっても、普図ゲームの開始を許容する普図開始条件が成立していない場合（例えば、先に成立した普図ゲームが実行中である場合）には、当該普図ゲームの実行は保留される（当該普図ゲームは実行待ちの状態となる）。つまり、普図保留記憶数とは、実行待ちの状態となった普図ゲームのゲーム数である。普図保留記憶数は、普図開始条件が１つ成立する毎に１つずつ減少する。
【００４２】
遊技盤２における遊技領域の中央付近には、画像表示装置５が設けられている。画像表示装置５は、例えばＬＣＤ（液晶表示装置）等から構成され、各種の演出画像を表示する表示領域を形成している。
【００４３】
画像表示装置５の表示領域には、飾り図柄表示エリアが配置されている。飾り図柄表示エリアでは、各々を識別可能な複数種類の識別情報（装飾識別情報）である飾り図柄が可変表示される。装飾識別情報（飾り図柄）の可変表示も、可変表示ゲームに含まれる。画像表示装置５は、第１特別図柄表示装置４Ａが実行する第１特図ゲーム（第１特図を用いた特図ゲーム）、又は、第２特別図柄表示装置４Ｂが実行する第２特図ゲーム（第２特図を用いた特図ゲーム）に対応して、表示領域（飾り図柄表示エリア）において、複数種類の飾り図柄の可変表示を実行する。
【００４４】
一例として、図１に示すように、画像表示装置５の表示領域には、「左」、「中」、「右」の飾り図柄表示エリア５Ｌ、５Ｃ、５Ｒが配置されている。第１特図ゲーム又は第２特図ゲームのうち何れかの特図ゲームの開始に対応して、即ち、第１特図又は第２特図のうち何れかの特図の変動の開始に対応して、飾り図柄表示エリア５Ｌ、５Ｃ、５Ｒの夫々において、飾り図柄の変動（例えば上下方向のスクロール表示）が開始される。その後、特図ゲームの終了に対応して、即ち、特図の停止表示に対応して、飾り図柄表示エリア５Ｌ、５Ｃ、５Ｒの夫々において、可変表示結果となる飾り図柄（確定飾り図柄、最終停止図柄とも称する）が停止表示される。つまり、画像表示装置５の表示領域（飾り図柄表示エリア５Ｌ、５Ｃ、５Ｒ）では、第１特図ゲーム（又は第２特図ゲーム）と連動（対応）して、飾り図柄の変動が開始され、確定飾り図柄（最終停止図柄とも称する）が停止表示される。
【００４５】
飾り図柄は、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。夫々の飾り図柄には、夫々の飾り図柄に対応する図柄番号が付されている。一例として、「１」〜「８」を示す各英数字には「１」〜「８」の各図柄番号が付されていればよい。なお、飾り図柄は８種類に限定されず、大当り組合せやハズレとなる組合せなど適当な数の組合せを構成可能であれば、何種類であってもよい（例えば７種類や９種類など）。
【００４６】
なお、特別図柄の可変表示結果（特図表示結果とも称する）である確定特別図柄を停止表示して当該可変表示を終了させる停止表示や、飾り図柄の可変表示結果である確定飾り図柄（最終停止図柄）を停止表示して当該可変表示を終了させる停止表示や、普通図柄の可変表示結果（普図表示結果とも称する）である確定普通図柄を停止表示して当該可変表示を終了させる停止表示を、完全停止表示、最終停止表示、又は、導出表示（又は、単に「導出」）とも称する。なお、飾り図柄の変動開始タイミング及び変動終了タイミングは、特別図柄の変動開始タイミング及び変動終了タイミングと必ずしも一致していなくてもよく、特別図柄の変動時間（特図変動時間）内に、飾り図柄の変動時間が収まっていればよい。
【００４７】
即ち、飾り図柄の変動開始タイミングが特別図柄の変動開始タイミングよりも遅くてもよいし、特別図柄の変動終了タイミング（確定特別図柄の停止表示タイミング）が飾り図柄の変動終了タイミング（確定飾り図柄の停止表示タイミング）よりも遅くてもよい。例えば、確定飾り図柄の停止表示後に所定演出の実行を開始し、当該所定演出の実行の終了時に確定特別図柄を停止表示させてもよい。
【００４８】
また、完全停止表示（最終停止表示、導出表示）とは異なる停止表示を行ってもよい。例えば、飾り図柄の可変表示を開始してから確定飾り図柄が導出表示されるまでの可変表示中に飾り図柄を仮停止表示させてもよい。なお、仮停止表示には、変動速度が「０」となった飾り図柄が、例えば微少な揺れや伸縮などを生じさせつつ停留して表示させるものや、所定時間（例えば１秒間）よりも短い時間、微少な揺れや伸縮なども生じさせずに停止表示させるものなどが含まれる。
【００４９】
また、画像表示装置５の表示領域には、第１始動入賞記憶表示エリア５ＨＬ、及び、第２始動入賞記憶表示エリア５ＨＲが配置されている。第１始動入賞記憶表示エリア５ＨＬでは、第１保留表示器２５Ａと同様、第１特図保留記憶数を特定可能に表示する第１保留表示が行われる。つまり、現在、実行が保留されている第１特図ゲームの数を特定可能に表示する。第１始動入賞記憶表示エリア５ＨＬでは、第２保留表示器２５Ｂと同様、第２特図保留記憶数を特定可能に表示する第２保留表示が行われる。つまり、現在、実行が保留されている第２特図ゲームの数を特定可能に表示する。
【００５０】
なお、第１始動入賞記憶表示エリア５ＨＬでは、例えば右詰めで、第１保留表示が行われるようにしてもよい。つまり、新たな第１始動条件の成立によって第１特図ゲームの保留数が増加したときは、第１始動入賞記憶表示エリア５ＨＬに他の第１保留表示がなければ、第１始動入賞記憶表示エリア５ＨＬの右側（画像表示装置５の表示領域の中央側）に増加分の第１特図保留情報に対応する保留表示として新たな第１保留表示を追加し、第１始動入賞記憶表示エリア５ＨＬに他の第１保留表示があれば、当該他の第１保留表示の左側（複数の他の第１保留表示があれば最も左側の第１保留表示の更に左側）に上記新たな第１保留表示を追加するようにしてもよい。また、第１始動入賞記憶表示エリア５ＨＬに複数の第１保留表示がある場合に、新たな第１開始条件の成立によって第１特図ゲームの保留数が減少したときは、減少分の第１特図保留情報に対応する保留表示に相当する第１始動入賞記憶表示エリア５ＨＬの最も右側に表示されている第１保留表示（一番古くから表示されている第１保留表示）を消去し、他の第１保留表示の夫々を、消去した第１保留表示側（右側）に移動（シフト）する。
【００５１】
また、第２始動入賞記憶表示エリア５ＨＲでは、例えば左詰めで、第２保留表示が行われるようにしてもよい。つまり、新たな第２始動条件の成立によって第２特図ゲームの保留数が増加したときは、第２始動入賞記憶表示エリア５ＨＲに他の第２保留表示がなければ、第２始動入賞記憶表示エリア５ＨＲの左側（画像表示装置５の表示領域の中央側）に増加分の第２特図保留情報に対応する保留表示として新たな第２保留表示を追加し、第２始動入賞記憶表示エリア５ＨＲに他の第２保留表示があれば、当該他の第２保留表示の右側（複数の他の第２保留表示があれば最も右側の第２保留表示の更に右側）に上記新たな第２保留表示を追加するようにしてもよい。
【００５２】
また、第２始動入賞記憶表示エリア５ＨＲに複数の第２保留表示がある場合に、新たな第２開始条件の成立によって第２特図ゲームの保留数が減少したときは、減少分の第２特図保留情報に対応する保留表示に相当する第２始動入賞記憶表示エリア５ＨＲの最も左側に表示されている第２保留表示（一番古くから表示されている第２保留表示）を消去し、他の第２保留表示の夫々を、消去した第２保留表示側（左側）に移動（シフト）する。なお、第１始動入賞記憶表示エリア５ＨＬと第２始動入賞記憶表示エリア５ＨＲとを特に区別しない場合には、単に、「始動入賞記憶表示エリア５Ｈ」とも称する。
【００５３】
また、画像表示装置５の表示領域には、保留表示のエリアとして、第１始動入賞記憶表示エリア５ＨＬや第２始動入賞記憶表示エリア５ＨＲの他に、第１始動入賞記憶表示エリア５ＨＬや第２始動入賞記憶表示エリア５ＨＲから消去された（移動された）保留表示（即ち、第１開始条件の成立によって消化される第１特図保留情報や、第２開始条件の成立によって消化される第２特図保留情報に基づき実行される飾り図柄の可変表示に対応する保留表示に応じたアクティブ表示（消化時表示、今回表示などとも称する）を含む情報を表した特別画像を表示するアクティブ表示エリアＡＨＡ（消化時表示領域、消化時表示エリア、今回保留表示領域、今回保留表示エリア、アクティブ保留表示領域、アクティブ保留表示エリア、アクティブ表示領域、今回表示領域、今回表示エリア、消化時表示部などとも称する。）が、例えば、第１始動入賞記憶表示エリア５ＨＬと第２始動入賞記憶表示エリア５ＨＲとの間が配置されている。
【００５４】
本実施形態におけるパチンコ遊技機１では、図１に示すように、第１始動入賞記憶表示エリア５ＨＬと第２始動入賞記憶表示エリア５ＨＲとの間にアクティブ表示エリアＡＨＡを配置しているが、アクティブ表示エリアＡＨＡは、画像表示装置５の表示領域の何れかの位置に配置されていればよい。また、本実施形態におけるパチンコ遊技機１では、アクティブ表示のほかには、アクティブ表示を囲うアクティブ表示枠、アクティブ表示またはアクティブ表示の周囲やアクティブ表示枠の周囲に表示される文字や画像などのアクティブ表示に応じた情報などが特別画像によって表示される。
【００５５】
遊技盤２における遊技領域には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一又は複数の一般入賞口が設けられてもよい。この場合には、一般入賞口の何れかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００５６】
遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００５７】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００５８】
下皿を形成する部材には、例えば下皿本体の上面における手前側の所定位置（例えば下皿の中央部分）などに、遊技者が把持して傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。
【００５９】
スティックコントローラ３１Ａの下部における下皿の本体内部などには、操作桿に対する傾倒操作を検知する傾倒方向センサユニットが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。
【００６０】
上皿を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサが設けられていればよい。
【００６１】
遊技機用枠３の遊技領域の周辺部には、音声出力部材が設けられている。図１に示した一例では、遊技機用枠３の左右上部位置に、スピーカ８ＵＬ、スピーカ８ＵＲを設置し、上皿の左右斜下部（下皿の左右斜上部）に、スピーカ８ＬＬ、スピーカ８ＬＲを設置している。以下、スピーカ８ＵＬ、８ＵＲ、８ＬＬ、８ＬＲの夫々を特に区別しない場合には、単に、スピーカ８と称する。スピーカ８は、音声（音及び声）を出力（再生）する。例えば、スピーカ８は、遊技機１の遊技の進行状況に応じて演出音（効果音とも称する）を出力し、遊技機１の状況に応じて警告音を出力する。
【００６２】
演出音には、音楽、検出音、応答音、報知音などが含まれる。演出音における音楽とは、例えば、遊技の進行状況に応じて出力されるＢＧＭ、歌などである。演出音における検出音とは、例えば、スイッチやセンサによる検出結果（例えば、第１始動入賞口等への入賞の検出など）に応じて出力される音、声（セリフ、メッセージ）などである。演出音における応答音とは、例えば、プッシュボタン３１Ｂへの操作行為に応じて出力される音、声などである。なお、プッシュボタン３１Ｂへの操作行為は、プッシュセンサによって検出されるものでもあるため、プッシュボタン３１Ｂへの操作行為に応じて出力される応答音は検出音でもある。演出音における報知音とは、例えば、プッシュボタン３１Ｂへの操作行為を要求するために報知する音、声や、リーチ状態（後述）の移行時にリーチ状態に移行する旨を報知する音、声や、大当り遊技状態への移行前に大当り遊技状態に移行する旨を予告又は示唆する音、声などである。
【００６３】
警告音の一例は、遊技球が下皿に過剰に保持（貯留）されているときに出力される警告音、ガラス扉（非図示）が開放しているときに出力される警告音などである。
【００６４】
遊技機用枠３の遊技領域の内部及び周辺部には、演出又は装飾として発光する発光部材（発光体）が設けられている。図１に示した一例では、画像表示装置５の上部位置に発光部材９ＣＣ、画像表示装置５の左右位置に発光部材９ＣＬ、発光部材９ＣＲを設置し、遊技機用枠３の上部位置に発光部材９Ｕ、遊技機用枠３の左右位置に発光部材９ＳＬ、発光部材９ＳＲを設置している。以下、発光部材９ＣＣ、９ＣＬ、９ＣＲ、９Ｕ、９ＳＬ、９ＳＲの夫々を特に区別しない場合には、総称してランプ９と称する。ランプ９は、例えば、１以上のＬＥＤから構成されたものであってもよいし、フラッシュランプから構成されるものであってもよい。発光部材９Ｕは、回転部を有する回転灯（例えばパトランプ）であってもよい。また、上記以外にも、例えば、遊技領域における各構造物（例えば、特別可変入賞球装置７等）の周囲などに、種々の発光部材を設置してもよい。
【００６５】
上述した画像表示装置５、スピーカ８、ランプ９などは演出を実行する演出装置であるが、遊技機１は、演出装置として、駆動部を有する演出用模型など他の演出装置を備えていてもよい。
【００６６】
なお、各構成の配置位置（設置位置）は、一例であって、他の位置に配置されていてもよい。例えば、第１特別図柄表示装置４Ａ、第２特別図柄表示装置４Ｂ、普通図柄表示器２０が、遊技領域の同一側（右側部分又は左側部分）に設けられていてもよい。また例えば、第１保留表示器２５Ａ、第２保留表示器２５Ｂ、普図保留表示器２５Ｃが、遊技領域の同一側（右側部分又は左側部分）に設けられていてもよい。
【００６７】
次に、パチンコ遊技機１における遊技の進行を概略的に説明する。
【００６８】
パチンコ遊技機１では、普図始動条件が成立した後に普図開始条件が成立したことに基づいて、普通図柄表示器２０による普図ゲームが開始される。普図ゲームでは、普通図柄の可変表示を開始させた後（普通図柄の変動を開始させた後）、普図変動時間となる所定時間が経過すると、普通図柄の可変表示結果となる確定普通図柄を停止表示（導出表示）する。このとき、確定普通図柄として、例えば「７」を示す数字といった、特定の普通図柄（普図当り図柄）が停止表示されれば、普通図柄の可変表示結果が「普図当り」となる。その一方、確定普通図柄として、例えば「７」を示す数字以外の数字や記号といった、普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００６９】
パチンコ遊技機１では、第１始動条件が成立した後に第１開始条件が成立したことに基づいて、第１特別図柄表示装置４Ａによる特図ゲーム（第１特図ゲーム）が開始され、第２始動条件が成立した後に第２開始条件が成立したことに基づいて、第２特別図柄表示装置４Ｂによる特図ゲーム（第２特図ゲーム）が開始される。特図ゲームでは、特別図柄の可変表示を開始させた後（特別図柄の変動を開始させた後）、特図変動時間としての可変表示時間が経過すると、特別図柄の可変表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる特別図柄が確定特別図柄として停止表示されれば「ハズレ」となる。なお、大当り図柄や小当り図柄とは異なる所定の特別図柄（小当り図柄）が停止表示されれば、所定表示結果としての「小当り」としてもよい。
【００７０】
本実施形態におけるパチンコ遊技機１では、一例として、「３」、「５」、「７」の数字を示す特別図柄を大当り図柄とし、「−」の記号を示す特別図柄をハズレ図柄としている。なお、第１特別図柄表示装置４Ａによる第１特図ゲームにおける大当り図柄、ハズレ図柄といった各図柄は、第２特別図柄表示装置４Ｂによる第２特図ゲームにおける各図柄とは異なる特別図柄となるようにしてもよいし、双方の特図ゲームにおいて共通の特別図柄が大当り図柄、ハズレ図柄となるようにしてもよい。
【００７１】
特図ゲームでの可変表示結果が「大当り」になった後には、パチンコ遊技機１は、特定遊技状態である大当り遊技状態に制御される。パチンコ遊技機１は、大当り遊技状態において、遊技者にとって有利なラウンド（「ラウンド遊技」ともいう）を、所定の回数（所定のラウンド数）、実行する。ラウンドは、大入賞口の開放サイクルである。また、特図ゲームでの可変表示結果が「小当り」になった後には、パチンコ遊技機１は、大当り遊技状態とは異なる特殊遊技状態である小当り遊技状態に制御される。
【００７２】
パチンコ遊技機１は、特図ゲームでの可変表示結果が「大当り」になった後の各ラウンド（各回のラウンド）において、特別可変入賞球装置７の大入賞口扉を開閉させて、大入賞口の状態（開放状態、閉鎖状態）を変化させる。例えば、パチンコ遊技機１は、ラウンドの開始時に大入賞口を閉鎖状態から開放状態に変化させ、その後、大入賞口を開放状態から閉鎖状態に変化させる。つまり、パチンコ遊技機１は、ラウンドの開始時に大入賞口扉を開いて大入賞口を開放状態に維持し、その後、大入賞口扉を閉じて大入賞口を閉鎖状態に維持し、１回のラウンドを終了させる。
【００７３】
パチンコ遊技機１は、１回のラウンドにつき１回、大入賞口を開放状態に変化させる（１回のラウンド中に、大入賞口を開放状態→閉鎖状態と変化させる）。なお、パチンコ遊技機１は、１回のラウンドにつき複数回、大入賞口を開放状態に変化させてもよい。例えば、パチンコ遊技機１は、１回のラウンドにつき２回、大入賞口を開放状態に変化させてもよい（１回のラウンド中に、大入賞口を開放状態→閉鎖状態→開放状態→閉鎖状態と変化させてもよい）。
【００７４】
なお、上述のような、大入賞口を閉鎖状態から開放状態に変化してラウンドが開始する態様（ラウンドの開始時に大入賞口扉を直ちに開く態様）ではなく、大入賞口を閉鎖状態に維持したままラウンドが開始する態様（ラウンドの開始時には大入賞口扉を開かない態様）であってもよい。つまり、パチンコ遊技機１は、ラウンドの開始時には大入賞口扉を開くことなく大入賞口を閉鎖状態に維持し、その後、大入賞口扉を開いて大入賞口を開放状態に維持し、その後、大入賞口扉を閉じて１回のラウンドを終了させてもよい。
【００７５】
大当り遊技状態においてラウンドが実行される所定の回数（所定のラウンド数）は、固定（一定）の回数（例えば、常に１０回）でなくてもよい。例えば、大当り遊技状態においてラウンドが実行される所定の回数（所定のラウンド数）は、複数種類の回数（例えば、２回、８回、１６回）のなかから選択（抽選）されたいずれかの回数であってもよい。
【００７６】
つまり、パチンコ遊技機１は、大当り遊技状態において、ラウンドの実行回数が上限回数（上述所定の回数が固定の回数である場合には当該固定の回数、上述の所定の回数が複数種類から選択される場合には選択された回数）に達するまで、ラウンドを繰り返し実行する。なお、パチンコ遊技機１は、ラウンドの実行回数が上限回数に達する前であっても、所定条件の成立（例えば大入賞口に遊技球が入賞しなかったことなど）により、ラウンドの実行を終了してもよい。
【００７７】
ラウンドにおいて大入賞口は、大入賞口扉を開いた後に所定の時間（開放期間）が経過するか、大入賞口への所定個数（例えば９個）の入賞が発生するか、のいずれかとなるまでの期間、開放状態に維持される。ラウンドにおいて大入賞口が開放状態に維持される所定の時間（開放期間）は、固定（一定）の時間（例えば、常に２９秒間）でなくてもよい。例えば、ラウンドにおいて大入賞口が開放状態に維持される所定の時間（開放期間）は、複数種類の時間（例えば、０．１秒間、２９秒間）のなかから選択（抽選）されたいずれかの時間であってもよい。
【００７８】
ラウンドにおいて大入賞口は、所定の時間（閉鎖期間）が経過するまでの期間、閉鎖状態（ラウンドにおける閉鎖状態）に維持される。例えば、大入賞口を閉鎖状態から開放状態に変化してラウンドが開始する態様の場合には、大入賞口は、大入賞口扉を閉じた後に所定の時間（閉鎖期間）が経過するまでの期間、閉鎖状態に維持される。また例えば、大入賞口を閉鎖状態に維持したままラウンドが開始する態様の場合には、大入賞口は、ラウンドの開始した後に所定の時間（閉鎖期間）が経過するまでの期間、閉鎖状態に維持される。ラウンドにおいて大入賞口が閉鎖状態に維持される所定の時間（閉鎖期間）は、固定（一定）の時間（例えば、常に３秒間）でなくてもよい。例えば、ラウンドにおいて大入賞口が閉鎖状態に維持される所定の時間（閉鎖期間）は、複数種類の時間（例えば、１秒間、３秒間）のなかから選択（抽選）されたいずれかの時間であってもよい。
【００７９】
以上から、パチンコ遊技機１は、大当り遊技状態において、例えば、大入賞口を開放状態（２９秒間）→閉鎖状態（３秒間）と変化させる各ラウンドを８回実行したり、大入賞口を開放状態（２９秒間）→閉鎖状態（３秒間）と変化させる各ラウンドを１６回実行したり、大入賞口を開放状態（０．１秒間）→閉鎖状態（１秒間）→開放状態（０．１秒間）→閉鎖状態（１秒間）と変化させる各ラウンドを２回実行したりすることができる。また、パチンコ遊技機１は、大当り遊技状態において、大入賞口を開放状態（２９秒間）→閉鎖状態（３秒間）と変化させる各ラウンドを８回実行した後に大入賞口を開放状態（０．１秒間）→閉鎖状態（１秒間）と変化させる各ラウンドを８回実行したりすることもできる。
【００８０】
なお、大当り遊技状態におけるラウンドのうち、大入賞口を開放状態とする所定の時間（開放期間）が比較的長いラウンド（例えば、開放状態が２９秒間であるラウンド）は通常開放ラウンドとも称され、大入賞口を開放状態とする所定の時間（開放期間）が比較的短いラウンド（例えば、開放状態が０．１秒間であるラウンド）は短期開放ラウンドとも称される。
【００８１】
また、大当り図柄である特別図柄のうち、通常開放ラウンドに対応する大当り図柄（後に通常開放ラウンドが実行される大当り遊技状態に制御される大当り図柄）は、通常開放ラウンド大当り図柄と称する場合がある。大当り図柄である特別図柄のうち、短期開放ラウンドに対応する大当り図柄（後に短期開放ラウンドが実行される大当り遊技状態に制御される大当り図柄）は、短期開放ラウンド大当り図柄と称する場合がある。
【００８２】
特図ゲームにおける確定特別図柄として通常開放ラウンド大当り図柄が導出された後に制御される大当り遊技状態（通常開放大当り状態）では、通常開放ラウンドが所定の回数（所定のラウンド数）、実行される。また、特図ゲームにおける確定特別図柄として短期開放ラウンド大当り図柄が導出された後に制御される大当り遊技状態（短期開放大当り状態）では、短期開放ラウンドが所定の回数（所定のラウンド数）、実行される。なお、短期開放大当り状態に比べ通常開放大当り状態の方が通常開放ラウンドの実行回数が多くなるなどしていれば、通常開放大当り状態において通常開放ラウンドの他に短期開放ラウンドを実行し、短期開放大当り状態において短期開放ラウンドの他に通常開放ラウンドを実行してもよい。
【００８３】
以上のように、パチンコ遊技機１は、特図ゲームでの可変表示結果が「大当り」になった後に制御される大当り遊技状態として、夫々の大当り遊技状態において遊技者が得る価値、即ち、遊技者から見た有利度（例えば、賞球数（出玉数））を夫々異ならせた多様な大当り遊技状態を用意（実現）することができる。
【００８４】
短期開放ラウンドを用いない場合の一例として、ラウンド（通常開放ラウンド）を８回実行する大当り遊技状態と、ラウンド（通常開放ラウンド）を８回実行する大当り遊技状態よりも遊技者にとって有利な、ラウンド（通常開放ラウンド）を１６回実行する大当り遊技状態とを用意することができる。なお、上記例において、夫々のラウンド（通常開放ラウンド）において大入賞口を開放状態に変化させる回数や、夫々の開放状態の時間（開放時間）に差異が無ければ、ラウンド（通常開放ラウンド）を１６回実行する大当り遊技状態では、ラウンド（通常開放ラウンド）を８回実行する大当り遊技状態の２倍の出玉を期待できる。
【００８５】
短期開放ラウンドを用いる場合の一例として、通常開放ラウンドを８回実行した後に短期開放ラウンドを８回実行する大当り遊技状態（実質８ラウンドの大当り遊技状態）と、実質８ラウンドの大当り遊技状態よりも遊技者にとって有利な、通常開放ラウンドを１６回実行する大当り遊技状態とを用意することができる。なお、上記例において、夫々の通常開放ラウンドにおいて大入賞口を開放状態に変化させる回数や、夫々の開放状態の時間（開放時間）に差異が無く、且つ、短期開放ラウンドで得られる出玉数が無視できる程度に少なければ、通常開放ラウンドを１６回実行する大当り遊技状態では、実質８ラウンドの大当り遊技状態の２倍の出玉を期待できる。
【００８６】
また、大入賞口扉を開いた後に所定の時間（開放期間）が経過していなくても大入賞口への所定個数の入賞が発生した場合には大入賞口は開放状態から閉鎖状態に変化するが、当該所定個数に差を設けることにより、遊技者が得る価値を異ならせてもよい。例えば、上記所定個数を５個とした通常開放ラウンド（開放時間は２９秒間）を８回実行する大当り遊技状態と、上記所定個数を５個とした通常開放ラウンド（開放時間は２９秒間）を８回実行する大当り遊技状態よりも遊技者にとって有利な、上記所定個数を１０個とした通常開放ラウンド（開放時間は２９秒間）を８回実行する大当り遊技状態とを用意してもよい。
【００８７】
また、大入賞口への入賞の発生に基づいて払い出される賞球の個数に差を設けることにより、遊技者が得る価値を異ならせてもよい。例えば、賞球数を６個とした通常開放ラウンドを１６回実行する大当り遊技状態と、賞球数を６個とした通常開放ラウンドを１６回実行する大当り遊技状態よりも遊技者にとって有利な、賞球数を１２個とした通常開放ラウンドを１６回実行する大当り遊技状態とを用意してもよい。
【００８８】
また、当該大当り遊技状態自体によって遊技者が得る価値（当該大当り遊技状態の期間において遊技者が得る価値）に加えて、当該大当り遊技状態の後に制御されるパチンコ遊技機１の状態の種類（例えば、通常状態、時短状態、確変状態の別）や、当該大当り遊技状態の後に制御されるパチンコ遊技機１の状態（例えば、時短状態、確変状態）が維持される期間（例えば、時短回数、ＳＴ回数）の長さなどを異ならせることにより、当該大当り遊技状態以降において遊技者が得る価値を異ならせてもよい。
【００８９】
なお、本実施形態では、パチンコ遊技機１は、特図ゲームでの可変表示結果が「大当り」になった後に制御される大当り遊技状態として、８Ｒ確変大当り（後述）となった後に制御される通常開放ラウンドを８回実行する大当り遊技状態と、１６Ｒ確変大当り（後述）となった後に制御される通常開放ラウンドを１６回実行する大当り遊技状態とを用意している。
【００９０】
画像表示装置５の表示領域に配置されている飾り図柄表示エリア５Ｌ、５Ｃ、５Ｒでは、第１特別図柄表示装置４Ａによる第１特図ゲームと、第２特別図柄表示装置４Ｂによる第２特図ゲームとのうち、何れかの特図ゲームが開始されることに対応して、飾り図柄の可変表示が開始される。そして、飾り図柄表示エリア５Ｌ、５Ｃ、５Ｒでは、飾り図柄の可変表示が開始されてから確定飾り図柄の停止表示により可変表示が終了するまでの期間に、飾り図柄の可変表示状態が特定の可変表示の組み合わせの一部を構成する所定のリーチ状態となることがある。
【００９１】
リーチ状態とは、画像表示装置５の表示領域にて停止表示された飾り図柄が大当り組合せの一部を構成しているときに未だ停止表示されていない飾り図柄（「リーチ変動図柄」ともいう）については変動が継続している表示状態、あるいは、全部又は一部の飾り図柄が大当り組合せの全部又は一部を構成しながら同期して変動している表示状態のことである。なお、以下の説明において、リーチ状態となることをリーチが成立（リーチ成立）するとも称する。
【００９２】
また、リーチ状態となったことに対応して、飾り図柄の変動速度を低下させたり、画像表示装置５の表示領域に飾り図柄とは異なるキャラクタ画像（人物等を模した演出画像）を表示させたり、背景画像の表示態様を変化させたり、飾り図柄とは異なる動画像を再生表示させたり、飾り図柄の変動態様を変化させたりすることで、リーチ状態となる以前とは異なる演出動作が実行される場合がある。このようなキャラクタ画像の表示や背景画像の表示態様の変化、動画像の再生表示、飾り図柄の変動態様の変化といった演出動作を、リーチ演出（又はリーチ演出表示）という。なお、リーチ演出には、画像表示装置５における表示動作のみならず、スピーカ８による音声出力動作や、ランプ９などの発光動作（点灯動作、点滅動作、消灯動作）などを、リーチ状態となる以前の動作態様とは異なる動作態様とすることが、含まれていてもよい。
【００９３】
リーチ演出における演出動作としては、互いに動作態様（リーチ態様）が異なる複数種類の演出パターン（「リーチパターン」ともいう）が、予め用意されていればよい。そして、演出パターンに応じて、リーチ演出後に大当り組合せなどが最終停止表示される可能性（「大当り期待度」あるいは「大当り信頼度」ともいう）を異ならせてもよい。これにより、複数種類のリーチ演出のいずれが実行されるかに応じて、即ち、いずれのリーチ演出を出現させるかに応じて、大当り期待度を異ならせることができる。一例として、本実施形態では、ノーマルリーチのリーチ態様と、ノーマルリーチに比べて大当り期待度が高いスーパーリーチのリーチ態様とを予め設定（用意）している。
【００９４】
なお、大当り期待度は、例えば、（大当り時にその演出が実行される確率）×（大当りになる確率）／｛（大当り時にその演出が実行される確率）×（大当りになる確率）＋（大当り時以外にその演出が実行される確率）×（大当りにならない確率）｝によって算出される（大当り期待度が「１」になる場合には、可変表示結果は必ず「大当り」になる）。
【００９５】
また、飾り図柄の可変表示中には、可変表示演出の一態様として、飾り図柄などの可変表示動作によって実現される滑り演出や擬似連演出などが実行可能である。滑り演出では、飾り図柄表示エリア５Ｌ、５Ｃ、５Ｒにおける全部にて飾り図柄を変動させてから、複数の飾り図柄表示エリア（例えば「左」及び「右」の飾り図柄表示エリア５Ｌ、５Ｒなど）にて飾り図柄を仮停止表示させた後、その仮停止表示した飾り図柄表示エリアのうち所定数（例えば「１」又は「２」）の飾り図柄表示エリア（例えば「左」の飾り図柄表示エリア５Ｌと「右」の飾り図柄表示エリア５Ｒの何れか一方又は双方）にて飾り図柄を再び変動させた後に停止表示させることで、停止表示する飾り図柄を変更させる演出表示が行われる。こうして、滑り演出では、飾り図柄の可変表示が開始されてから可変表示結果となる確定飾り図柄が導出表示されるまでに複数の飾り図柄を仮停止表示させた後、所定数の飾り図柄について可変表示を再度実行することにより、飾り図柄の可変表示状態がリーチ状態になるときと、リーチ状態とはならずに非リーチ組合せを構成する飾り図柄が停止表示されるときとがある。
【００９６】
擬似連演出では、特図ゲームの第１開始条件と第２開始条件の何れか一方が１回成立したことに対応して、飾り図柄の可変表示が開始されてから可変表示結果となる確定飾り図柄が導出表示されるまでに、飾り図柄表示エリア５Ｌ、５Ｃ、５Ｒにおける全部にて飾り図柄（例えば予め定められた擬似連チャンス目などが飾り図柄表示エリア５Ｌ、５Ｃ、５Ｒのいずれか一部または全部に表示される）を一旦仮停止表示させた後、飾り図柄表示エリア５Ｌ、５Ｃ、５Ｒにて、再び、全部の飾り図柄の可変表示を開始させる演出表示である再可変表示を、所定回（例えば最大４回まで）行うことができる。
【００９７】
擬似連演出における再可変表示の回数（再可変表示回数）は、飾り図柄表示エリア５Ｌ、５Ｃ、５Ｒにおける、全部の飾り図柄が最初に仮停止するまでの可変表示（初回可変表示）の回数（１回）と、全部の飾り図柄が最後に仮停止した後の再可変表示（最終可変表示）の回数（１回）と、初回可変表示と最終可変表示の間の再可変表示の回数Ｘ（Ｘは０又は１以上）と、を合算した回数（Ｘ＋２）よりも１回少ない回数（Ｘ＋１）として把握される。また、再可変表示回数は、飾り図柄表示エリア５Ｌ、５Ｃ、５Ｒにおいて全部の飾り図柄が仮停止表示される回数（仮停止回数）と同数となる。なお、初回可変表示〜１回目の仮停止表示を１回目の擬似連とも称し、２回目の可変表示（１回目の再可変表示）〜２回目の仮停止表示を２回目の擬似連とも称し、３回目の可変表示（２回目の再可変表示）〜３回目の仮停止表示を３回目の擬似連とも称し、４回目の可変表示（３回目の再可変表示）〜４回目の仮停止表示を４回目の擬似連とも称する。また、擬似連演出における擬似連の回数を擬似連変動回数（又は、擬似連回数）とも称する。つまり、擬似連変動回数と再可変表示回数と仮停止回数は同数となる。なお、１回目、２回目、３回目、…と擬似連の回数が増えることを「擬似連が継続する」とも称する。
【００９８】
「擬似連」の可変表示演出において、再可変表示（再変動）が１回〜４回行われることにより、第１開始条件あるいは第２開始条件が１回成立したことに基づき、飾り図柄の可変表示があたかも２回〜５回続けて開始されたかのように見せることができる。なお、本実施形態では、再可変表示（再変動）を１回又は２回行う例を示しているが（図５参照）、再可変表示（再変動）が３回以上行ってもよい。
【００９９】
なお、擬似連演出は、当該変動においてリーチが成立する前（リーチ状態となる前に）に、飾り図柄表示エリア５Ｌ、５Ｃ、５Ｒのいずれか一部または全部に擬似連チャンス目が仮停止表示されるように、全ての飾り図柄表示エリア５Ｌ、５Ｃ、５Ｒにおける飾り図柄を一旦仮停止させてもよいし、リーチが成立した後に、飾り図柄表示エリア５Ｌ、５Ｃ、５Ｒのいずれか一部に擬似連チャンス目が仮停止表示されるように、全ての飾り図柄表示エリア５Ｌ、５Ｃ、５Ｒにおける飾り図柄を一旦仮停止してもよい。つまり、擬似連演出における仮停止表示の演出態様には、少なくとも、リーチ状態となる前に仮停止表示させる演出態様と、リーチと状態となった後にチャンス図柄を仮停止表示させる演出態様とがあってもよい。なお、チャンス図柄はリーチ状態とならないときにも停止表示され得る。
【０１００】
滑り演出（擬似連演出も同様）は、何れかのリーチ演出、若しくはあるリーチ演出が実行される可能性があることや大当り期待度が高いことなどを、遊技者に予告又は示唆するものであってもよい。以下、何れかのリーチ演出若しくはあるリーチ演出が実行される可能性があることや大当り期待度が高いことなどを、遊技者に予告又は示唆するための演出を予告演出と総称する場合がある。予告演出には、滑り演出や擬似連演出の他にも、滑り演出や擬似連演出とは異なる可変表示動作を利用するものがあってもよいし、例えば、背景画像の表示、メッセージウィンドウの表示、保留表示、音声出力、発光（点灯、点滅、消灯）などのように可変表示演出とは異なる演出動作を利用するものがあってもよい。
【０１０１】
なお、予告演出は、当該予告演出が予告又は示唆する内容が実現されるか否かを遊技者が判別（実際に確認）できるよりも前に実行（開始）されるものであればよい。例えば、ある遊技球の入賞による飾り図柄の可変表示状態がリーチ状態となる可能性があることを遊技者に予告又は示唆する予告演出は、少なくとも当該遊技球の入賞による飾り図柄の可変表示状態がリーチ状態（又は、非リーチ状態）となるより前に実行（開始）されるものであればよい。また、ある遊技球の入賞による可変表示結果が「大当り」となる可能性があることを遊技者に予告又は示唆する予告演出は、少なくとも当該遊技球の入賞による確定飾り図柄が停止表示されるよりも前に実行（開始）されるものであればよい。
【０１０２】
予告演出のうちには、先読予告演出（「事前判定予告演出」ともいう）となるものが含まれていればよい。先読予告演出は、当該予告対象となる可変表示を開始するより前に、当該可変表示を可変表示結果が「大当り」となるか否か等を特図ゲームの保留情報などに基づいて判定し（先読みし）、当該判定結果に基づいて実行する予告演出である。以下の説明において、先読予告演出の対象とする保留情報をターゲットの保留情報と称し、ターゲットの保留情報に対応する第１保留表示をターゲットの第１保留表示と称し、ターゲットの保留情報に対応する第２保留表示をターゲットの第２保留表示と称し、ターゲットの保留情報に対応する可変表示をターゲットの可変表示とも称する。また、先読予告演出は、ターゲットの保留情報の消化中に実行する場合（ターゲットの可変表示中を含むターゲットの保留情報の消化処理中に実行する場合）と、ターゲットの保留情報よりも前の保留情報の消化中に実行する場合と、ターゲットの保留情報の消化中、及びターゲットの保留情報よりも前の保留情報の消化中に実行する場合とがある。
【０１０３】
ある遊技球の入賞による先読予告演出となる演出動作は、当該遊技球の入賞後（始動条件の成立後）、当該先読予告演出が予告する内容が実現されるか否かを遊技者が判別できるよりも前に実行（開始）されるものであればよい。例えば、ある遊技球の入賞による、リーチ状態となる可能性があることを遊技者に予め報知（示唆）するための先読予告演出となる演出動作は、少なくとも当該遊技球の入賞による飾り図柄の可変表示状態がリーチ状態（又は、非リーチ状態）となるより前に実行（開始）されるものであればよい。また、ある遊技球の入賞による、可変表示結果が「大当り」となる可能性があることを遊技者に予め報知（示唆）するための先読予告演出となる演出動作は、少なくとも当該遊技球の入賞による確定飾り図柄が停止表示されるよりも前に実行（開始）されるものであればよい。
【０１０４】
なお、先読予告演出（事前判定予告演出）として、第１始動入賞記憶表示エリア５ＨＬにおける第１保留表示や第２始動入賞記憶表示エリア５ＨＲにおける第２保留表示の表示態様による保留演出が用意されていてもよい。保留演出には、第１始動入賞の発生時に第１始動入賞記憶表示エリア５ＨＬに追加する第１保留表示や第２始動入賞の発生時に第２始動入賞記憶表示エリア５ＨＲに追加する第２保留表示を予告態様で表示する演出（追加時保留演出）や、既に表示されている第１保留表示や第２保留表示が予告態様に変化（ある予告態様から他の予告態様への変化も含む。以下、同様）する演出（保留変化演出）や、第１保留表示や第２保留表示が予告態様に変化するときに実行する演出であって画像表示装置５の表示領域においてキャラクタ等を保留表示に直接的に又は間接的に作用させる演出（保留作用演出）や、第１保留表示や第２保留表示が予告態様に変化しないときに実行する演出であって画像表示装置５の表示領域においてキャラクタ等を保留表示に直接的に又は間接的に作用させる演出（保留作用ガセ演出）などが含まれていてもよい。なお、保留作用演出が実行されたときには、作用対象である第１保留表示（または第２保留表示）の表示態様は変化するが、保留作用ガセ演出が実行されたときには、第１保留表示（または第２保留表示）の表示態様は変化しない。
【０１０５】
特図ゲームにおける確定特別図柄として、ハズレ図柄となる特別図柄が停止表示（導出）される場合には、飾り図柄の可変表示が開始されてから、飾り図柄の可変表示状態がリーチ状態とならずに、所定の非リーチ組合せとなる確定飾り図柄が停止表示されることがある。このような飾り図柄の可変表示態様は、可変表示結果が「ハズレ」となる場合における「非リーチ」（「通常ハズレ」ともいう）の可変表示態様と称される。
【０１０６】
特図ゲームにおける確定特別図柄として、ハズレ図柄となる特別図柄が停止表示（導出）される場合には、飾り図柄の可変表示が開始されてから、飾り図柄の可変表示状態がリーチ状態となったことに対応して、リーチ演出が実行された後などに、所定のリーチハズレ組合せとなる確定飾り図柄が停止表示されることがある。このような飾り図柄の可変表示結果は、可変表示結果が「ハズレ」となる場合における「リーチ」（「リーチハズレ」ともいう）の可変表示態様と称される。
【０１０７】
本実施形態では、特図ゲームにおける確定特別図柄として、大当り図柄となる特別図柄（「３」、「５」、「７」の数字を示す特別図柄）のうち、「３」の数字を示す特別図柄または「５」の数字を示す特別図柄が停止表示される場合には、「大当り」の一態様である「８Ｒ確変大当り」となる。また、「７」の数字を示す特別図柄が停止表示される場合には、「大当り」の一態様である「１６Ｒ確変大当り」となる。８Ｒ確変大当りとなったときに制御されるラウンドは通常開放ラウンドである。つまり、本実施形態では、「３」や「５」の数字を示す特別図柄は、通常開放ラウンド大当り図柄である。また、１６Ｒ確変大当りとなったときに制御されるラウンドは通常開放ラウンドである。つまり、本実施形態では、「７」の数字を示す特別図柄は、通常開放ラウンド大当り図柄である。
【０１０８】
なお、本実施形態では、上述のように「５」の数字を示す特別図柄が停止表示される場合には８Ｒ確変大当りとなるが、「５」の数字を示す特別図柄が停止表示される場合に短期開放ラウンドが実行される「２Ｒ確変大当り（「突確」とも称する）」となるようにしてもよい。この場合の「５」の数字を示す特別図柄は、短期開放ラウンド大当り図柄となる。「大当り」における、「８Ｒ確変大当り」、「１６Ｒ確変大当り」、「２Ｒ確変大当り」の別は、「大当り種別」と称する。
【０１０９】
１６Ｒ確変大当りとなる場合には、具体的には「７」の数字を示す特別図柄が停止表示される場合には、飾り図柄の可変表示が開始され、リーチ状態となって所定のリーチ演出が実行されるなどした後に、１６Ｒ確変大当りに対応する大当り組合せとなる確定飾り図柄が停止表示される。１６Ｒ確変大当りに対応する大当り組合せの一例は、飾り図柄表示エリア５Ｌ、５Ｃ、５Ｒによって形成される所定の有効ライン（例えば、横に一直線）上に、図柄番号が奇数であって同一の飾り図柄が３個並んだもの（すなわち、「１」、「１」、「１」と並んだもの、「３」、「３」、「３」と並んだもの、「５」、「５」、「５」と並んだもの、「７」、「７」、「７」と並んだもの）である。
【０１１０】
８Ｒ確変大当りとなる場合には、具体的には「３」の数字を示す特別図柄または「５」の数字を示す特別図柄が停止表示される場合には、飾り図柄の可変表示が開始され、リーチ状態となって所定のリーチ演出が実行されるなどした後に、８Ｒ確変大当りに対応する大当り組合せとなる確定飾り図柄が停止表示される。８Ｒ確変大当りに対応する大当り組合せの一例は、飾り図柄表示エリア５Ｌ、５Ｃ、５Ｒによって形成される所定の有効ライン上に、図柄番号が偶数であって同一の飾り図柄が３個並んだもの（すなわち、「２」、「２」、「２」と並んだもの、「４」、「４」、「４」と並んだもの、「６」、「６」、「６」と並んだもの、「８」、「８」、「８」と並んだもの）である。
【０１１１】
なお、本実施形態では２Ｒ確変大当りを設けないが、２Ｒ確変大当りを設けたときに２Ｒ確変大当りとなる場合には、飾り図柄の可変表示が開始され、リーチ状態となって所定のリーチ演出が実行されるなどした後に、または、リーチ状態になることなく、２Ｒ確変大当りに対応する大当り組合せとなる確定飾り図柄が停止表示されるようにすればよい。２Ｒ確変大当りに対応する大当り組合せの一例は、飾り図柄表示エリア５Ｌ、５Ｃ、５Ｒによって形成される所定の有効ライン上に、図柄番号が奇数であって異なる飾り図柄（少なくとも３個のうち１個が異なる飾り図柄）が３個並んだもの（例えば、「１」「３」「５」と並んだもの、「３」「５」「７」と並んだもの、「５」「５」「７」と並んだもの）や、チャンス図柄などを含む飾り図柄の組合せ（例えば、「１」「突確」「２」の組合せ。「突確」はチャンス図柄の一例）である。
【０１１２】
なお、特図ゲームにおいて「７」の数字を示す特別図柄が停止表示される場合には、１６Ｒ確変大当りに対応する大当り組合せとなる確定飾り図柄が停止表示される場合と、表面上、８Ｒ確変大当りに対応する大当り組合せとなる確定飾り図柄が停止表示される場合とがあってもよい。
【０１１３】
１６Ｒ確変大当りとなったことに基づいて、通常開放ラウンドが１６回（ラウンド）実行される通常開放大当り状態に制御され、その終了後には、時短制御（時間短縮制御）とともに確変制御（確率変動制御）が行われる。また、８Ｒ確変大当りとなったことに基づいて、通常開放ラウンドが８回（ラウンド）実行される通常開放大当り状態に制御され、その終了後には、時短制御とともに確変制御が行われる。
【０１１４】
確変制御が行われることにより、各回の特図ゲームにおいて可変表示結果が「大当り」となる確率は、通常状態に比べて高くなるように向上する。確変制御は、大当り遊技状態の終了後に、所定のＳＴ回数（確変回数とも称する）の特図ゲームが実行されるときと、可変表示結果が「大当り」となるときとのうち、いずれかの条件が先に成立したときに終了する。従って、確変制御が行われているときに可変表示結果が「大当り」とならなかった場合であっても、所定のＳＴ回数（確変回数）の特図ゲームを消化した場合には、確変制御は終了する。なお、所定のＳＴ回数は、例えば７０回である。また、通常状態とは、大当り遊技状態等の特定遊技状態などとは異なる通常の遊技状態である。パチンコ遊技機１の初期設定状態（例えばシステムリセットが行われた場合のように、電源投入後に初期化処理を実行した状態）と同一の制御が行われる。
【０１１５】
また、時短制御が行われることにより、特図ゲームにおける特別図柄の可変表示時間（特図変動時間）は、通常状態に比べて短縮される。時短制御は、大当り遊技状態の終了後に、所定の時短回数の特図ゲームが実行されることと、可変表示結果が「大当り」となることとのうち、いずれかの条件が先に成立したときに終了する。従って、時短制御が行われているときに可変表示結果が「大当り」とならなかった場合であっても、所定の時短回数の特図ゲームを消化した場合には、時短制御は終了する。なお、所定の時短回数は、例えば７０回である。
【０１１６】
以上のように、本実施形態では、８Ｒ確変大当りまたは１６Ｒ確変大当りとなったことに基づいて、通常開放大当り状態に制御され、その終了後には、所定のＳＴ回数（例えば７０回）の確変制御が行われるとともに、所定の時短回数（例えば７０回）の時短制御が行われる。
【０１１７】
なお、本実施形態では、大当り（８Ｒ確変大当り、１６Ｒ確変大当り）となった後の時短回数とＳＴ回数（確変回数）とが同一（共に７０回）であるが、大当り（８Ｒ確変大当り、１６Ｒ確変大当り）となった後の時短回数とＳＴ回数（確変回数）とを異ならせてもよい。また、本実施形態では、８Ｒ確変大当りとなった後のＳＴ回数（確変回数）と１６Ｒ確変大当りとなった後のＳＴ回数（確変回数）とが同一（共に７０回）であるが、８Ｒ確変大当りとなった後のＳＴ回数（確変回数）と１６Ｒ確変大当りとなった後のＳＴ回数（確変回数）とを異ならせてもよい。また、本実施形態では、８Ｒ確変大当りとなった後の時短回数と１６Ｒ確変大当りとなった後の時短回数とが同一（共に７０回）であるが、８Ｒ確変大当りとなった後の時短回数と１６Ｒ確変大当りとなった後の時短回数とを異ならせてもよい。なお、以下の説明において、大当り遊技状態や、確変制御が行われる状態や、時短制御が行われる状態などを、有利状態と称することがある。
【０１１８】
なお、本実施形態では２Ｒ確変大当りを設けないが、２Ｒ確変大当りを設けた場合には、２Ｒ確変大当りとなったことに基づいて、短期開放ラウンドが２回（ラウンド）実行される短期開放大当り状態に制御され、その終了後には、１６Ｒ確変大当りまたは８Ｒ確変大当りとなったときと同様、時短制御とともに確変制御が行われるようにしてもよい。
【０１１９】
なお、本実施形態では、確変制御が行われているときに可変表示結果が「大当り」とならなかった場合であっても所定のＳＴ回数（確変回数）の特図ゲームを消化した場合には、確変制御は終了するが、ＳＴ回数（確変回数）を設けずに可変表示結果が「大当り」となるまで確変制御が終了しないようにしてもよい。このような態様とするときには、「大当り」の一態様として、終了後に確変制御が行われない通常大当りを設けるとよい。例えば、８Ｒ通常大当りを設けた場合には、８Ｒ通常大当りとなったことに基づいて、通常開放ラウンドが８回（ラウンド）実行される通常開放大当り状態に制御され、その終了後には、確変制御を行わない（時短制御は行っても行われなくてもよい）。
【０１２０】
また、大当り遊技状態の終了後に特図ゲームが開始されるごとに実行される確変転落抽選にて確変制御を終了させる「確変転落あり」の決定がなされたときに、確変制御を終了してもよい。このような態様とするときには、所定のＳＴ回数（確変回数）の特図ゲームを消化する迄は確変転落抽選を行わずに、所定のＳＴ回数（確変回数）の特図ゲームを消化した後の各ゲームにおいて確変転落抽選を行うようにしてもよい。時短制御についても同様である。
【０１２１】
時短制御が行われるときには、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口を通過（進入）しやすくして第２始動条件が成立する可能性を高めることで遊技者にとって有利となる制御が行われる。このように、時短制御に伴い第２始動入賞口に遊技球が進入しやすくして遊技者にとって有利となる制御は、高開放制御ともいう。高開放制御としては、これらの制御の何れか１つが行われるようにしてもよいし、複数の制御が組み合わせられて行われるようにしてもよい。
【０１２２】
高開放制御が行われることにより、第２始動入賞口は、高開放制御が行われていないときよりも拡大開放状態となる頻度が高められる。従って、第２特別図柄表示装置４Ｂによる第２特図ゲームを実行するための第２始動条件が成立しやすくなり、第２特図ゲームが頻繁に実行可能となることで、次に可変表示結果が「大当り」となるまでの時間が短縮される。高開放制御が実行可能となる期間は、高開放制御期間ともいい、この期間は、時短制御が行われる期間と同一であればよい。
【０１２３】
時短制御と高開放制御とがともに行われる遊技状態は、時短状態あるいは高ベース状態ともいう。また、確変制御が行われる遊技状態は、確変状態あるいは高確状態ともいう。確変制御とともに時短制御や高開放制御が行われる遊技状態は、高確高ベース状態とも称される。確変制御のみが行われて時短制御や高開放制御が行われない確変状態は、高確低ベース状態とも称される。なお、確変制御とともに時短制御や高開放制御が行われる遊技状態のみを、特に「確変状態」ということもあり、高確低ベース状態とは区別するために、時短付確変状態ということもある。一方、確変制御のみが行われて時短制御や高開放制御が行われない確変状態（高確低ベース状態）は、高確高ベース状態と区別するために、時短なし確変状態ということもある。確変制御が行われずに時短制御や高開放制御が行われる時短状態は、低確高ベース状態とも称される。確変制御や時短制御、及び、高開放制御がいずれも行われない通常状態は、低確低ベース状態とも称される。通常状態以外の遊技状態において時短制御や確変制御の少なくとも何れかが行われるときには、特図ゲーム（第２特図ゲーム）が頻繁に実行可能となることや、各回の特図ゲーム（第１特図ゲーム、第２特図ゲーム）における可変表示結果が「大当り」となる確率が高められることにより、遊技者にとって有利な状態となる。大当り遊技状態とは異なる遊技者にとって有利な遊技状態は、特別遊技状態とも称される。
【０１２４】
飾り図柄について、再抽選演出が実行されることがある。例えば、再抽選演出として、飾り図柄表示エリア５Ｌ、５Ｃ、５Ｒにおいて、８Ｒ確変大当りに対応する大当り組合せとなる飾り図柄を仮停止表示させた後に、同一の飾り図柄が揃った状態で再び変動させ、１６Ｒ確変大当りに対応する大当り組合せとなる飾り図柄と、８Ｒ確変大当りに対応する大当り組合せとなる飾り図柄のうち何れかを、確定飾り図柄として最終停止表示させるようにしてもよい。
【０１２５】
また、８Ｒ確変大当りに対応する大当り組合せとなる確定飾り図柄が導出表示された後には、８回目のラウンドが終了するまでの期間（若しくは、８回目のラウンドの終了後、次の可変表示ゲームが開始されるまで期間）にて、当該大当りが１６Ｒ確変大当りであることを報知するラウンド数昇格演出が実行されてもよい。なお、本実施形態では２Ｒ確変大当りを設けないが、２Ｒ確変大当りを設けたときに、２Ｒ確変大当りに対応する大当り組合せとなる確定飾り図柄が導出表示された場合も同様である。
【０１２６】
また、本実施形態では通常大当りを設けないが、通常大当りを設けたときに通常大当りに対応する大当り組合せとなる確定飾り図柄が導出表示された後には、最終のラウンドが終了するまでの期間（若しくは、最終のラウンドの終了後、次の可変表示ゲームが開始されるまで期間）にて、当該大当りが確変大当りであることを報知する確変昇格演出が実行されてもよい。
【０１２７】
なお、ラウンド中に実行される昇格演出（ラウンド数昇格演出、確変昇格演出）を大当り中昇格演出（大当り中ラウンド数昇格演出、大当り中確変昇格演出）と称し、最終のラウンドが終了してから実行される昇格演出（ラウンド数昇格演出、確変昇格演出）をエンディング昇格演出（エンディングラウンド数昇格演出、エンディング確変昇格演出）と称することもある。
【０１２８】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【０１２９】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の識別情報の可変表示を制御する機能も備えている。
【０１３０】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１、８２に伝送するソレノイド回路１１１などが搭載されている。
【０１３１】
演出制御基板１２は、主基板１１とは独立したサブ側の制御基板であり、中継基板１５を介して主基板１１から伝送された制御信号を受信して、画像表示装置５、スピーカ８及びランプ９といった演出用の電気部品による演出動作を制御するための各種回路が搭載されている。すなわち、演出制御基板１２は、画像表示装置５における表示動作や、スピーカ８からの音声出力動作の全部又は一部、ランプ９などにおける点灯／消灯動作の全部又は一部といった、演出用の電気部品に所定の演出動作を実行させるための制御内容を決定する機能を備えている。
【０１３２】
音声制御基板１３は、演出制御基板１２とは別個に設けられた音声出力制御用の制御基板であり、演出制御基板１２からの指令や制御データなどに基づき、スピーカ８から音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、ランプ９などにおける点灯／消灯駆動を行うランプドライバ回路などが搭載されている。
【０１３３】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。なお、遊技機１は、ゲートスイッチ２１、第１始動口スイッチ２２Ａ、第２始動口スイッチ２２Ｂ、カウントスイッチ２３に加え、同様に主基板１１に接続する他のスイッチ（例えば、ガラス扉（非図示）の開閉状態を検知するスイッチ、遊技盤２自体の開閉状態を検知するスイッチ、不正な振動を検知するためのスイッチ、不正な電磁波を検知するためのスイッチ）を備えていてもよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【０１３４】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。
【０１３５】
図３（Ａ）は、本実施形態で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。なお、図３（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【０１３６】
図３（Ａ）に示す例において、コマンド８００１Ｈは、第１特別図柄表示装置４Ａによる第１特図ゲームにおける変動開始を指定する第１変動開始コマンドである。コマンド８００２Ｈは、第２特別図柄表示装置４Ｂによる第２特図ゲームにおける変動開始を指定する第２変動開始コマンドである。コマンド８１ＸＸＨは、特図ゲームにおける特別図柄の可変表示に対応して各飾り図柄表示エリア５Ｌ、５Ｃ、５Ｒで可変表示される飾り図柄などの変動パターンを指定する変動パターン指定コマンドである。ここで、ＸＸＨは不特定の１６進数であることを示し、演出制御コマンドによる指示内容に応じて任意に設定される値であればよい。変動パターン指定コマンドでは、指定する変動パターンなどに応じて、異なるＥＸＴデータが設定される。
【０１３７】
コマンド８ＣＸＸＨは、特別図柄や飾り図柄などの可変表示結果を指定する可変表示結果通知コマンドである。可変表示結果通知コマンドでは、例えば図３（Ｂ）に示すように、可変表示結果が「ハズレ」であるか「１６Ｒ確変大当り」であるか「８Ｒ確変大当り」であるかの決定結果や大当り種別の決定結果に応じて、異なるＥＸＴデータが設定される。
【０１３８】
コマンド８Ｆ００Ｈは、各飾り図柄表示エリア５Ｌ、５Ｃ、５Ｒにおける、確定飾り図柄（最終停止図柄）を指定する図柄確定コマンドである。コマンド９５ＸＸＨは、パチンコ遊技機１における現在の遊技状態を指定する遊技状態指定コマンドである。遊技状態指定コマンドでは、例えばパチンコ遊技機１における現在の遊技状態に応じて、異なるＥＸＴデータが設定される。コマンド９Ｆ００（Ｈ）は、客待ちデモンストレーションを指定する演出制御コマンド（客待ちデモ指定コマンド）である。
【０１３９】
コマンドＡ０ＸＸＨは、大当り遊技状態の開始を示す演出画像の表示を指定する当り開始指定コマンド（「ファンファーレコマンド」ともいう）である。コマンドＡ１ＸＸＨは、大当り遊技状態において、大入賞口が開放状態となっている期間であることを通知する大入賞口開放中通知コマンドである。コマンドＡ２ＸＸＨは、大当り遊技状態において、大入賞口が開放状態から閉鎖状態に変化した期間であることを通知する大入賞口開放後通知コマンドである。コマンドＡ３ＸＸＨは、大当り遊技状態の終了時における演出画像の表示を指定する当り終了指定コマンドである。
【０１４０】
当り開始指定コマンドや当り終了指定コマンドでは、例えば可変表示結果通知コマンドと同様のＥＸＴデータが設定されることなどにより、事前決定結果や大当り種別決定結果に応じて異なるＥＸＴデータが設定されてもよい。あるいは、当り開始指定コマンドや当り終了指定コマンドでは、事前決定結果及び大当り種別決定結果と設定されるＥＸＴデータとの対応関係を、可変表示結果通知コマンドにおける対応関係とは異ならせるようにしてもよい。大入賞口開放中通知コマンドや大入賞口開放後通知コマンドでは、例えば通常開放大当り状態や短期開放大当り状態におけるラウンドの実行回数（例えば「１」〜「１６」）に対応して、異なるＥＸＴデータが設定される。
【０１４１】
コマンドＢ１００Ｈは、普通入賞球装置６Ａが形成する第１始動入賞口を通過（進入）した遊技球が第１始動口スイッチ２２Ａにより検出されて第１始動入賞が発生したことに基づき、第１特別図柄表示装置４Ａによる第１特図ゲームを実行するための第１始動条件が成立したことを通知する第１始動口入賞指定コマンドである。
【０１４２】
コマンドＢ２００Ｈは、普通可変入賞球装置６Ｂが形成する第２始動入賞口を通過（進入）した遊技球が第２始動口スイッチ２２Ｂにより検出されて第２始動入賞が発生したことに基づき、第２特別図柄表示装置４Ｂによる第２特図ゲームを実行するための第２始動条件が成立したことを通知する第２始動口入賞指定コマンドである。
【０１４３】
コマンドＣ１ＸＸＨは、第１始動入賞記憶表示エリア５ＨＬなどにて第１特図保留記憶数を特定可能に表示するために、第１特図保留記憶数を通知する第１保留記憶数通知コマンドである。コマンドＣ２ＸＸＨは、第２始動入賞記憶表示エリア５ＨＲなどにて特図保留記憶数を特定可能に表示するために、第２特図保留記憶数を通知する第２保留記憶数通知コマンドである。
【０１４４】
例えば、保留記憶情報として送信されるコマンドは、第１始動入賞口に始動入賞したか、第２始動入賞口に始動入賞したかを指定する第１始動口入賞指定コマンドや第２始動口入賞指定コマンドを送信するとともに、第１特図保留記憶数や第２特図保留記憶数を指定する第１保留記憶数通知コマンドや第２保留記憶数通知コマンドを送信する。なお、保留記憶数が増加したときに、第１特図保留記憶数又は第２特図保留記憶数が増加したことを示す保留記憶数加算指定コマンド（第１保留記憶数加算指定コマンド又は第２保留記憶数加算指定コマンド）を送信する一方、保留記憶数が減少したときに、第１特図保留記憶数又は第２特図保留記憶数が減少したことを示す保留記憶数減算指定コマンド（第１保留記憶数減算指定コマンド又は第２保留記憶数減算指定コマンド）を送信するようにしてもよい。
【０１４５】
なお、第１保留記憶数通知コマンドや第２保留記憶数通知コマンドに代えて、合計保留記憶数を通知する合計保留記憶数通知コマンドを送信するようにしてもよい。また、合計保留記憶数の増加（又は減少）を通知するための合計保留記憶数加算指定コマンド（合計保留記憶数減算指定コマンド）を送信するようにしてもよい。
【０１４６】
コマンドＣ４ＸＸＨ及びコマンドＣ６ＸＸＨは、入賞時判定結果の内容を示す演出制御コマンド（入賞時判定結果指定コマンド）である。このうち、コマンドＣ４ＸＸＨは、入賞時判定結果として、可変表示結果が「大当り」となるか否かの判定結果、大当り種別の判定結果を示す図柄指定コマンドである。また、コマンドＣ６ＸＸＨは、入賞時判定結果として、変動カテゴリ（「変動パターン種別」とも称する）の判定結果を示す変動カテゴリコマンドである。変動カテゴリとは、飾り図柄の変動パターンを種類別に分類（集約）したときの名称である。換言すれば、変動カテゴリとは、共通のグループにカテゴライズされる１以上の飾り図柄の変動パターンを含む、各グループのグループ名である。
【０１４７】
本実施形態では、入賞時乱数値判定処理（図１５（Ａ））において、始動入賞の発生時に、特図表示結果決定用の乱数値ＭＲ１に基づいて可変表示結果が「大当り」に決定されるか否かを判定し、「大当り」に決定された場合には、大当り種別決定用の乱数値ＭＲ２に基づいて大当りの種別を判定し、変動カテゴリ決定用の乱数値ＭＲ３に基づいて変動カテゴリ（変動パターン種別）を判定する。そして、図柄指定コマンドや変動カテゴリコマンドのＥＸＴデータに、その判定結果に対応する値を設定し、演出制御基板１２に対して送信する制御を行う。演出制御基板１２に搭載された演出制御用ＣＰＵ１２０は、図柄指定コマンドに設定されている値に基づいて、可変表示結果が「大当り」に決定されるか否かや大当り種別を認識できるとともに、変動カテゴリコマンドに設定されている値に基づいて変動カテゴリを認識できる。
【０１４８】
なお、変動パターン指定コマンドや可変表示結果通知コマンドなどの演出制御コマンドは、演出制御用ＣＰＵ１２０が、１以上の演出装置（画像表示装置５、スピーカ８、ランプ９など）を制御する際に用いられる。以下、画像表示装置５における画像表示動作の制御に用いられる演出制御コマンドを表示制御コマンド、スピーカ８からの音声出力を制御するために用いられる演出制御コマンドを音声制御コマンド、ランプ９の発光動作（点灯動作、点滅動作、消灯動作）を制御するために用いられる演出制御コマンドをランプ制御コマンドとも称する。なお、演出制御コマンドのうちには、表示制御コマンド、かつ、音声制御コマンド、かつ、ランプ制御コマンドであるものが存在してもよい。
【０１４９】
主基板１１に搭載された遊技制御用マイクロコンピュータ１００は、例えば１チップのマイクロコンピュータであり、遊技制御用のプログラムや固定データ等を記憶するＲＯＭ（Ｒｅａｄ  Ｏｎｌｙ  Ｍｅｍｏｒｙ）１０１と、遊技制御用のワークエリアを提供するＲＡＭ（Ｒａｎｄｏｍ  Ａｃｃｅｓｓ  Ｍｅｍｏｒｙ）１０２と、遊技制御用のプログラムを実行して制御動作を行うＣＰＵ（Ｃｅｎｔｒａｌ  Ｐｒｏｃｅｓｓｉｎｇ  Ｕｎｉｔ）１０３と、ＣＰＵ１０３とは独立して乱数値を示す数値データの更新を行う乱数回路１０４と、Ｉ／Ｏ（Ｉｎｐｕｔ／Ｏｕｔｐｕｔ  ｐｏｒｔ）１０５と、を備えて構成される。
【０１５０】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【０１５１】
図４は、主基板１１の側においてカウントされる乱数値を例示する説明図である。図４に示すように、本実施形態では、主基板１１の側において、特図表示結果決定用の乱数値ＭＲ１、大当り種別決定用の乱数値ＭＲ２、変動カテゴリ決定用の乱数値ＭＲ３、普図表示結果決定用の乱数値ＭＲ４、変動パターン決定用の乱数値ＭＲ５のそれぞれを示す数値データが、カウント可能に制御される。なお、遊技効果を高めるために、これら以外の乱数値が用いられてもよい。こうした遊技の進行を制御するために用いられる乱数は、遊技用乱数ともいう。
【０１５２】
乱数回路１０４は、これらの乱数値ＭＲ１〜ＭＲ５の一部又は全部を示す数値データをカウントするものであればよい。ＣＰＵ１０３は、例えば図８に示す遊技制御カウンタ設定部１５４に設けられたランダムカウンタといった、乱数回路１０４とは異なるランダムカウンタを用いて、ソフトウェアによって各種の数値データを更新することで、乱数値ＭＲ１〜ＭＲ５の一部を示す数値データをカウントするようにしてもよい。
【０１５３】
続いて、飾り図柄の変動パターンについて説明する。以下、可変表示結果が「ハズレ」となる場合に対応した変動パターンを「ハズレ変動パターン」と称する。ハズレ変動パターンには、可変表示結果が「ハズレ」となる場合のうち飾り図柄の可変表示態様が「非リーチ」となる場合に対応した「非リーチ変動パターン（「非リーチハズレ変動パターン」「非リーチ（ハズレ）変動パターン」とも称する）」や、可変表示結果が「ハズレ」となる場合のうち飾り図柄の可変表示態様が「リーチ」となる場合に対応した「リーチ変動パターン（「リーチハズレ変動パターン」とも称する）」が含まれる。
【０１５４】
また、可変表示結果が「大当り」となる場合に対応した変動パターンを「当たり変動パターン」と称する。当たり変動パターンには、可変表示結果が「大当り」である場合に対応した「大当り変動パターン」や、可変表示結果が「小当り」である場合に対応した「小当り変動パターン」が含まれてもよい。大当り変動パターンとして、大当り種別の夫々に対応した複数の変動パターンを用意しておいてもよい。
【０１５５】
非リーチ変動パターンには、合計保留記憶数が多い場合や、遊技状態が確変状態や時短状態である場合に実行される時短制御に対応し、変動時間が異なる複数の変動パターンを用意しておくとよい。これにより、合計保留記憶数や遊技状態に応じて、何れかの変動パターンが選択されることで、合計保留記憶数や遊技状態に応じて変動時間を短縮する制御が可能になる。
【０１５６】
大当り変動パターンやリーチ変動パターンなどのようにリーチ演出を含む変動パターンには、夫々のリーチ演出のリーチ態様に応じた変動パターンが用意されている。なお、ノーマルリーチのリーチ演出が実行される変動パターンを「ノーマルリーチ変動パターン」と称し、スーパーリーチのリーチ演出が実行される変動パターンを「スーパーリーチ変動パターン」と称する。
【０１５７】
図５は、本実施形態における変動カテゴリ及び変動パターンの具体例を示している。図５において、変動カテゴリ「ＰＡ１」は、短縮・非リーチ（ハズレ）変動カテゴリである。変動カテゴリ「ＰＡ１」には、変動パターン「ＰＡ１−１」が属している。変動カテゴリ「ＰＡ２」は、非リーチ（ハズレ）変動カテゴリである。変動カテゴリ「ＰＡ２」には、変動パターン「ＰＡ２−１」〜「ＰＡ２−３」が属している。変動カテゴリ「ＰＡ３」は、ノーマルリーチ（ハズレ）変動カテゴリである。変動カテゴリ「ＰＡ３」には、変動パターン「ＰＡ３−１」と「ＰＡ３−２」とが属している。変動カテゴリ「ＰＡ４」は、スーパーリーチα（ハズレ）変動カテゴリである。変動カテゴリ「ＰＡ４」には、変動パターン「ＰＡ４−１」〜「ＰＡ４−４」が属している。変動カテゴリ「ＰＡ５」は、スーパーリーチβ（ハズレ）変動カテゴリである。変動カテゴリ「ＰＡ５」には、変動パターン「ＰＡ５−１」〜「ＰＡ５−４」が属している。変動カテゴリ「ＰＢ３」は、ノーマルリーチ（大当り）変動カテゴリである。変動カテゴリ「ＰＢ３」には、変動パターン「ＰＢ３−１」と「ＰＢ３−２」とが属している。変動カテゴリ「ＰＢ４」は、スーパーリーチα（大当り）変動カテゴリである。変動カテゴリ「ＰＢ４」には、変動パターン「ＰＢ４−１」〜「ＰＢ４−４」が属している。変動カテゴリ「ＰＢ５」は、スーパーリーチβ（大当り）変動カテゴリである。変動カテゴリ「ＰＢ５」には、変動パターン「ＰＢ５−１」〜「ＰＢ５−４」が属している。
【０１５８】
変動カテゴリ「ＰＡ２」に属する変動パターン「ＰＡ２−１」は、特図変動時間が通常の長さである非リーチ（ハズレ）変動パターンである。変動パターン「ＰＡ２−２」は、滑り演出が実行される非リーチ（ハズレ）変動パターンである。なお、変動パターン「ＰＡ２−２」の特図変動時間は、滑り演出が実行されるため、変動パターン「ＰＡ２−１」の特図変動時間よりも長くなっている。滑り演出が実行される他の変動パターンについても同様である。また、変動パターン「ＰＡ２−３」は、擬似連変動（演出）が１回実行される非リーチ（ハズレ）変動パターンである。なお、変動パターン「ＰＡ２−３」の特図変動時間は、擬似連変動（演出）が実行されるため、変動パターン「ＰＡ２−１」の特図変動時間よりも長くなっている。擬似連変動（演出）が実行される他の変動パターンについても同様である。変動カテゴリ「ＰＡ１」に属する変動パターン「ＰＡ１−１」は、変動パターン「ＰＡ２−１」よりも特図変動時間が短縮された非リーチ（ハズレ）変動パターンである。
【０１５９】
変動カテゴリ「ＰＡ３」に属する変動パターン「ＰＡ３−１」は、特図変動時間が通常の長さであるノーマルリーチ（ハズレ）変動パターンである。また、変動パターン「ＰＡ３−２」は、擬似連変動（演出）が１回実行されるノーマルリーチ（ハズレ）変動パターンである。変動カテゴリ「ＰＡ４」に属する変動パターン「ＰＡ４−１」は、特図変動時間が通常の長さであるスーパーリーチα（ハズレ）変動パターンである。変動パターン「ＰＡ４−２」は、ガセとして擬似連変動（演出）が実行されるスーパーリーチα（ハズレ）変動パターンである。なお、変動パターン「ＰＡ４−２」の特図変動時間は、ガセとして擬似連変動（演出）が実行されるため、変動パターン「ＰＡ４−１」の特図変動時間よりも長くなっている。ガセとして擬似連変動（演出）が実行される他の変動パターンについても同様である。  変動パターン「ＰＡ４−３」は、擬似連変動（演出）が１回実行されるスーパーリーチα（ハズレ）変動パターンである。また、変動パターン「ＰＡ４−４」は、擬似連変動（演出）が２回実行されるスーパーリーチα（ハズレ）変動パターンである。
【０１６０】
変動カテゴリ「ＰＡ５」に属する変動パターン「ＰＡ５−１」は、特図変動時間が通常の長さであるスーパーリーチβ（ハズレ）変動パターンである。変動パターン「ＰＡ５−２」は、ガセとして擬似連変動（演出）が実行されるスーパーリーチβ（ハズレ）変動パターンである。変動パターン「ＰＡ５−３」は、擬似連変動（演出）が１回実行されるスーパーリーチβ（ハズレ）変動パターンである。また、変動パターン「ＰＡ５−４」は、擬似連変動（演出）が２回実行されるスーパーリーチβ（ハズレ）変動パターンである。
【０１６１】
変動カテゴリ「ＰＢ３」に属する変動パターン「ＰＢ３−１」は、特図変動時間が通常の長さであるノーマルリーチ（大当り）変動パターンである。また、変動パターン「ＰＢ３−２」は、擬似連変動（演出）が１回実行されるノーマルリーチ（大当り）変動パターンである。変動カテゴリ「ＰＢ４」に属する変動パターン「ＰＢ４−１」は、特図変動時間が通常の長さであるスーパーリーチα（大当り）変動パターンである。変動パターン「ＰＢ４−２」は、ガセとして擬似連変動（演出）が実行されるスーパーリーチα（大当り）変動パターンである。変動パターン「ＰＢ４−３」は、擬似連変動（演出）が１回実行されるスーパーリーチα（大当り）変動パターンである。また、変動パターン「ＰＢ４−４」は、擬似連変動（演出）が２回実行されるスーパーリーチα（大当り）変動パターンである。
【０１６２】
変動カテゴリ「ＰＢ５」に属する変動パターン「ＰＢ５−１」は、特図変動時間が通常の長さであるスーパーリーチβ（大当り）変動パターンである。変動パターン「ＰＢ５−２」は、ガセとして擬似連変動（演出）が実行されるスーパーリーチβ（大当り）変動パターンである。変動パターン「ＰＢ５−３」は、擬似連変動（演出）が１回実行されるスーパーリーチβ（大当り）変動パターンである。また、変動パターン「ＰＢ５−４」は、擬似連変動（演出）が２回実行されるスーパーリーチβ（大当り）変動パターンである。
【０１６３】
なお、本実施形態では２Ｒ確変大当り（突確）を設けないが、２Ｒ確変大当り（突確）を設ける場合には、２Ｒ確変大当り（突確）用の変動カテゴリ「ＰＣ１」、「ＰＣ２」、「ＰＣ３」を設けてもよい。変動カテゴリ「ＰＣ１」には、変動パターン「ＰＣ１−１」〜「ＰＣ１−３」が属している。変動パターン「ＰＣ１−１」は、特図変動時間が通常の長さである非リーチ（突確）変動パターンである。変動パターン「ＰＣ１−２」は、滑り演出が実行される非リーチ（突確）変動パターンである。変動パターン「ＰＣ１−３」は、擬似連変動（演出）が１回実行される非リーチ（突確）変動パターンである。
【０１６４】
変動カテゴリ「ＰＣ２」には、変動パターン「ＰＣ２−１」〜「ＰＣ２−４」が属している。変動パターン「ＰＣ２−１」は、特図変動時間が通常の長さであるスーパーリーチα（突確）変動パターンである。変動パターン「ＰＣ２−２」は、ガセとして擬似連変動（演出）が実行されるスーパーリーチα（突確）変動パターンである。変動パターン「ＰＣ２−３」は、擬似連変動（演出）が１回実行されるスーパーリーチα（突確）変動パターンである。変動パターン「ＰＣ２−４」は、擬似連変動（演出）が２回実行されるスーパーリーチα（突確）変動パターンである。
【０１６５】
変動カテゴリ「ＰＣ３」には、変動パターン「ＰＣ３−１」〜「ＰＣ３−４」が属している。変動パターン「ＰＣ３−１」は、特図変動時間が通常の長さであるスーパーリーチβ（突確）変動パターンである。変動パターン「ＰＣ３−２」は、ガセとして擬似連変動（演出）が実行されるスーパーリーチβ（突確）変動パターンである。変動パターン「ＰＣ３−３」は、擬似連変動（演出）が１回実行されるスーパーリーチβ（突確）変動パターンである。変動パターン「ＰＣ３−４」は、擬似連変動（演出）が２回実行されるスーパーリーチβ（突確）変動パターンである。
【０１６６】
図２に示す遊技制御用マイクロコンピュータ１００が備えるＲＯＭ１０１には、ゲーム制御用のプログラムの他にも、遊技の進行を制御するために用いられる各種のデータが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するデータ（例えば、制御コマンドの内容を特定する情報）や、各種のテーブルを構成するデータなどが記憶されている。
【０１６７】
図６は、ＲＯＭ１０１に記憶される表示結果決定テーブルの構成例を示している。図６に示す表示結果決定テーブル１３０Ａは、例えば、第１特別図柄表示装置４Ａによる第１特図ゲーム（第１特図を用いた特図ゲーム）において可変表示結果となる確定特別図柄が導出表示される以前に、その可変表示結果を「大当り（１６Ｒ確変大当り、８Ｒ確変大当り）」として大当り遊技状態に制御するか否かを、特図表示結果決定用の乱数値ＭＲ１に基づいて決定するために参照されるテーブルである。また、表示結果決定テーブル１３０Ａは、第２特別図柄表示装置４Ｂによる第２特図ゲーム（第２特図を用いた特図ゲーム）において可変表示結果となる確定特別図柄が導出表示される以前に、その可変表示結果を「大当り（１６Ｒ確変大当り、８Ｒ確変大当り）」として大当り遊技状態に制御するか否かを、特図表示結果決定用の乱数値ＭＲ１に基づいて決定するために参照されるテーブルである。
【０１６８】
表示結果決定テーブル１３０Ａでは、パチンコ遊技機１における遊技状態に応じて、特図表示結果決定用の乱数値ＭＲ１と比較される数値（決定値）が、「大当り（１６Ｒ確変大当り、８Ｒ確変大当り）」や「ハズレ」の特図表示結果に割り当てられている。具体的には、表示結果決定テーブル１３０Ａでは、低確低ベース状態であるか、高確高ベース状態であるかに応じて、特図表示結果決定用の乱数値ＭＲ１と比較される数値（決定値）が、「大当り」や「ハズレ」の特図表示結果に割り当てられている。
【０１６９】
表示結果決定テーブル１３０Ａでは、遊技状態が高確高ベース状態であるときに、遊技状態が低確低ベース状態であるときよりも多くの決定値が、「大当り」の特図表示結果に割り当てられている。具体的には、低確低ベース状態では所定個数（具体的には１９０個）の決定値（「８０００」〜「８１８９」の範囲の値）が「大当り」の特図表示結果に割り当てられている。一方、高確高ベース状態では所定個数よりも多い個数（具体的には８１９個）の決定値「８０００」〜「８８１８」が「大当り」の特図表示結果に割り当てられている。このような設定により、パチンコ遊技機１において確変制御が行われる確変状態（高確状態）では、通常状態又は時短状態（低確状態）であるときに比べて、特図表示結果を「大当り」として大当り遊技状態に制御すると決定される確率が高くなる。
【０１７０】
なお、第１特図と第２特図とで異なる表示結果決定テーブルを用い、第１特図用の第１特図表示結果決定テーブルでは、「小当り」の特図表示結果に所定範囲の決定値が割り当てられるようにし、第２特図用の第２特図表示結果決定テーブルでは、第１特図表示結果決定テーブルよりも少ない所定範囲の決定値が「小当り」の特図表示結果に割り当てられるようにしてもよい。これにより、普通可変入賞球装置６Ｂが形成する第２始動入賞口に遊技球が進入しやすい遊技状態における「小当り」の頻発を回避することができる。
【０１７１】
図７は、ＲＯＭ１０１に記憶される大当り種別決定テーブル１３１の構成例を示している。大当り種別決定テーブル１３１は、特図表示結果を「大当り」として大当り遊技状態に制御すると決定されたときに、大当り種別決定用の乱数値ＭＲ２に基づき、大当り種別を複数種類の何れかに決定するために参照されるテーブルである。大当り種別決定テーブル１３１では、第１特別図柄表示装置４Ａによる第１特図ゲーム（第１特図を用いた特図ゲーム）を実行するか、第２特別図柄表示装置４Ｂによる第２特図ゲーム（第２特図を用いた特図ゲーム）を実行するかに応じて、大当り種別決定用の乱数値ＭＲ２と比較される数値（決定値）が、夫々の大当り種別（１６Ｒ確変大当り、８Ｒ確変大当り）に割り当てられている。
【０１７２】
大当り種別決定テーブル１３１の設定例では、第１特図ゲームである場合、すなわち、変動させる特図（変動特図とも称する）が第１特図である場合には、所定個数（具体的には５０個）の決定値（「０」〜「４９」の範囲の値）が１６Ｒ確変大当りに割り当てられている。一方、第２特図ゲームである場合、すなわち、変動特図が第２特図である場合には、所定個数よりも多い個数（具体的には８０個）の決定値（「０」〜「７９」の範囲の値）が１６Ｒ確変大当りに割り当てられている。このような設定により、第２特図ゲームでは、第１特図よりも１６Ｒ確変大当りとなりやすいので、普通可変入賞球装置６Ｂが形成する第２始動入賞口に遊技球が進入しやすい遊技状態（高確高ベース状態。具体的には大当り終了後の７０回転目迄）において、１６Ｒ確変大当りとなる期待感を高めることができる。
【０１７３】
なお、本実施形態では２Ｒ確変大当り（突確）を設けないが、２Ｒ確変大当り（突確）を設ける場合には、第２特図ゲームである場合には、第１特図ゲームである場合よりも少ない個数の決定値を２Ｒ確変大当り（突確）に割り当ててもよい。このような設定により、第２特図ゲームでは、第１特図よりも２Ｒ確変大当り（突確）となり難いので、普通可変入賞球装置６Ｂが形成する第２始動入賞口に遊技球が進入しやすい遊技状態において、賞球を得ることが困難な２Ｒ確変大当り（突確）の発生を回避して、遊技の間延びによる遊技興趣の低下を防止することができる。
【０１７４】
また、ＲＯＭ１０１には、変動カテゴリを複数種類のうちの何れかに決定するために参照される変動カテゴリ決定テーブルが記憶されている。具体的には、ＲＯＭ１０１には、当該変動カテゴリ決定テーブルにおいて決定され得る変動カテゴリの種類や夫々の決定割合などが互いに異なる複数の変動カテゴリ決定テーブルが記憶されている。変動カテゴリ決定テーブルには、変動カテゴリの夫々に、変動カテゴリ決定用の乱数値ＭＲ３と比較される数値（決定値）が割り当てられている。つまり、ＲＯＭ１０１には、複数種類の変動カテゴリのうち少なくとも１つの変動カテゴリに割り当てられている上記決定値（例えば、決定値の範囲や個数など）が互いに異なる複数の変動カテゴリ決定テーブルが記憶されている。なお、複数の変動カテゴリ決定テーブルに代えて、全部の変動カテゴリ決定テーブルの情報を含む１つの大きな変動カテゴリ決定テーブルをＲＯＭ１０１に記憶してもよい。
【０１７５】
また、ＲＯＭ１０１には、変動パターンを複数種類のうちの何れかに決定するために参照される変動パターン決定テーブルが記憶されている。具体的には、ＲＯＭ１０１には、当該変動パターン決定テーブルにおいて決定され得る変動パターンの種類や夫々の決定割合などが互いに異なる複数の変動パターン決定テーブルが記憶されている。変動パターン決定テーブルには、変動パターンの夫々に、変動パターン決定用の乱数値ＭＲ５と比較される数値（決定値）が割り当てられている。つまり、ＲＯＭ１０１には、複数種類の変動パターンのうち少なくとも１つの変動パターンに割り当てられている上記決定値（例えば、決定値の範囲や個数など）が互いに異なる複数の変動パターン決定テーブルが記憶されている。なお、複数の変動パターン決定テーブルに代えて、夫々の変動パターン決定テーブルの情報を含む１つの大きな変動パターン決定テーブルをＲＯＭ１０１に記憶してもよい。
【０１７６】
図２に示す遊技制御用マイクロコンピュータ１００が備えるＲＡＭ１０２は、その一部又は全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部又は全部の内容は保存される。特に、少なくとも、遊技状態すなわち遊技制御手段の制御状態に応じたデータと未払出賞球数を示すデータは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータ（例えば特図プロセスフラグなど）である。また、制御状態に応じたデータと未払出賞球数を示すデータとを遊技の進行状態を示すデータと定義する。
【０１７７】
このようなＲＡＭ１０２には、パチンコ遊技機１における遊技の進行などを制御するために用いられる各種のデータを保持する領域として、例えば図８に示すような遊技制御用データ保持エリア１５０が設けられている。図８に示す遊技制御用データ保持エリア１５０は、第１特図保留記憶部１５１Ａと、第２特図保留記憶部１５１Ｂと、普図保留記憶部１５１Ｃと、遊技制御フラグ設定部１５２と、遊技制御タイマ設定部１５３と、遊技制御カウンタ設定部１５４と、遊技制御バッファ設定部１５５と、を備えている。
【０１７８】
第１特図保留記憶部１５１Ａは、普通入賞球装置６Ａが形成する第１始動入賞口を遊技球が通過（進入）して第１始動入賞が発生したものの未だ開始されていない特図ゲーム（第１特別図柄表示装置４Ａによる第１特図ゲーム）の保留データ（第１特図保留情報）を記憶する。一例として、第１特図保留記憶部１５１Ａは、第１始動入賞口への入賞順（遊技球の検出順）に保留番号と関連付けて、その遊技球の通過（進入）に基づいてＣＰＵ１０３により乱数回路１０４等から抽出された乱数値ＭＲ１〜ＭＲ３を示す数値データなどを保留データ（第１特図保留情報）として、その記憶数が所定の上限値（例えば「４」）に達するまで記憶する。
【０１７９】
第２特図保留記憶部１５１Ｂは、普通可変入賞球装置６Ｂが形成する第２始動入賞口を遊技球が通過（進入）して第２始動入賞が発生したものの未だ開始されていない特図ゲーム（第２特別図柄表示装置４Ｂによる第２特図ゲーム）の保留データ（第２特図保留情報）を記憶する。一例として、第２特図保留記憶部１５１Ｂは、第２始動入賞口への入賞順（遊技球の検出順）に保留番号と関連付けて、その遊技球の通過（進入）に基づいてＣＰＵ１０３により乱数回路１０４等から抽出された乱数値ＭＲ１〜ＭＲ３を示す数値データなどを保留データ（第２特図保留情報）として、その記憶数が所定の上限値（例えば「４」）に達するまで記憶する。
【０１８０】
なお、第１特別図柄表示装置４Ａによる第１特図ゲームの保留データ（第１始動条件の成立に基づく第１特図保留情報）と、第２特別図柄表示装置４Ｂによる第２特図ゲームの保留データ（第２始動入賞の成立に基づく第２特図保留情報）とを、共通の保留記憶部にて保留番号と対応付けて記憶するようにしてもよい。
【０１８１】
普図保留記憶部１５１Ｃは、通過ゲート４１を通過した遊技球がゲートスイッチ２１によって検出されたにもかかわらず、未だ普通図柄表示器２０により開始されていない普図ゲームに関する保留データ（普図保留情報）を記憶する。例えば、普図保留記憶部１５１Ｃは、遊技球が通過ゲート４１を通過した順に保留番号と対応付けて、その遊技球の通過に基づいてＣＰＵ１０３により乱数回路１０４等から抽出された普図表示結果決定用の乱数値ＭＲ４を示す数値データなどを保留データ（普図保留情報）として、その記憶数が所定の上限値（例えば「４」）に達するまで記憶する。
【０１８２】
遊技制御フラグ設定部１５２には、パチンコ遊技機１における遊技の進行状況などに応じて状態を更新可能な複数種類のフラグが設けられている。例えば、遊技制御フラグ設定部１５２には、複数種類のフラグそれぞれについて、フラグの値を示すデータや、オン状態あるいはオフ状態を示すデータが記憶される。具体的な一例として、遊技制御フラグ設定部１５２には、確変フラグや時短フラグなどのそれぞれについて、フラグの値を示すデータや、オン状態あるいはオフ状態を示すデータなどが記憶される。
【０１８３】
遊技制御タイマ設定部１５３には、パチンコ遊技機１における遊技の進行を制御するために用いられる各種のタイマが設けられている。例えば、遊技制御タイマ設定部１５３には、複数種類のタイマそれぞれにおけるタイマ値を示すデータが記憶される。
【０１８４】
遊技制御カウンタ設定部１５４には、パチンコ遊技機１における遊技の進行を制御するために用いられるカウント値を計数するためのカウンタが複数種類設けられている。例えば、遊技制御カウンタ設定部１５４には、第１特図保留記憶数を計数するための第１保留記憶数カウンタの格納値である第１保留記憶数カウント値、第２特図保留記憶数を計数するための第２保留記憶数カウンタの格納値である第２保留記憶数カウント値、合計保留記憶数を計数するための合計保留記憶数カウンタの格納値である合計保留記憶数カウント値などが記憶される。また、遊技制御カウンタ設定部１５４には、ＳＴ回数（確変回数）および時短回数の一方または両方を計数するための変動数カウンタの格納値である変動数カウント値、なども記憶される。
【０１８５】
遊技制御バッファ設定部１５５には、パチンコ遊技機１における遊技の進行を制御するために用いられるデータを一時的に記憶する各種のバッファが設けられている。例えば、遊技制御バッファ設定部１５５には、複数種類のバッファそれぞれにおけるバッファ値を示すデータが記憶される。
【０１８６】
図２に示す遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【０１８７】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【０１８８】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【０１８９】
演出制御用ＣＰＵ１２０、ＲＯＭ１２１、ＲＡＭ１２２は、演出制御基板１２に搭載された１チップの演出制御用マイクロコンピュータに含まれてもよい。
【０１９０】
演出制御基板１２には、画像表示装置５に対する演出画像を示す情報信号（映像信号）を伝送するための配線や、音声制御基板１３に対する指令を示す情報信号（演出音信号）を伝送するための配線、ランプ制御基板１４に対する指令を示す情報信号（電飾信号）を伝送するための配線などが接続されている。さらに、演出制御基板１２には、スティックコントローラ３１Ａに対する遊技者の操作行為を検出したことを示す情報信号（操作検出信号）を、コントローラセンサユニット３５Ａから伝送するための配線や、プッシュボタン３１Ｂに対する遊技者の操作行為を検出したことを示す情報信号（操作検出信号）を、プッシュセンサ３５Ｂから伝送するための配線も接続されている。
【０１９１】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。
【０１９２】
図２に示す演出制御基板１２に搭載されたＲＯＭ１２１には、演出制御用のプログラムの他にも、演出動作を制御するために用いられる各種のデータが格納されている。例えば、ＲＯＭ１２１には、演出制御用ＣＰＵ１２０が各種の判定や決定、設定を行うために用意された複数の判定テーブルや決定テーブル、設定テーブルなどを構成するデータが記憶されている。
【０１９３】
具体的には、ＲＯＭ１２１には、保留演出を実行するための各種のテーブルが記憶されている。例えば、ＲＯＭ１２１には、第１保留表示の追加時保留演出を実行するためのテーブルとして、第１始動入賞記憶表示エリア５ＨＬに表示される第１保留表示の表示態様を複数種類のうちの何れかに決定するために参照される第１保留表示態様決定テーブルが記憶されていてもよい。具体的には、ＲＯＭ１２１には、当該第１保留表示態様決定テーブルにおいて決定され得る表示態様の種類や夫々の決定割合などが互いに異なる複数の第１保留表示態様決定テーブルが記憶されていてもよい。夫々の第１保留表示態様決定テーブルには、第１保留表示の表示態様の夫々に、追加時の第１保留表示の表示態様決定用の乱数値（非図示）と比較される数値（決定値）が割り当てられていてもよい。なお、複数の第１保留表示態様決定テーブルに代えて、全部の第１保留表示態様決定テーブルの情報を含む１つの大きな第１保留表示態様決定テーブルをＲＯＭ１２１に記憶してもよい。同様に、ＲＯＭ１２１には、第１保留表示の追加時保留演出を実行するためのテーブルとして、第２始動入賞記憶表示エリア５ＨＲに表示される第２保留表示の表示態様を複数種類のうちの何れかに決定するために参照される第２保留表示態様決定テーブルが記憶されていてもよい。
【０１９４】
また、ＲＯＭ１２１には、第１保留表示の保留変化演出の実行に関するテーブルとして、第１始動入賞記憶表示エリア５ＨＬに既に表示されている第１保留表示の表示態様を他の表示態様に変化させるか否かを決定するために参照される第１保留変化有無決定テーブルや、他の表示態様に変化させると決定した場合に更に複数種類のうちのいずれの表示態様に変化させるかを決定するために参照される第１保留変化態様決定テーブルが記憶されていてもよい。具体的には、ＲＯＭ１２１には、他の表示態様への変化あり、他の表示態様への変化なしの決定割合が互いに異なる複数の第１保留変化有無決定テーブルや、当該第１保留変化態様決定テーブルにおいて決定され得る表示態様の種類や夫々の決定割合などが互いに異なる複数の第１保留変化態様決定テーブルが記憶されていてもよい。夫々の第１保留変化有無決定テーブルには、変化あり、変化なしの夫々に、変化有無決定用の乱数値（非図示）と比較される数値（決定値）が割り当てられていてもよい。夫々の第１保留変化態様決定テーブルには、第１保留表示の表示態様の夫々に、変化後の第１保留表示の表示態様決定用の乱数値（非図示）と比較される数値（決定値）が割り当てられていてもよい。なお、複数の第１保留変化有無決定テーブルに代えて、全部の第１保留変化有無決定テーブルの情報を含む１つの大きな第１保留変化有無決定テーブルをＲＯＭ１２１に記憶してもよい。また、複数の第１保留変化態様決定テーブルに代えて、全部の第１保留変化態様決定テーブルの情報を含む１つの大きな第１保留変化態様決定テーブルをＲＯＭ１２１に記憶してもよい。同様に、ＲＯＭ１２１には、第２保留表示の保留変化演出の実行に関するテーブルとして、第２始動入賞記憶表示エリア５ＨＲに既に表示されている第２保留表示の表示態様を他の表示態様に変化させるか否かを決定するために参照される第２保留変化有無決定テーブルや、他の表示態様に変化させると決定した場合に更に複数種類のうちのいずれの表示態様に変化させるかを決定するために参照される第２保留変化態様決定テーブルが記憶されていてもよい。
【０１９５】
なお、ＲＯＭ１２１には、第１保留表示の保留変化演出の実行タイミング（何個後の変動において実行するかなどのタイミング）を決定するために参照される第１保留変化演出実行タイミング決定テーブルが記憶されていてもよい。具体的には、ＲＯＭ１２１には、当該第１保留変化演出実行タイミング決定テーブルにおいて決定され得る実行タイミングの種類や夫々の決定割合などが互いに異なる複数の第１保留変化演出実行タイミング決定テーブが記憶されていてもよい。夫々の第１保留変化演出実行タイミング決定テーブルには、実行タイミングの夫々に、第１保留変化演出の実行タイミング決定用の乱数値（非図示）と比較される数値（決定値）が割り当てられていればよい。また、複数の第１保留変化演出実行タイミング決定テーブルに代えて、全部の第１保留変化演出実行タイミング決定テーブルの情報を含む１つの大きな第１保留変化演出実行タイミング決定テーブルをＲＯＭ１２１に記憶してもよい。同様に、ＲＯＭ１２１には、第２保留表示の保留変化演出の実行タイミング（何個後の変動において実行するかなどのタイミング）を決定するために参照される第２保留変化演出実行タイミング決定テーブルが記憶されていてもよい。
【０１９６】
なお、第１保留表示態様決定テーブル、第１保留変化有無決定テーブル、第１保留変化態様決定テーブル、第１保留変化演出実行タイミング決定テーブルのうちの２以上のテーブルの情報を含む、テーブルをＲＯＭ１２１に記憶してもよい。
【０１９７】
また、ＲＯＭ１２１には、第１保留表示（または第２保留表示）の表示態様を他の表示態様に変化させると決定した場合にキャラクタ等を第１保留表示（または第２保留表示）に直接的に又は間接的に作用させる保留作用演出に関するテーブルとして、保留作用演出を実行するか否かを決定するために参照される作用演出実行有無決定テーブルが記憶されていてもよい。具体的には、ＲＯＭ１２１には、実行あり、実行なしの決定割合が互いに異なる複数の作用演出実行有無決定テーブルが記憶されていてもよい。夫々の作用演出実行有無決定テーブルには、実行あり、実行なしの夫々に、実行有無決定用の乱数値（非図示）と比較される数値（決定値）が割り当てられていてもよい。また、保留作用演出の演出態様が複数あるときには、保留作用演出を実行すると決定した場合に更に複数の演出態様のうちのいずれの演出態様とするかを決定するために参照される保留作用演出演出態様決定テーブルをＲＯＭ１２１に記憶してもよい。具体的には、当該保留作用演出演出態様決定テーブルにおいて決定され得る保留作用演出の演出態様の種類や夫々の決定割合などが互いに異なる複数の保留作用演出演出態様決定テーブルが記憶されていてもよい。夫々の保留作用演出演出態様決定テーブルには、演出態様の夫々に、保留作用演出の演出態様決定用の乱数値（非図示）と比較される数値（決定値）が割り当てられていてもよい。
【０１９８】
また、ＲＯＭ１２１には、第１保留表示（または第２保留表示）の表示態様を他の表示態様に変化させないと決定した場合にキャラクタ等を第１保留表示（または第２保留表示）に直接的に又は間接的に作用させる保留作用ガセ演出に関するテーブルとして、保留作用ガセ演出を実行するか否かを決定するために参照される作用ガセ演出実行有無決定テーブルが記憶されていてもよい。具体的には、ＲＯＭ１２１には、実行あり、実行なしの決定割合が互いに異なる複数の作用ガセ演出実行有無決定テーブルが記憶されていてもよい。夫々の作用ガセ演出実行有無決定テーブルには、実行あり、実行なしの夫々に、実行有無決定用の乱数値（非図示）と比較される数値（決定値）が割り当てられていてもよい。また、保留作用ガセ演出の演出態様が複数あるときには、保留作用ガセ演出を実行すると決定した場合に更に複数の演出態様のうちのいずれの演出態様とするかを決定するために参照される保留作用ガセ演出演出態様決定テーブルをＲＯＭ１２１に記憶してもよい。具体的には、当該保留作用ガセ演出演出態様決定テーブルにおいて決定され得る保留作用ガセ演出の演出態様の種類や夫々の決定割合などが互いに異なる複数の保留作用ガセ演出演出態様決定テーブルが記憶されていてもよい。夫々の保留作用ガセ演出演出態様決定テーブルには、演出態様の夫々に、保留作用ガセ演出の演出態様決定用の乱数値（非図示）と比較される数値（決定値）が割り当てられていてもよい。
【０１９９】
なお、アクティブ表示を含む特別画像を変化させるアクティブ表示変化演出（後述）を実行する場合には、ＲＯＭ１２１には、アクティブ表示変化演出に関するテーブルとして、アクティブ表示変化演出を実行するか否かを決定するために参照されるアクティブ表示変化演出実行有無決定テーブルが記憶されていてもよい。具体的には、ＲＯＭ１２１には、実行あり、実行なしの決定割合が互いに異なる複数のアクティブ表示変化演出実行有無決定テーブルが記憶されていてもよい。夫々のアクティブ表示変化演出実行有無決定テーブルには、実行あり、実行なしの夫々に、実行有無決定用の乱数値（非図示）と比較される数値（決定値）が割り当てられていてもよい。また、アクティブ表示変化演出の演出態様が複数あるときには、アクティブ表示変化演出を実行すると決定した場合に更に複数の演出態様のうちのいずれの演出態様とするかを決定するために参照されるアクティブ表示変化演出演出態様決定テーブルをＲＯＭ１２１に記憶してもよい。具体的には、当該アクティブ表示変化演出演出態様決定テーブルにおいて決定され得るアクティブ表示変化演出の演出態様の種類や夫々の決定割合などが互いに異なる複数のアクティブ表示変化演出演出態様決定テーブルが記憶されていてもよい。夫々のアクティブ表示変化演出演出態様決定テーブルには、演出態様の夫々に、アクティブ表示変化演出の演出態様決定用の乱数値（非図示）と比較される数値（決定値）が割り当てられていてもよい。
【０２００】
アクティブ表示変化演出とは、特別画像を予告態様に変化させる演出である。つまり、アクティブ表示や、アクティブ表示を囲うアクティブ表示枠や、アクティブ表示に応じた情報（例えば、アクティブ表示またはアクティブ表示周囲やアクティブ表示枠の周囲に表示される文字や画像など）などを予告態様に変化させる演出である。なお、アクティブ表示変化演出と少なくとも一部が共通する演出態様であるアクティブ表示変化ガセ演出を実行する場合があってもよい。なお、ステップアップ予告演出などの主予告演出として、アクティブ表示変化演出やアクティブ表示変化ガセ演出を実行してもよい。
【０２０１】
また、ＲＯＭ１２１には、演出制御用ＣＰＵ１２０が各種の演出装置（例えば画像表示装置５、スピーカ８、ランプ９、演出用模型など）による演出動作を制御するために用いられる複数の演出制御パターンを構成するデータなどが記憶されている。演出制御パターンがセットされることによって、飾り図柄などの種々の可変表示動作や予告演出（先読予告演出を含む）などが実現される。
【０２０２】
各種演出制御パターンは、パチンコ遊技機１における遊技の進行状況に応じて実行される各種の演出動作の制御内容を示すデータなどから構成されている。例えば、演出制御パターンは、複数種類の変動パターンに対応して、特図ゲームにおいて特別図柄の変動が開始されてから特図表示結果となる確定特別図柄が導出表示されるまでの期間における、飾り図柄の可変表示動作やリーチ演出、再抽選演出などにおける演出動作、あるいは、飾り図柄の可変表示を伴わない各種の演出動作（例えば、第１始動入賞記憶表示エリア５ＨＬにおける保留表示の表示態様に対する保留演出や、第２始動入賞記憶表示エリア５ＨＲにおける保留表示の表示態様に対する保留演出など）といった、様々な演出動作の制御内容を示すデータなどから構成されている。
【０２０３】
図９（Ａ）は、演出制御パターンの構成例を示している。演出制御パターンは、例えば演出制御プロセスタイマ判定値、表示制御データ、音声制御データ、ランプ制御データ、操作検出制御データ、終了コードといった、各種の演出動作を制御するための制御データから構成され、時系列的に、各種の演出制御の内容や、演出制御の切換タイミング等が設定されていればよい。その他にも、演出制御パターンには、例えば遊技領域の内部又は外部に設けられた可動部材における動作制御の内容等を指定する可動部材制御データなどが、含まれていてもよい。演出制御プロセスタイマ判定値は、演出制御用マイクロコンピュータ１２０に内蔵された演出制御用ＲＡＭの所定領域に設けられた演出制御プロセスタイマの値（演出制御プロセスタイマ値）と比較される値（判定値）であって、各演出動作の実行時間（演出時間）に対応した判定値が予め設定されている。なお、演出制御プロセスタイマ判定値に代えて、例えば主基板１１から所定の演出制御コマンドを受信したことや、演出制御用マイクロコンピュータ１２０において演出動作を制御するための処理として所定の処理が実行されたことといった、所定の制御内容や処理内容に対応して、演出制御の切換タイミング等を示すデータが設定されていてもよい。
【０２０４】
表示制御データには、例えば飾り図柄の可変表示中における各飾り図柄の変動態様を示すデータといった、画像表示装置５の表示領域における演出画像の表示態様を示すデータが含まれている。すなわち、表示制御データは、画像表示装置５の表示領域における演出画像の表示動作を指定するデータである。音声制御データには、例えば飾り図柄の可変表示中における飾り図柄の可変表示動作に連動した演出音等の出力態様を示すデータといった、スピーカ８からの音声出力態様を示すデータが含まれている。すなわち、音声制御データは、スピーカ８からの音声出力動作を指定するデータである。ランプ制御データには、例えばランプ９（発光体）の発光動作態様を示すデータが含まれている。すなわち、ランプ制御データは、ランプ９の発光動作（点灯動作、点滅動作、消灯動作）を指定するデータである。操作検出制御データには、例えば操作ボタン３０といった操作部に対する操作を有効に検出する期間や、有効に検出した場合における演出動作の制御内容等を示すデータが含まれている。すなわち、操作検出制御データは、操作部に対する操作に応じた演出動作を指定するデータである。なお、これらの制御データは、全ての演出制御パターンに含まれなければならないものではなく、各演出制御パターンによる演出動作の内容に応じて、一部の制御データを含んで構成される演出制御パターンがあってもよい。
【０２０５】
図９（Ｂ）は、演出制御パターンの内容に従って実行される各種の演出動作を説明するための図である。演出制御用ＣＰＵ１２０は、演出制御パターンに含まれる各種の制御データに従って、演出動作の制御内容を決定する。例えば、演出制御プロセスタイマ値が演出制御プロセスタイマ判定値の何れかと合致したときには、その演出制御プロセスタイマ判定値と対応付けられた表示制御データにより指定される態様で飾り図柄を表示させるとともに、キャラクタ画像や背景画像といった演出画像を画像表示装置５の画面上に表示させる制御を行う。また、音声制御データにより指定される態様でスピーカ８から音声を出力させる制御を行うとともに、ランプ制御データにより指定される態様でランプ９を発光させる制御を行い、操作検出制御データにより指定される、操作が有効な期間である操作有効期間にてスティックコントローラ３１Ａやプッシュボタン３１Ｂに対する操作を受け付けて演出内容を決定する制御を行う。なお、演出制御プロセスタイマ判定値と対応していても制御対象にならない演出用部品に対応するデータには、ダミーデータ（制御を指定しないデータ）が設定されてもよい。
【０２０６】
図９（Ｂ）に示す演出動作は、飾り図柄の変動が開始されてから最終停止するまでの期間全体に対応しているが、これに限定されるものではなく、飾り図柄の可変表示中における一部の期間（例えば予告演出を実行する期間など）に対応して演出動作を実行するための演出制御パターンが設けられてもよい。あるいは、飾り図柄の可変表示中以外の所定期間（例えば大当り遊技状態においてラウンドを実行中の期間や、大当り遊技状態の終了時にエンディング演出を実行する期間など）に対応して演出動作を実行するための演出制御パターンが設けられてもよい。
【０２０７】
演出制御パターンをセットする際には、該当する演出制御パターンを構成するパターンデータを、ＲＯＭ１２１から読み出してＲＡＭ１２２の所定領域に一時記憶させてもよいし、該当する演出制御パターンを構成するパターンデータのＲＯＭ１２１における記憶アドレスを、ＲＡＭ１２２の所定領域に一時記憶させて、ＲＯＭ１２１における記憶データの読出位置を指定するだけでもよい。その後、演出制御プロセスタイマ値が更新されるごとに、演出制御プロセスタイマ判定値の何れかと合致したか否かの判定を行い、合致した場合には、対応する各種の制御データに応じた演出動作の制御を行う。このように、演出制御用ＣＰＵ１２０は、演出制御パターンに含まれるプロセスデータ＃１〜プロセスデータ＃ｎ（ｎは任意の整数）の内容に従って、演出装置（画像表示装置５、スピーカ８、ランプ９、演出用模型が備える可動部材など）の制御を進行させる。なお、各プロセスデータ＃１〜プロセスデータ＃ｎにおいて、演出制御プロセスタイマ判定値＃１〜＃ｎと対応付けられた表示制御データ＃１〜表示制御データ＃ｎ、音声制御データ＃１〜音声制御データ＃ｎ、ランプ制御データ＃１〜ランプ制御データ＃ｎ、操作検出制御データ＃１〜操作検出制御データ＃ｎは、演出装置における演出動作の制御内容を示し、演出制御の実行を指定する演出制御実行データ＃１〜演出制御実行データ＃ｎを構成する。
【０２０８】
こうしてセットした演出制御パターンに従った指令が、演出制御用ＣＰＵ１２０から表示制御部１２３、音声制御基板１３、ランプ制御基板１４などに対して出力される。演出制御用ＣＰＵ１２０からの指令を受けた表示制御部１２３では、例えば所定のＶＤＰ等がその指令に示される画像データをＣＧＲＯＭ等の画像データメモリから読み出してＶＲＡＭに一時記憶させることなどにより展開させる。また、演出制御用ＣＰＵ１２０からの指令を受けた音声制御基板１３では、例えば音声合成用ＩＣがその指令に示される音声データを音声データＲＯＭから読み出して音声ＲＡＭ等に一時記憶させることなどにより展開させる。
【０２０９】
図２に示す演出制御基板１２に搭載されたＲＡＭ１２２には、演出動作を制御するために用いられる各種データを保持する領域として、例えば図１０（Ａ）に示すような演出制御用データ保持エリア１９０が設けられている。図１０（Ａ）に示す演出制御用データ保持エリア１９０は、演出制御フラグ設定部１９１と、演出制御タイマ設定部１９２と、演出制御カウンタ設定部１９３と、演出制御バッファ設定部１９４とを備えている。
【０２１０】
演出制御フラグ設定部１９１には、例えば画像表示装置５の画面上における演出画像の表示状態などといった演出動作状態や主基板１１から伝送された演出制御コマンド等に応じて状態を更新可能な複数種類のフラグが設けられている。例えば、演出制御フラグ設定部１９１には、複数種類のフラグそれぞれについて、フラグの値を示すデータや、オン状態あるいはオフ状態を示すデータが記憶される。具体的な一例として、演出制御フラグ設定部１９１には、確変フラグや時短フラグなどのそれぞれについて、確変フラグの値を示すデータや、オン状態あるいはオフ状態を示すデータなどが記憶される。
【０２１１】
演出制御タイマ設定部１９２には、例えば画像表示装置５の画面上における演出画像の表示動作などといった各種演出動作の進行を制御するために用いられる複数種類のタイマが設けられている。例えば、演出制御タイマ設定部１９２には、複数種類のタイマそれぞれにおけるタイマ値を示すデータが記憶される。
【０２１２】
演出制御カウンタ設定部１９３には、各種演出動作の進行を制御するために用いられる複数種類のカウンタが設けられている。例えば、演出制御カウンタ設定部１９３には、複数種類のカウンタそれぞれにおけるカウント値を示すデータが記憶される。また、演出制御カウンタ設定部１９３には、時短回数および確変回数の一方または両方を計数するための演出数カウンタの格納値である演出数カウント値を示すデータなども記憶される。
【０２１３】
演出制御バッファ設定部１９４には、各種演出動作の進行を制御するために用いられるデータを一時的に記憶する各種のバッファが設けられている。例えば、演出制御バッファ設定部１９４には、複数種類のバッファそれぞれにおけるバッファ値を示すデータが記憶される。
【０２１４】
本実施形態では、図１０（Ｂ）に示すような第１始動入賞時受信コマンドバッファ１９４Ａを構成するデータが、演出制御バッファ設定部１９４の所定領域に記憶される。第１始動入賞時受信コマンドバッファ１９４Ａには、合計保留記憶数の最大値（例えば「４」）に対応した格納領域（バッファ番号「１」〜「４」に対応した領域）が設けられている。第１始動入賞口への始動入賞があったときには、始動口入賞指定コマンド（第１始動口入賞指定コマンド）、図柄指定コマンド、変動カテゴリコマンド、保留記憶数通知コマンド（第１保留記憶数通知コマンド）という４つのコマンドを１セットとして、主基板１１から演出制御基板１２へと送信される。第１始動入賞時受信コマンドバッファ１９４Ａには、これらのコマンドのうち、図柄指定コマンド、変動カテゴリコマンド、第１保留記憶数通知コマンドを対応付けて格納できるように記憶領域が確保されている。
【０２１５】
演出制御用ＣＰＵ１２０は、第１始動入賞時に受信した順番でコマンドを第１始動入賞時受信コマンドバッファ１９４Ａの空き領域における先頭から格納していく。第１始動入賞時には、第１始動口入賞指定コマンド、図柄指定コマンド、変動カテゴリコマンド、第１保留記憶数通知コマンドの順にコマンド送信が行われる。従って、コマンド受信が正常に行われれば、図１０（Ｂ）に示すように、バッファ番号「１」〜「４」のそれぞれに対応する格納領域に、始動口入賞指定コマンド、図柄指定コマンド、変動カテゴリコマンド、第１保留記憶数通知コマンドの順に格納されていくことになる。なお、図１０（Ｂ）では、バッファ番号「１」〜「３」に対応する格納領域にてコマンドが格納されている。
【０２１６】
図１０（Ｂ）に示す第１始動入賞時受信コマンドバッファ１９４Ａに格納されているコマンドは、第１特図ゲームに同期して飾り図柄の可変表示が開始されるごとに１つずつ削除され、バッファ番号（コマンド同士の入賞順）を維持しつつ、以降のコマンドがシフトされる。具体的には、第１特図ゲームに連動して飾り図柄の可変表示が開始されるときには、第１始動口入賞指定コマンドに対応付けられているコマンドのうち最も小さいバッファ番号に対応した領域に格納されたコマンド（１セット）が１つ削除され、削除されたコマンドのバッファ番号よりも大きいバッファ番号に対応した領域に格納されているコマンド（第１始動口入賞指定コマンドに対応付けられているコマンド）が、入賞順（バッファ番号の大小関係）を維持しつつシフトされる。
【０２１７】
例えば、図１０（Ｂ）に示す格納状態において第１特図ゲームに同期して飾り図柄の可変表示が開始されるときには、バッファ番号「１」に対応した領域に格納されているコマンドが削除され、バッファ番号「２」に対応した領域に格納されているコマンドがバッファ番号「１」にシフトされ、バッファ番号「３」に対応した領域に格納されている各コマンドが、バッファ番号「２」にシフトされる。
【０２１８】
また、本実施形態では、図１０（Ｃ）に示すような第２始動入賞時受信コマンドバッファ１９４Ｂを構成するデータが、演出制御バッファ設定部１９４の所定領域に記憶される。第２始動入賞時受信コマンドバッファ１９４Ｂには、合計保留記憶数の最大値（例えば「４」）に対応した格納領域（バッファ番号「１」〜「４」に対応した領域）が設けられている。第２始動入賞口への始動入賞があったときには、始動口入賞指定コマンド（第２始動口入賞指定コマンド）、図柄指定コマンド、変動カテゴリコマンド、保留記憶数通知コマンド（第２保留記憶数通知コマンド）という４つのコマンドを１セットとして、主基板１１から演出制御基板１２へと送信される。第２始動入賞時受信コマンドバッファ１９４Ｂには、これらのコマンドのうち、図柄指定コマンド、変動カテゴリコマンド、保留記憶数通知コマンドを対応付けて格納できるように記憶領域が確保されている。
【０２１９】
演出制御用ＣＰＵ１２０は、第２始動入賞時に受信した順番でコマンドを第２始動入賞時受信コマンドバッファ１９４Ｂの空き領域における先頭から格納していく。第２始動入賞時には、第２始動口入賞指定コマンド、図柄指定コマンド、変動カテゴリコマンド、保留記憶数通知コマンドの順にコマンド送信が行われる。従って、コマンド受信が正常に行われれば、図１０（Ｃ）に示すように、バッファ番号「１」〜「４」のそれぞれに対応する格納領域に、第２始動口入賞指定コマンド、図柄指定コマンド、変動カテゴリコマンド、保留記憶数通知コマンドの順に格納されていくことになる。なお、図１０（Ｃ）では、バッファ番号「１」〜「２」に対応する格納領域にてコマンドが格納されている。
【０２２０】
図１０（Ｃ）に示す第２始動入賞時受信コマンドバッファ１９４Ｂに格納されているコマンドは、第２特図ゲームに同期して飾り図柄の可変表示が開始されるごとに１つずつ削除され、バッファ番号（コマンド同士の入賞順）を維持しつつ、以降のコマンドがシフトされる。具体的には、第２特図ゲームに連動して飾り図柄の可変表示が開始されるときには、第２始動口入賞指定コマンドに対応付けられているコマンドのうち最も小さいバッファ番号に対応した領域に格納されたコマンド（１セット）が１つ削除され、削除されたコマンドのバッファ番号よりも大きいバッファ番号に対応した領域に格納されているコマンド（第２始動口入賞指定コマンドに対応付けられているコマンド）が、入賞順（バッファ番号の大小関係）を維持しつつシフトされる。
【０２２１】
例えば、図１０（Ｃ）に示す格納状態において第２特図ゲームに同期して飾り図柄の可変表示が開始されるときには、バッファ番号「１」に対応した領域に格納されているコマンドが削除され、バッファ番号「２」に対応した領域に格納されているコマンドがバッファ番号「１」にシフトされる。
【０２２２】
また、本実施形態では、図１０（Ｄ）に示すような第１先読予告バッファ１９４Ｃを構成するデータが、演出制御バッファ設定部１９４の所定領域に記憶される。第１先読予告バッファ１９４Ｃには、第１始動入賞時受信コマンドバッファ１９４Ａを構成する各データに対応した格納領域（バッファ番号「１」〜「４」に対応した領域）が設けられている。即ち、第１先読予告バッファ１９４Ｃには、演出制御用ＣＰＵ１２０などによって決定された夫々の保留情報に関する先読予告演出に関する決定内容などが、バッファ番号「１」〜「４」に対応付けて記憶される。飾り図柄の可変表示の開始などにより、図１０（Ｂ）の第１始動入賞時受信コマンドバッファ１９４Ａにおいて、あるバッファ番号に対応付けられている保留データ（１セットのコマンド）が削除されるときには、第１先読予告バッファ１９４Ｃにおいて、当該バッファ番号に対応付けられている内容も削除される。また、飾り図柄の可変表示の開始などにより、図１０（Ｂ）の第１始動入賞時受信コマンドバッファ１９４Ａにおいて、あるバッファ番号に対応付けられている保留データ（１セットのコマンド）が他のバッファ番号にシフトされるときには、第１先読予告バッファ１９４Ｃにおいて、当該バッファ番号に対応付けられている内容も当該他のバッファ番号にシフトされる。
【０２２３】
また、本実施形態では、図１０（Ｅ）に示すような第２先読予告バッファ１９４Ｄを構成するデータが、演出制御バッファ設定部１９４の所定領域に記憶される。第２先読予告バッファ１９４Ｄには、第２始動入賞時受信コマンドバッファ１９４Ｂを構成する各データに対応した格納領域（バッファ番号「１」〜「４」に対応した領域）が設けられている。即ち、第２先読予告バッファ１９４Ｄには、演出制御用ＣＰＵ１２０などによって決定された夫々の保留情報に関する先読予告演出に関する決定内容などが、バッファ番号「１」〜「４」に対応付けて記憶される。飾り図柄の可変表示の開始などにより、図１０（Ｃ）の第２始動入賞時受信コマンドバッファ１９４Ｂにおいて、あるバッファ番号に対応付けられている保留データ（１セットのコマンド）が削除されるときには、第２先読予告バッファ１９４Ｄにおいて、当該バッファ番号に対応付けられている内容も削除される。また、飾り図柄の可変表示の開始などにより、図１０（Ｃ）の第２始動入賞時受信コマンドバッファ１９４Ｂにおいて、あるバッファ番号に対応付けられている保留データ（１セットのコマンド）が他のバッファ番号にシフトされるときには、第２先読予告バッファ１９４Ｄにおいて、当該バッファ番号に対応付けられている内容も当該他のバッファ番号にシフトされる。
【０２２４】
次に、本実施形態におけるパチンコ遊技機１の動作（作用）を説明する。
【０２２５】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０２がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【０２２６】
こうした遊技制御メイン処理を実行したＣＰＵ１０３は、ＣＴＣからの割込み要求信号を受信して割込み要求を受け付けると、図１１のフローチャートに示す遊技制御用タイマ割込み処理を実行する。図１１に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する（ステップＳ１１）。続いて、所定のメイン側エラー処理を実行することにより、パチンコ遊技機１の異常診断を行い、その診断結果に応じて必要ならば警告を発生可能とする（ステップＳ１２）。この後、所定の情報出力処理を実行することにより、例えばパチンコ遊技機１の外部に設置されたホール管理用コンピュータに供給される大当り情報、始動情報、確率変動情報などのデータを出力する（ステップＳ１３）。
【０２２７】
情報出力処理に続いて、主基板１１の側で用いられる乱数値ＭＲ１〜ＭＲ５といった遊技用乱数の少なくとも一部をソフトウェアにより更新するための遊技用乱数更新処理を実行する（ステップＳ１４）。この後、ＣＰＵ１０３は、特別図柄プロセス処理を実行する（ステップＳ１５）。特別図柄プロセス処理では、遊技制御フラグ設定部１５２に設けられた特図プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７における大入賞口の開閉動作設定などを、所定の手順で行うために、各種の処理が選択されて実行される。
【０２２８】
特別図柄プロセス処理に続いて、普通図柄プロセス処理が実行される（ステップＳ１６）。ＣＰＵ１０３は、普通図柄プロセス処理を実行することにより、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする。
【０２２９】
普通図柄プロセス処理を実行した後、ＣＰＵ１０３は、コマンド制御処理を実行することにより、主基板１１から演出制御基板１２などのサブ側の制御基板に対して制御コマンドを伝送させる（ステップＳ１７）。一例として、コマンド制御処理では、遊技制御バッファ設定部１５５に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にすることができる。コマンド制御処理を実行した後には、割込み許可状態に設定してから、遊技制御用タイマ割込み処理を終了する。
【０２３０】
図１２は、図１１に示す遊技制御用タイマ割込み処理のステップＳ１５にて実行される特別図柄プロセス処理の一例を示すフローチャートである。この特別図柄プロセス処理において、ＣＰＵ１０３は、まず、始動入賞判定処理を実行する（ステップＳ１０１）。図１３は、図１２に示す特別図柄プロセス処理（ステップＳ１５）のステップＳ１０１にて実行される始動入賞判定処理の一例を示すフローチャートである。図１４は、図１３に示す始動入賞判定処理（ステップＳ１０１）のステップＳ２０８、ステップＳ２１１にて実行される始動入賞時処理の一例を示すフローチャートである。図１５（Ａ）は、図１４に示す始動入賞時処理（ステップＳ２０８、ステップＳ２１１）のステップＳ２２０にて実行される入賞時乱数値判定処理の一例を示すフローチャートである。
【０２３１】
図１３に示す始動入賞判定処理（ステップＳ１０１）において、ＣＰＵ１０３は、まず、普通入賞球装置６Ａが形成する第１始動入賞口に対応して設けられた第１始動口スイッチ２２Ａからの検出信号に基づき、第１始動口スイッチ２２Ａがオン状態であるか否かを判定する（ステップＳ２０１）。このとき、第１始動口スイッチ２２Ａがオン状態であれば（ステップＳ２０１；ＹＥＳ）、第１特図保留記憶数（第１特図ゲームの保留数）が、所定の上限値（例えば上限記憶数としての「４」）となっているか否かを判定する（ステップＳ２０２）。ＣＰＵ１０３は、例えば遊技制御カウンタ設定部１５４に設けられた第１保留記憶数カウンタの格納値である第１保留記憶数カウント値を読み取ることにより、第１特図保留記憶数を特定できればよい。ステップＳ２０２にて第１特図保留記憶数が上限値ではないときには（ステップＳ２０２；ＮＯ）、例えば遊技制御バッファ設定部１５５に設けられた始動口バッファの格納値を、「１」に設定する（ステップＳ２０７）。
【０２３２】
ステップＳ２０１にて第１始動口スイッチ２２Ａがオフ状態であるときや（ステップＳ２０１；ＮＯ）、ステップＳ２０２にて第１特図保留記憶数が上限値に達しているときや（ステップＳ２０２；ＹＥＳ）、ステップＳ２０９の処理を実行した後には、普通可変入賞球装置６Ｂが形成する第２始動入賞口に対応して設けられた第２始動口スイッチ２２Ｂからの検出信号に基づき、第２始動口スイッチ２２Ｂがオン状態であるか否かを判定する（ステップＳ２０３）。このとき、第２始動口スイッチ２２Ｂがオン状態であれば（ステップＳ２０３；ＹＥＳ）、第２特図保留記憶数（第２特図ゲームの保留数）が、所定の上限値（例えば上限記憶数としての「４」）となっているか否かを判定する（ステップＳ２０４）。ＣＰＵ１０３は、例えば遊技制御カウンタ設定部１５４に設けられた第２保留記憶数カウンタの格納値である第２保留記憶数カウント値を読み取ることにより、第２特図保留記憶数を特定できればよい。ステップＳ２０４にて第２特図保留記憶数が上限値ではないときには（ステップＳ２０４；ＮＯ）、例えば遊技制御バッファ設定部１５５に設けられた始動口バッファの格納値を、「２」に設定する（ステップＳ２１０）。
【０２３３】
ステップＳ２０７の処理を実行した後には、始動入賞時処理（図１４）を実行し（ステップＳ２０８）、始動口バッファの格納値を「０（初期化）」し（ステップＳ２０９）、ステップＳ２０３の処理に進む。ステップＳ２１０の処理を実行した後には、始動入賞時処理（図１４）を実行し（ステップＳ２１１）、始動口バッファの格納値を「０（初期化）」し（ステップＳ２１２）、始動入賞判定処理を終了する。これにより、第１始動口スイッチ２２Ａと第２始動口スイッチ２２Ｂとにおいて、遊技球の始動入賞を同時に検出した場合であっても、それぞれの検出に基づく処理を完了させることができる。
【０２３４】
ＣＰＵ１０３は、図１４に示した始動入賞時処理（ステップＳ２０８、Ｓ２１１）として、始動口バッファの格納値である始動口バッファ値に応じた特図保留記憶数を１加算するように更新する（ステップＳ２１５）。例えば、始動口バッファ値が「１」であるときには第１保留記憶数カウント値を１加算する一方で、始動口バッファ値が「２」であるときには第２保留記憶数カウント値を１加算する。こうして、第１保留記憶数カウント値は、第１始動入賞口を遊技球が通過（進入）して第１始動条件が成立したときに、１増加するように更新される。また、第２保留記憶数カウント値は、第２始動入賞口を遊技球が通過（進入）して第２始動条件が成立したときに、１増加するように更新される。ステップＳ２１５の処理に続いて、合計保留記憶数を１加算するように更新する（ステップＳ２１６）。例えば、遊技制御カウンタ設定部１５４に設けられた合計保留記憶数カウンタの格納値である合計保留記憶数カウント値を、１加算するように更新すればよい。
【０２３５】
ステップＳ２１６の処理を実行した後に、ＣＰＵ１０３は、乱数回路１０４や遊技制御カウンタ設定部１５４のランダムカウンタによって更新されている数値データのうちから、特図表示結果決定用の乱数値ＭＲ１、大当り種別決定用の乱数値ＭＲ２、変動カテゴリ決定用の乱数値ＭＲ３を示す数値データを抽出する（ステップＳ２１７）。こうして抽出した各乱数値を示す数値データは、始動口バッファ値に応じた特図保留記憶部１５１における空きエントリの先頭に、保留情報としてセットされることで記憶される（ステップＳ２１８）。例えば、始動口バッファ値が「１」であるときには、第１特図保留記憶部１５１Ａに乱数値ＭＲ１〜ＭＲ３を示す数値データがセットされる一方、始動口バッファ値が「２」であるときには、第２特図保留記憶部１５１Ｂに乱数値ＭＲ１〜ＭＲ３を示す数値データがセットされる。
【０２３６】
ステップＳ２１８の処理に続いて、始動口バッファ値に応じた始動口入賞指定コマンドの送信設定が行われる（ステップＳ２１９）。例えば、始動口バッファ値が「１」であるときにはＲＯＭ１０１における第１始動口入賞指定コマンドテーブルの記憶アドレスを送信コマンドバッファにおいて送信コマンドポインタにより指定されたバッファ領域に格納することなどにより、演出制御基板１２に対して第１始動口入賞指定コマンドを送信するための設定を行う。これに対して、始動口バッファ値が「２」であるときにはＲＯＭ１０１における第２始動口入賞指定コマンドテーブルの記憶アドレスを送信コマンドバッファのバッファ領域に格納することなどにより、演出制御基板１２に対して第２始動口入賞指定コマンドを送信するための設定を行う。こうして設定された始動口入賞指定コマンドは、例えば特別図柄プロセス処理が終了した後、図１１に示す遊技制御用タイマ割込み処理のコマンド制御処理（ステップＳ１７）が実行されることなどにより、主基板１１から演出制御基板１２に対して伝送される。
【０２３７】
ステップＳ２１９の処理に続いて、入賞時乱数値判定処理を実行する（ステップＳ２２０）。その後、例えばＲＯＭ１０１における保留記憶数通知コマンドテーブルの記憶アドレスを送信コマンドバッファにおいて送信コマンドポインタによって指定されたバッファ領域に格納することなどにより、演出制御基板１２に対して保留記憶数通知コマンドを送信するための設定を行う（ステップＳ２２１）。こうして設定された保留記憶数通知コマンドは、例えば特別図柄プロセス処理が終了した後、図１１に示す遊技制御用タイマ割込み処理のコマンド制御処理（ステップＳ１７）が実行されることなどにより、主基板１１から演出制御基板１２に対して伝送される。
【０２３８】
ＣＰＵ１０３は、図１５に示した入賞時乱数値判定処理（ステップＳ２２０）として、例えば遊技制御フラグ設定部１５２などに設けられた時短フラグや確変フラグの状態を確認することなどにより、パチンコ遊技機１における現在の遊技状態を特定する（ステップＳ４０１）。ＣＰＵ１０３は、遊技制御フラグ設定部１５２に設けられた確変フラグや時短フラグの状態を確認することなどにより、確変フラグがオン状態であるときには確変状態であることを特定し、確変フラグがオフ状態で時短フラグがオン状態であるときには時短状態であることを特定する。すなわち、ＣＰＵ１０３は、遊技制御フラグ設定部１５２に設けられた確変フラグと時短フラグとのそれぞれのフラグがオン状態であるかオフ状態であるかによって、例えば、確変フラグがオン状態で時短フラグがオン状態である場合には、遊技状態が高確高ベース状態であると特定し、確変フラグがオン状態で時短フラグがオフ状態である場合には、遊技状態が高確低ベース状態であると特定し、確変フラグがオフ状態で時短フラグがオン状態である場合には、低確高ベース状態であると特定し、確変フラグと時短フラグとがともにオフ状態であるときには低確低ベース状態（通常状態）であると特定する。つまり、ＣＰＵ１０３は、遊技制御フラグ設定部１５２に設けられた確変フラグと時短フラグとのそれぞれの状態によって、現在の遊技状態がいずれの状態であるかを特定する。
【０２３９】
ステップＳ４０１の処理に続いて、表示結果決定テーブル１３０Ａを構成するテーブルデータから、現在の遊技状態に対応するテーブルデータをセットする（ステップＳ４０２）。なお、第１特図と第２特図とで異なる表示結果決定テーブル（第１特図表示結果決定テーブル、第２特図表示結果決定テーブル）を用いる場合、始動口バッファ値が「１」である場合には、第１特図表示結果決定テーブルを使用し、始動口バッファ値が「２」である場合には、第２特図表示結果決定テーブルを使用すればよい。その後、図１４に示した始動入賞時処理のステップＳ２１７にて抽出された特図表示結果決定用の乱数値ＭＲ１を示す数値データが所定の大当り判定範囲内であるか否かを判定する（ステップＳ４０３）。大当り判定範囲には、ステップＳ４０２の処理によりセットされた特図表示結果決定用テーブルデータにおいて「大当り」の特図表示結果に割り当てられた個々の決定値が設定され、ＣＰＵ１０３が乱数値ＭＲ１と各決定値とを逐一比較することにより、乱数値ＭＲ１と合致する決定値の有無を判定できればよい。あるいは、大当り判定範囲に含まれる決定値の最小値（下限値）と最大値（上限値）とを示す数値を設定して、ＣＰＵ１０３が乱数値ＭＲ１と大当り判定範囲の最小値や最大値とを比較することにより、乱数値ＭＲ１が大当り判定範囲の範囲内であるか否かを判定できればよい。このとき、乱数値ＭＲ１が大当り判定範囲の範囲内であると判定されることにより、その乱数値ＭＲ１を含む保留データに基づく可変表示結果が「大当り」に決定されると判定（大当り始動判定）することができる。
【０２４０】
ステップＳ４０３にて大当り判定範囲内であると判定した場合には（ステップＳ４０３；ＹＥＳ）、大当り種別決定用の乱数値ＭＲ２に基づいて、大当り種別を判定する（ステップＳ４０９）。このとき、ＣＰＵ１０３は、始動口バッファ値に対応して特定される変動特図（「１」に対応する「第１特図」又は「２」に対応する「第２特図」）に応じて、大当り種別決定テーブル１３１を構成するテーブルデータから大当り種別決定用テーブルデータを選択する。そして、選択した大当り種別決定用テーブルデータを参照することにより、大当り種別が複数種別のいずれに決定されるかを判定する。こうしたステップＳ４０９の処理による判定結果に応じた図柄指定コマンドを、演出制御基板１２に対して送信するための設定が行われる（ステップＳ４１０）。
【０２４１】
ステップＳ４０３にて大当り判定範囲内ではないと判定した場合（ステップＳ４０３；ＮＯ）や、ステップＳ４１０の処理の何れかを実行した後には、変動カテゴリを判定する（ステップＳ４１２）。即ち、変動カテゴリを図５に示す複数種類の何れかに決定する。ステップＳ４１２の処理では、ＣＰＵ１０３は、ＲＯＭ１０１に記憶されている複数の変動カテゴリ決定テーブル（当該変動カテゴリ決定テーブルにおいて決定され得る変動カテゴリの種類や夫々の決定割合などが互いに異なる複数種類の変動カテゴリ決定テーブル）のなかから使用テーブルとしてセットする何れかの変動カテゴリ決定テーブルを選択する。
【０２４２】
具体的には、ＣＰＵ１０３は、特図表示結果（例えば、ステップＳ４０３の判定結果など）や、保留記憶数（例えば、遊技制御カウンタ設定部１５４に設けられた第１保留記憶数カウンタの格納値である第１保留記憶数カウント値など）に基づいて使用テーブルとしてセットする何れかの変動カテゴリ決定テーブルを選択する。続いて、ＣＰＵ１０３は、使用テーブルとしてセットされた変動カテゴリ決定テーブルと、例えば乱数回路１０４や遊技制御カウンタ設定部１５４のランダムカウンタなどから抽出した変動カテゴリ決定用の乱数値ＭＲ３を示す数値データとに基づいて、複数種類の変動カテゴリのなかから何れかの変動カテゴリを決定する。
【０２４３】
図１６は、変動カテゴリ決定テーブルの選択例を示す図である。図１７は、変動カテゴリ決定テーブルの構成例を示す図である。この変動カテゴリ決定テーブルの構成例は、変動カテゴリを複数種類のいずれかに決定するために参照される４種類の変動カテゴリテーブルである。図１７（Ａ）は、上述の４種類のうちのある変動カテゴリ決定テーブルによる変動カテゴリ決定テーブルの構成例（図中の「Ｃ−ＴＢＬ１」と表記）である。図１７（Ｂ）は、他の変動カテゴリ決定テーブルによる変動カテゴリ決定テーブルの構成例（図中の「Ｃ−ＴＢＬ２」と表記）である。図１７（Ｃ）は、更に他の変動カテゴリ決定テーブルによる変動カテゴリ決定テーブルの構成例（図中の「Ｃ−ＴＢＬ３」と表記）である。図１７（Ｄ）は、更に他の変動カテゴリ決定テーブルによる変動カテゴリ決定テーブルの構成例（図中の「Ｃ−ＴＢＬ４」と表記）である。なお、説明の簡略化のため、図１７（Ａ）のような決定割合を設定した変動カテゴリ決定テーブルを、単に図１７（Ａ）の変動カテゴリ決定テーブルと称する場合がある。図１７（Ｂ）〜図１７（Ｄ）、及び、変動パターン決定テーブルなどの他の決定テーブルについても同様である。図１６は、図１７（Ａ）〜図１７（Ｄ）の４種類（設定「Ｃ−ＴＢＬ１」〜設定「Ｃ−ＴＢＬ４」）のなかから何れかの設定を選択する選択例、即ち、上述の４種類の変動カテゴリ決定テーブルのなかから何れかの変動カテゴリ決定テーブルを選択する選択例である。
【０２４４】
図１７（Ａ）の変動カテゴリ決定テーブル「Ｃ−ＴＢＬ１」（図１７（Ｂ）の変動カテゴリ決定テーブル「Ｃ−ＴＢＬ２」、図１７（Ｃ）の変動カテゴリ決定テーブル「Ｃ−ＴＢＬ３」、図１７（Ｄ）の変動カテゴリ決定テーブル「Ｃ−ＴＢＬ４」も同様）は、変動カテゴリ決定用の乱数値ＭＲ３と比較される数値（決定値）が、複数種類の変動カテゴリに割り当てられている。
【０２４５】
図１７（Ａ）の変動カテゴリ決定テーブル「Ｃ−ＴＢＬ１」の設定例では、乱数値ＭＲ３の決定値の１００個（「０」〜「９９」の範囲の値）のうち、０個が変動カテゴリ「ＰＡ１」に割り当てられ、７０個（「０」〜「６９」の範囲の値）が変動カテゴリ「ＰＡ２」に割り当てられ、２７個（「７０」〜「９６」の範囲の値）が変動カテゴリ「ＰＡ３」に割り当てられ、２個（「９７」〜「９８」の範囲の値）が変動カテゴリ「ＰＡ４」に割り当てられ、１個（値「９９」）が変動カテゴリ「ＰＡ５」に割り当てられている。つまり、図１７（Ａ）の変動カテゴリ決定テーブル「Ｃ−ＴＢＬ１」の設定例では、変動カテゴリ「ＰＡ１」が０％（０÷１００）、変動カテゴリ「ＰＡ２」が７０％（７０÷１００）、変動カテゴリ「ＰＡ３」が２７％（２７÷１００）、変動カテゴリ「ＰＡ４」が２％（２÷１００）、変動カテゴリ「ＰＡ５」が１％（１÷１００）の割合で決定される。
【０２４６】
図１７（Ｂ）の変動カテゴリ決定テーブル「Ｃ−ＴＢＬ２」の設定例では、乱数値ＭＲ３の決定値の１００個（「０」〜「９９」の範囲の値）のうち、４個（「０」〜「３」の範囲の値）が変動カテゴリ「ＰＡ１」に割り当てられ、８５個（「４」〜「８８」の範囲の値）が変動カテゴリ「ＰＡ２」に割り当てられ、８個（「８９」〜「９６」の範囲の値）が変動カテゴリ「ＰＡ３」に割り当てられ、２個（「９７」〜「９８」の範囲の値）が変動カテゴリ「ＰＡ４」に割り当てられ、１個（値「９９」）が変動カテゴリ「ＰＡ５」に割り当てられている。つまり、図１７（Ｂ）の変動カテゴリ決定テーブル「Ｃ−ＴＢＬ２」の設定例では、変動カテゴリ「ＰＡ１」が４％（４÷１００）、変動カテゴリ「ＰＡ２」が８５％（８５÷１００）、変動カテゴリ「ＰＡ３」が８％（８÷１００）、変動カテゴリ「ＰＡ４」が２％（２÷１００）、変動カテゴリ「ＰＡ５」が１％（１÷１００）の割合で決定される。
【０２４７】
図１７（Ｃ）の変動カテゴリ決定テーブル「Ｃ−ＴＢＬ３」の設定例では、乱数値ＭＲ３の決定値の１００個（「０」〜「９９」の範囲の値）のうち、６４個（「０」〜「６３」の範囲の値）が変動カテゴリ「ＰＡ１」に割り当てられ、２５個（「６４」〜「８８」の範囲の値）が変動カテゴリ「ＰＡ２」に割り当てられ、８個（「８９」〜「９６」の範囲の値）が変動カテゴリ「ＰＡ３」に割り当てられ、２個（「９７」〜「９８」の範囲の値）が変動カテゴリ「ＰＡ４」に割り当てられ、１個（値「９９」）が変動カテゴリ「ＰＡ５」に割り当てられている。つまり、図１７（Ｃ）の変動カテゴリ決定テーブル「Ｃ−ＴＢＬ３」の設定例では、変動カテゴリ「ＰＡ１」が６４％（６４÷１００）、変動カテゴリ「ＰＡ２」が２５％（２５÷１００）、変動カテゴリ「ＰＡ３」が８％（８÷１００）、変動カテゴリ「ＰＡ４」が２％（２÷１００）、変動カテゴリ「ＰＡ５」が１％（１÷１００）の割合で決定される。
【０２４８】
図１７（Ｄ）の変動カテゴリ決定テーブル「Ｃ−ＴＢＬ４」の設定例では、乱数値ＭＲ３の決定値の１００個（「０」〜「９９」の範囲の値）のうち、２０個（「０」〜「１９」の範囲の値）が変動カテゴリ「ＰＢ３」に割り当てられ、４０個（「２０」〜「５９」の範囲の値）が変動カテゴリ「ＰＢ４」に割り当てられ、４０個（「６０」〜「９９」の範囲の値）が変動カテゴリ「ＰＢ５」に割り当てられている。つまり、図１７（Ｄ）の変動カテゴリ決定テーブル「Ｃ−ＴＢＬ４」の設定例では、変動カテゴリ「ＰＢ３」が２０％（２０÷１００）、変動カテゴリ「ＰＢ４」が４０％（４０÷１００）、変動カテゴリ「ＰＢ５」が４０％（４０÷１００）の割合で決定される。
【０２４９】
図１７（Ａ）〜図１７（Ｃ）の設定例では、特図表示結果が「ハズレ」である場合、保留記憶数が多いときには、保留記憶数が少ないときに比べて、短縮・非リーチ（ハズレ）変動カテゴリ（変動カテゴリ「ＰＡ１」）の決定割合を高くしている。具体的には、特図表示結果が「ハズレ」であって保留記憶数「４」のときに選択される変動カテゴリ決定テーブル「Ｃ−ＴＢＬ３」における変動カテゴリ「ＰＡ１」の決定割合「６４％」＞特図表示結果が「ハズレ」であって保留記憶数「３」又「２」のときに選択される変動カテゴリ決定テーブル「Ｃ−ＴＢＬ２」における変動カテゴリ「ＰＡ１」の決定割合「４％」＞特図表示結果が「ハズレ」であって保留記憶数「１」のときに選択される変動カテゴリ決定テーブル「Ｃ−ＴＢＬ１」における変動カテゴリ「ＰＡ１」の決定割合「０％」としている。
【０２５０】
また、図１７（Ａ）〜図１７（Ｃ）の設定例では、特図表示結果が「ハズレ」である場合、保留記憶数が多くても少くても、スーパーリーチ（ハズレ）の変動カテゴリ（変動カテゴリ「ＰＡ４」又は変動カテゴリ「ＰＡ５」）の決定割合を一定にしている。具体的には、変動カテゴリ決定テーブル「Ｃ−ＴＢＬ１」、変動カテゴリ決定テーブル「Ｃ−ＴＢＬ２」、変動カテゴリ決定テーブル「Ｃ−ＴＢＬ３」のいずれであっても、変動カテゴリ「ＰＡ５」の決定割合「１％」とし、変動カテゴリ「ＰＡ４」の決定割合「２％」としている。
【０２５１】
また、図１７（Ａ）〜図１７（Ｃ）の設定例では、変動カテゴリ決定テーブル「Ｃ−ＴＢＬ１」、変動カテゴリ決定テーブル「Ｃ−ＴＢＬ２」、変動カテゴリ決定テーブル「Ｃ−ＴＢＬ３」のいずれであっても、同一（共通）の変動カテゴリに対応する（同一の変動カテゴリが決定される）、乱数値ＭＲ３の決定値が存在するようにしている。つまり、乱数値ＭＲ３の決定値が、ある値であれば、変動カテゴリ決定テーブル「Ｃ−ＴＢＬ１」、変動カテゴリ決定テーブル「Ｃ−ＴＢＬ２」、変動カテゴリ決定テーブル「Ｃ−ＴＢＬ３」のいずれであっても、同一の変動カテゴリが決定されるようにしている。例えば、乱数値ＭＲ３の決定値が「９９」であるときには、変動カテゴリ決定テーブル「Ｃ−ＴＢＬ１」、変動カテゴリ決定テーブル「Ｃ−ＴＢＬ２」、変動カテゴリ決定テーブル「Ｃ−ＴＢＬ３」のいずれであっても、変動カテゴリ「ＰＡ５」が決定されるようにしている。また、乱数値ＭＲ３の決定値が「９７」〜「９８」の範囲の値であるときには、上記いずれの変動カテゴリ決定テーブルであっても、変動カテゴリ「ＰＡ４」が決定されるようにしている。
【０２５２】
また、乱数値ＭＲ３の決定値が「８９」〜「９６」の範囲の値であるときには、上記いずれの変動カテゴリ決定テーブルであっても、変動カテゴリ「ＰＡ３」が決定されるようにしている。また、乱数値ＭＲ３の決定値が「６４」〜「６９」の範囲の値であるときには、上記いずれの変動カテゴリ決定テーブルであっても、変動カテゴリ「ＰＡ２」が決定されるようにしている。これにより、乱数値ＭＲ３の決定値がある値（上述の各範囲の値）であれば、リーチとなることや、スーパーリーチとなることや、スーパーリーチαやスーパーリーチβとなることを、あらかじめ容易に判定することができる。従って、その始動入賞に対応した可変表示よりも以前に、それらを報知すること等もでき、遊技に対する興趣を向上させることができる。なお、図１７（Ａ）〜図１７（Ｃ）の設定例では、乱数値ＭＲ３の決定値が「０」〜「６９」の範囲の値であるときには、変動カテゴリ決定テーブル「Ｃ−ＴＢＬ１」、変動カテゴリ決定テーブル「Ｃ−ＴＢＬ２」、変動カテゴリ決定テーブル「Ｃ−ＴＢＬ３」のいずれであっても、変動カテゴリ「ＰＡ１」又は「ＰＡ２」が決定されるようにしている。これにより、少なくともリーチとならないかを、あらかじめ容易に判定することもできる。
【０２５３】
その後、ステップＳ４１２の処理による判定結果（決定結果）に応じて、図１５（Ｂ）に示す変動カテゴリコマンドの何れかを、演出制御基板１２に対して送信するための設定を行ってから（ステップＳ４１３）、入賞時乱数値判定処理を終了する。
【０２５４】
図１２のステップＳ１０１にて始動入賞判定処理を実行した後、ＣＰＵ１０３は、遊技制御フラグ設定部１５２に設けられた特図プロセスフラグの値に応じて、ステップＳ１１０〜Ｓ１１７の処理の何れかを選択して実行する。
【０２５５】
ステップＳ１１０の特別図柄通常処理は、特図プロセスフラグの値が“０”のときに実行される。この特別図柄通常処理では、特別図柄や飾り図柄の可変表示結果を「大当り」とするか否かを、その可変表示結果が導出表示される以前に決定（事前決定）などが行われる。特別図柄通常処理では、特別図柄や飾り図柄の可変表示結果を事前決定したときに、特図プロセスフラグの値が“１”に更新される。特別図柄通常処理については後述する。
【０２５６】
ステップＳ１１１の変動パターン設定処理は、特図プロセスフラグの値が“１”のときに実行される。この変動パターン設定処理には、変動パターンを図５に示す複数種類の何れかに決定する処理や、第１変動開始コマンド（又は第２変動開始コマンド）、変動パターン指定コマンド、可変表示結果通知コマンドなどを送信するための送信設定処理などが含まれている。変動パターン設定処理が実行されて特別図柄の可変表示が開始されたときには、特図プロセスフラグの値が“２”に更新される。変動パターンの設定については後述する。なお、ステップＳ１１１の変動パターン設定処理では、以下のように変動パターンを決定してもよい。すなわち、始動入賞時処理のステップＳ２１８において記憶した変動カテゴリ決定用の乱数値ＭＲ３を用いて、入賞時乱数値判定処理のステップＳ４１２と同様、変動カテゴリを判定する。続いて、判定結果である変動カテゴリに基づいて、ＲＯＭ１０１に記憶されている複数の変動パターン決定テーブルのなかから使用テーブルとしてセットする何れかの変動パターン決定テーブルを選択する。続いて、ＣＰＵ１０３は、使用テーブルとしてセットされた変動パターン決定テーブルと、新たに抽出した変動パターン決定用の乱数値ＭＲ５を示す数値データとに基づいて、複数種類の変動パターンのなかから何れかの変動パターンを決定してもよい。なお、始動入賞時処理において、変動カテゴリ決定用の乱数値ＭＲ３などに加え、変動パターン決定用の乱数値ＭＲ５を抽出し、記憶しておくことにより、ステップＳ１１１の変動パターン設定処理において、始動入賞時処理において記憶した変動パターン決定用の乱数値ＭＲ５を用いて、変動パターンを決定してもよい。
【０２５７】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。例えば、ステップＳ１１２の特別図柄変動処理が実行されるごとに、遊技制御タイマ設定部１５３に設けられた特図変動タイマにおける格納値である特図変動タイマ値を１減算あるいは１加算して、第１特別図柄表示装置４Ａによる第１特図ゲーム（第１特図を用いた特図ゲーム）であるか、第２特別図柄表示装置４Ｂによる第２特図ゲーム（第２特図を用いた特図ゲーム）であるかにかかわらず、共通のタイマによって経過時間の測定が行われる。また、計測された経過時間が変動パターンに対応する特図変動時間に達したか否かの判定も行われる。このように、ステップＳ１１２の特別図柄変動処理は、第１特図ゲームや第２特図ゲームにおける特別図柄の変動を、共通の処理ルーチンによって制御する処理となっていればよい。そして、特別図柄の変動を開始してからの経過時間が特図変動時間に達したときには、特図プロセスフラグの値が“３”に更新される。
【０２５８】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の可変表示結果となる確定特別図柄を停止表示（導出）させるための設定を行う処理が含まれている。また、遊技状態が低確低ベース状態（通常モード）以外である場合、すなわち、確変状態（高確状態）および時短状態（高ベース状態）の一方または両方である場合における特別図柄停止処理には、遊技制御カウンタ設定部１５４による変動数カウンタのカウンタ値を加算する処理やリセットする処理、確変状態（高確状態）での特図ゲームの実行回数や時短状態（高ベース状態）での特図ゲームの実行回数が所定回数となったか否かを判定する処理、確変状態（高確状態）および時短状態（高ベース状態）の一方または両方に制御する確変制御や時短制御を終了して低確状態または低ベース状態の一方または両方に設定する処理などの変動時遊技状態遷移処理も含まれている。
【０２５９】
そして、遊技制御フラグ設定部１５２に設けられた大当りフラグがオン状態となっているか否かの判定などが行われ、大当りフラグがオン状態である場合には特図プロセスフラグの値が“４”に更新される。また、大当りフラグがオフ状態である場合には、特図プロセスフラグの値が“０”に更新される。
【０２６０】
ステップＳ１１４の大当り開放前処理は、特図プロセスフラグの値が“４”のときに実行される。この大当り開放前処理には、可変表示結果が「大当り」となったことなどに基づき、大当り遊技状態においてラウンドの実行を開始して大入賞口を開放状態とするための設定を行う処理などが含まれている。このときには、例えば大当り種別が「１６Ｒ確変大当り」、「８Ｒ確変大当り」のいずれであるかに対応して、大入賞口を開放状態とする期間の上限を設定するようにしてもよい。一例として、大当り種別が「１６Ｒ確変大当り」に対応して、大入賞口を開放状態とする期間の上限を「２９秒」に設定するとともに、ラウンドを実行する上限回数となる大入賞口の開放回数を「１６回」に設定することにより、通常開放大当り状態とする設定が行われればよい。一方、大当り種別が「８Ｒ確変大当り」に対応して、大入賞口を開放状態とする期間の上限を「２９秒」に設定するとともに、ラウンドを実行する上限回数となる大入賞口の開放回数を「８回」に設定することにより、通常開放大当り状態とする設定が行われればよい。このときには、特図プロセスフラグの値が“５”に更新される。
【０２６１】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新される。
【０２６２】
ステップＳ１１６の大当り開放後処理は、特図プロセスフラグの値が“６”のときに実行される。この大当り開放後処理には、大入賞口を開放状態とするラウンドの実行回数が大入賞口開放回数最大値に達したか否かを判定する処理や、大入賞口開放回数最大値に達した場合に大当り終了指定コマンドを送信するための設定を行う処理などが含まれている。そして、ラウンドの実行回数が大入賞口開放回数最大値に達していないときには、特図プロセスフラグの値が“５”に更新される一方、大入賞口開放回数最大値に達したときには、特図プロセスフラグの値が“７”に更新される。
【０２６３】
ステップＳ１１７の大当り終了処理は、特図プロセスフラグの値が“７”のときに実行される。この大当り終了処理には、画像表示装置５やスピーカ８、ランプ９などといった演出装置により、大当り遊技状態の終了を報知する演出動作としてのエンディング演出が実行される期間に対応した待ち時間が経過するまで待機する処理や、大当り遊技状態の終了に対応して確変制御や時短制御を開始するための設定を行うための後述する大当り後遊技状態遷移処理などが含まれている。こうした設定が行われたときには、特図プロセスフラグの値が“０”に更新される。
【０２６４】
図１８は、図１２に示す特別図柄プロセス処理（ステップＳ１５）のステップＳ１１０にて実行される特別図柄通常処理の一例を示すフローチャートである。図１８に示す特別図柄通常処理において、ＣＰＵ１０３は、まず、第２特図保留記憶数が「０」であるか否かを判定する（ステップＳ２３１）。即ち、ＣＰＵ１０３は、第２特図ゲームが保留されているか否かを判定する。例えば、ステップＳ２３１の処理では、遊技制御カウンタ設定部１５４に記憶されている第２保留記憶数カウント値を読み出し、その読出値が「０」であるか否かを判定すればよい。
【０２６５】
ステップＳ２３１にて第２特図保留記憶数が「０」以外であるときには（ステップＳ２３１；ＮＯ）、第２特図保留記憶部１５１Ｂにて保留番号「１」に対応して記憶されている保留データとして、特図表示結果決定用の乱数値ＭＲ１、大当り種別決定用の乱数値ＭＲ２をそれぞれ読み出す（ステップＳ２３２）。このとき読み出された数値データは、例えば変動用乱数バッファなどに格納されて、一時記憶されればよい。
【０２６６】
ステップＳ２３２の処理に続いて、例えば第２保留記憶数カウント値を１減算して更新することなどにより、第２特図保留記憶数を１減算させるように更新するとともに、第２特図保留記憶部１５１Ｂにて保留番号「１」より下位のエントリ（例えば保留番号「２」〜「４」に対応するエントリ）に記憶された乱数値ＭＲ１〜ＭＲ３を示す保留データを、１エントリずつ上位にシフトする（ステップＳ２３３）。また、ステップＳ２３３の処理では、遊技制御カウンタ設定部１５４にて合計保留記憶数カウンタが記憶する合計保留記憶数カウント値を１減算するように更新してもよい。このときには、変動特図指定バッファの格納値である変動特図指定バッファ値を「２」に更新する（ステップＳ２３４）。
【０２６７】
ステップＳ２３１にて第２特図保留記憶数が「０」であるときには（ステップＳ２３１；ＹＥＳ）、第１特図保留記憶数が「０」であるか否かを判定する（ステップＳ２３５）。即ち、ＣＰＵ１０３は、第１特図ゲームが保留されているか否かを判定する。例えば、ステップＳ２３５の処理では、遊技制御カウンタ設定部１５４にて第１保留記憶数カウンタが記憶する第１保留記憶数カウント値を読み出し、その読出値が「０」であるか否かを判定すればよい。
【０２６８】
このように、ステップＳ２３５の処理を、ステップＳ２３１にて第２特図保留記憶数が「０」であると判定したときに実行するようにしているため、第１特図ゲームと第２特図ゲームとが保留されている場合に、第２特図ゲームが第１特図ゲームよりも優先して実行されることになる。なお、第２特図ゲームが第１特図ゲームよりも優先して実行される態様に限定されず、始動入賞口（第１始動入賞口、第２始動入賞口）を遊技球が進入（通過）して始動入賞（第１始動入賞、第２始動入賞）が発生した順に、特図ゲーム（第１特図ゲーム、第２特図ゲーム）が実行されるようにしてもよい。この場合には、始動入賞が発生した順番を特定可能なデータを記憶するテーブルを設けて、その記憶データから第１特図ゲームと第２特図ゲームのいずれを実行するかが決定できればよい。
【０２６９】
ステップＳ２３５にて第１特図保留記憶数が「０」以外であるときには（ステップＳ２３５；ＮＯ）、第１特図保留記憶部１５１Ａにて保留番号「１」に対応して記憶されている保留データとして、特図表示結果決定用の乱数値ＭＲ１、大当り種別決定用の乱数値ＭＲ２を示す数値データをそれぞれ読み出す（ステップＳ２３６）。このとき読み出された数値データは、例えば変動用乱数バッファなどに格納されて、一時記憶されればよい。
【０２７０】
ステップＳ２３６の処理に続いて、例えば第１保留記憶数カウント値を１減算して更新することなどにより、第１特図保留記憶数を１減算させるように更新するとともに、第１特図保留記憶部１５１Ａにて保留番号「１」より下位のエントリ（例えば保留番号「２」〜「４」に対応するエントリ）に記憶された乱数値ＭＲ１〜ＭＲ３を示す保留データを、１エントリずつ上位にシフトする（ステップＳ２３７）。また、ステップＳ２３７の処理では、遊技制御カウンタ設定部１５４にて合計保留記憶数カウンタが記憶する合計保留記憶数カウント値を１減算するように更新してもよい。このときには、変動特図指定バッファ値を「１」に更新する（ステップＳ２３８）。
【０２７１】
ステップＳ２３４、Ｓ２３８の処理のいずれかを実行した後には、特別図柄の可変表示結果である特図表示結果を「大当り」と「ハズレ」のいずれとするかを決定するための使用テーブルとして、図１５（Ａ）に示した入賞時乱数値判定処理（ステップＳ２２０）のステップＳ４０２の処理と同様に、表示結果決定テーブルのデータをセットする（ステップＳ２３９）。なお、第１特図と第２特図とで異なる表示結果決定テーブル（第１特図表示結果決定テーブル、第２特図表示結果決定テーブル）を用いる場合、ステップＳ４０２の処理では、始動口バッファ値（「１」又は「２」）を参照したが、ステップＳ２３９の処理では、変動特図指定バッファ値（「１」又は「２」）を参照すればよい。
【０２７２】
続いて、変動用乱数バッファに格納された特図表示結果決定用の乱数値ＭＲ１を示す数値データを、「大当り」や「ハズレ」の各特図表示結果に割り当てられた決定値と比較して、特図表示結果を「大当り」と「ハズレ」のいずれとするかを決定する（ステップＳ２４０）。
【０２７３】
ステップＳ２４０にて特図表示結果を決定した後には、その特図表示結果が「大当り」であるか否かを判定する（ステップＳ２４１）。そして、「大当り」であると判定した場合には（ステップＳ２４１；ＹＥＳ）、遊技制御フラグ設定部１５２に設けられた大当りフラグをオン状態にセットする（ステップＳ２４２）。このときには、大当り種別を複数種類の何れかに決定するための使用テーブルとして、大当り種別決定テーブル１３１を選択してセットする（ステップＳ２４３）。こうしてセットされた大当り種別決定テーブル１３１を参照することにより、変動用乱数バッファに格納された大当り種別決定用の乱数値ＭＲ２を示す数値データを、「１６Ｒ確変大当り」、「８Ｒ確変大当り」の各大当り種別に割り当てられた決定値のいずれと合致するかに応じて、大当り種別を複数種別のいずれとするかを決定する（ステップＳ２４４）。
【０２７４】
こうして決定された大当り種別に対応して、例えば遊技制御バッファ設定部１５５に設けられた大当り種別バッファの格納値である大当り種別バッファ値を設定することなどにより（ステップＳ２４５）、決定された大当り種別を記憶させる。一例として、大当り種別が「１６Ｒ確変大当り」であれば大当り種別バッファ値を「１」とし、「８Ｒ確変大当り」であれば「２」とすればよい。
【０２７５】
ステップＳ２４１にて「大当り」ではないと判定した場合（ステップＳ２４１；ＮＯ）やステップＳ２４５の処理のいずれかを実行した後には、大当り遊技状態に制御するか否かの事前決定結果、さらには、大当り遊技状態とする場合における大当り種別の決定結果に対応して、確定特別図柄を設定する（ステップＳ２４８）。
【０２７６】
ステップＳ２４８にて確定特別図柄を設定した後には、特図プロセスフラグの値を変動パターン設定処理に対応した値である“１”に更新してから（ステップＳ２４９）、特別図柄通常処理を終了する。ステップＳ２３５にて第１特図を用いた特図ゲームの保留記憶数が「０」である場合には（ステップＳ２３５；ＹＥＳ）、所定のデモ表示設定を行ってから（ステップＳ２５０）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０２７７】
ステップＳ１１０の特別図柄通常処理に続くステップＳ１１１の変動パターン設定処理では、ＣＰＵ１０３は、変動カテゴリ決定用の乱数値ＭＲ３や変動パターン決定用の乱数値ＭＲ５を用いて、変動パターンを決定する。
【０２７８】
なお、変動パターン設定処理（ステップＳ１１１）では、入賞時乱数値判定処理（ステップＳ２２０）と同様に変動カテゴリを決定するが、入賞時乱数値判定処理（ステップＳ２２０）の実行時と当該変動パターン設定処理（ステップＳ１１１）の実行時とで保留記憶数が大きく異なっていたとしても、図１７に示した変動カテゴリ決定テーブル「Ｃ−ＴＢＬ１」〜「Ｃ−ＴＢＬ３」の具体例では、入賞時に抽出された乱数値ＭＲ３が例えば「９９」であれば、保留記憶数に関係なく、入賞時乱数値判定処理でも変動パターン設定処理でも、変動カテゴリ「ＰＡ５」が決定される。また、入賞時に抽出された乱数値ＭＲ３が例えば「９７」〜「９８」の範囲であれば、保留記憶数に関係なく、入賞時乱数値判定処理でも変動パターン設定処理でも、変動カテゴリ「ＰＡ４」が決定される。
【０２７９】
図１９は、変動パターンの決定割合の設定例を示す図である。なお、ＲＯＭ１０１には、変動カテゴリに応じた８種類の変動パターン決定テーブルが記憶されているものとする。図１９（Ａ）は、上述の８種類のうち、変動カテゴリ「ＰＡ１（短縮・非リーチハズレ）」であるときに選択される変動パターン決定テーブルによる変動パターンの決定割合の設定例である。図１９（Ｂ）は、上述の８種類のうち、変動カテゴリ「ＰＡ２（非リーチ（ハズレ））」であるときに選択される変動パターン決定テーブルによる変動パターンの決定割合の設定例である。図１９（Ｃ）は、上述の８種類のうち、変動カテゴリ「ＰＡ３（ノーマルリーチ（ハズレ））」であるときに選択される変動パターン決定テーブルによる変動パターンの決定割合の設定例である。以下、図１９（Ｄ）〜図１９（Ｈ）についても同様である。
【０２８０】
図２０は、図１２に示す特別図柄プロセス処理（ステップＳ１５）のステップＳ１１３にて実行される特別図柄停止処理の一例を示すフローチャートである。図２０に示す特別図柄停止処理において、ＣＰＵ１０３は、まず、大当りフラグがオン状態であるか否かを判定する（ステップＳ２９１）。大当りフラグがオン状態であれば（ステップＳ２９１；ＹＥＳ）、ＣＰＵ１０３は、大当り開始時演出待ち時間を設定する（ステップＳ２９２）。例えば、ステップＳ２９２の処理においては、大当り開始時演出待ち時間に対応して予め定められたタイマ初期値が、遊技制御タイマ設定部１５３に設けられた遊技制御プロセスタイマにセットされればよい。
【０２８１】
ステップＳ２９２の処理に続いて、ＣＰＵ１０３は、当り開始指定コマンドを主基板１１から演出制御基板１２に対して送信するための設定を行う（ステップＳ２９３）。例えば、ステップＳ２９３の処理においては、当り開始指定コマンドを送信するために予め用意された当り開始指定コマンドテーブルのＲＯＭ１０１における記憶アドレスを示す設定データが、送信コマンドバッファにおいて送信コマンドポインタによって指定されたバッファ領域に格納されればよい。その後、ＣＰＵ１０３は、大当りフラグをクリアしてオフ状態とする（ステップＳ２９４）。そして、ＣＰＵ１０３は、特別図柄プロセスフラグの値を大当り開放前処理に対応した値である“４”に更新してから（ステップＳ２９５）、特別図柄停止処理を終了する。
【０２８２】
ステップＳ２９１にて大当りフラグがオフ状態である場合には（ステップＳ２９１；ＮＯ）、ＣＰＵ１０３は、変動時遊技状態遷移処理を行う（ステップＳ２９６）。続いて、ＣＰＵ１０３は、特図プロセスフラグの値を特別図柄通常処理に対応した値である“０”に更新してから（ステップＳ２９７）、特別図柄停止処理を終了する。
【０２８３】
図２１は、図２０に示す特別図柄停止処理（ステップＳ１１３）のステップＳ２９６にて実行される変動時遊技状態遷移処理の一例を示すフローチャートである。図２１に示す変動時遊技状態遷移処理において、ＣＰＵ１０３は、現在の遊技状態が低確低ベース状態であるか否かを判定する（ステップＳ４５１）。ＣＰＵ１０３は、遊技制御フラグ設定部１５２に設けられた確変フラグおよび時短フラグの両方がオフ状態である場合、現在の遊技状態が低確低ベース状態であると判定する。ステップＳ４５１において、現在の遊技状態が低確低ベース状態であると判定した場合（ステップＳ４５１；ＹＥＳ）、ＣＰＵ１０３は、そのまま変動時遊技状態遷移処理を終了する。一方、ステップＳ４５１において、低確低ベース状態でないと判定した場合（ステップＳ４５１；ＹＥＳ）、変動数カウンタの値を１加算する（ステップＳ４５２）。変動数カウンタとは、低確低ベース状態に制御された後の特図ゲームの実行回数であって、ＳＴ回数（確変回数）や時短回数と比較される回数である。ＳＴ回数（確変回数）とは、確変制御を実行する特図ゲームの実行回数である。時短回数とは、時短制御を実行する特図ゲームの実行回数である。ＳＴ回数（確変回数）や時短回数は、当り終了処理（図１２、図２２）において設定される。
【０２８４】
ステップＳ４５２の処理に続いて、ＣＰＵ１０３は、ＳＴ回数（確変回数）を読み出し（ステップＳ４５３）、時短回数を読み出す（ステップＳ４５４）。ステップＳ４５４の処理に続いて、ＣＰＵ１０３は、現在の遊技状態が高確状態（確変状態）であるか否かを判定する（ステップＳ４５５）。ＣＰＵ１０３は、遊技制御フラグ設定部１５２に設けられた確変フラグがオン状態である場合、現在の遊技状態が高確状態であると判定する。ステップＳ４５５において、現在の遊技状態が高確状態であると判定した場合（ステップＳ４５５；ＹＥＳ）、ＣＰＵ１０３は、変動数カウンタの値が、ステップＳ４５３で読み出したＳＴ回数（確変回数）によって示される値（例えば、７０回）より大きい値であるか否かを判定する（ステップＳ４５６）。変動数カウンタの値がＳＴ回数（確変回数）によって示される値より大きい値であると判定した場合（ステップＳ４５６；ＹＥＳ）、ＣＰＵ１０３は、遊技制御フラグ設定部１５２に設けられた確変フラグをクリアしてオフ状態にするなどして、遊技状態を低確状態に設定し（ステップＳ４５７）、確変制御を終了する。
【０２８５】
ステップＳ４５７の処理を実行した後や、現在の遊技状態が高確状態でないと判定した場合（ステップＳ４５５；ＮＯ）や、変動数カウンタの値がＳＴ回数（確変回数）によって示される値より大きい値でないと判定した場合（ステップＳ４５６；ＮＯ）には、ＣＰＵ１０３は、現在の遊技状態が高ベース状態（時短状態）であるか否かを判定する（ステップＳ４５８）。ＣＰＵ１０３は、遊技制御フラグ設定部１５２に設けられた時短フラグがオン状態である場合、現在の遊技状態が高ベース状態（時短状態）であると判定する。ステップＳ４５８において、現在の遊技状態が高ベース状態（時短状態）であると判定した場合（ステップＳ４５８；ＹＥＳ）、ＣＰＵ１０３は、変動数カウンタの値が、ステップＳ４５４で読み出した時短回数によって示される値（例えば、７０回）より大きい値であるか否かを判定する（ステップＳ４５９）。変動数カウンタの値が時短回数によって示される値より大きい値であると判定した場合（ステップＳ４５９；ＹＥＳ）、ＣＰＵ１０３は、遊技制御フラグ設定部１５２に設けられた時短フラグをクリアしてオフ状態にするなどして、遊技状態を低ベース状態に設定し（ステップＳ４６０）、時短制御を終了する。
【０２８６】
ステップＳ４６０の処理をした後や、現在の遊技状態が高ベース状態（時短状態）でないと判定した場合（ステップＳ４５８；ＮＯ）や、変動数カウンタの値が時短回数によって示され値より大きい値でないと判定した場合（ステップＳ４５９；ＮＯ）には、ＣＰＵ１０３は、遊技状態が低確低ベース状態になったか否かを判定する（ステップＳ４６１）。ＣＰＵ１０３は、遊技制御フラグ設定部１５２に設けられた確変フラグおよび時短フラグの両方がオフ状態である場合、遊技状態が低確低ベース状態になったと判定する。
【０２８７】
ステップＳ４６１において、低確低ベース状態になったと判定した場合（ステップＳ４６１；ＹＥＳ）、ＣＰＵ１０３は、ＳＴ回数（確変回数）の設定値を“０”にクリアし（ステップＳ４６２）、時短回数の設定値を“０”にクリアし（ステップＳ４６３）、変動数カウンタの値を“０”にクリアし（ステップＳ４６４）、変動時遊技状態遷移処理を終了する。一方、ステップＳ４６１において、低確低ベース状態になっていないと判定した場合（ステップＳ４６１；ＮＯ）、ステップＳ４６２、Ｓ４６３、Ｓ４６４を実行することなく変動時遊技状態遷移処理を終了する。
【０２８８】
図２２は、図１２に示す特別図柄プロセス処理（ステップＳ１５）のステップＳ１１７にて実行される大当り終了処理の一例を示すフローチャートである。図２２に示す大当り終了処理において、ＣＰＵ１０３は、まず、大当り終了時演出待ち時間が経過したか否かを判定する（ステップＳ３１１）。一例として、図１２に示す大当り開放後処理（ステップＳ１１６）においては、特図プロセスフラグの値を“７”に更新するときに、大当り終了時演出待ち時間に対応して予め定められたタイマ初期値が遊技制御プロセスタイマにセットされる。この場合、ステップＳ３１１の処理においては、ＣＰＵ１０３は、例えば、遊技制御プロセスタイマ値を１減算すること等により更新し、更新後の遊技制御プロセスタイマ値が所定の待ち時間経過判定値と合致したか否かに応じて、大当り終了時演出待ち時間が経過したか否かを判定すればよい。
【０２８９】
ステップＳ３１１にて大当り終了時演出待ち時間が経過していなければ（ステップＳ３１１；ＮＯ）、ＣＰＵ１０３は、そのまま大当り終了処理を終了する。一方、ステップＳ３１１にて大当り終了時演出待ち時間が経過した場合には（ステップＳ３１１；ＹＥＳ）、ＣＰＵ１０３は、遊技制御バッファ設定部１５５に記憶されている大当り種別バッファ値を読み出す（ステップＳ３１２）。続いて、ＣＰＵ１０３は、遊技制御フラグ設定部１５２に設けられた確変フラグをオン状態にするなどして、高確状態（確変状態）に設定する（ステップＳ３１４）。続いて、ＣＰＵ１０３は、遊技制御フラグ設定部１５２に設けられた時短フラグをオン状態にするなどして、高ベース状態に設定する（ステップＳ３１５）。つまり、ステップＳ３１４、ステップＳ３１５の処理によって、大当り遊技状態の終了時には、遊技状態が高確高ベース状態に設定される。
【０２９０】
ステップＳ３１５の処理に続いて、ＣＰＵ１０３は、ＳＴ回数（確変回数）の設定値を７０回に設定し（ステップＳ３１６）、時短回数を７０回に設定する（ステップＳ３１７）。続いて、ＣＰＵ１０３は、変動数カウンタの値を“０”にクリアし（ステップＳ３１８）、大当り終了処理を終了する。
【０２９１】
なお、本実施形態では、ＳＴ回数（確変回数）の設定値と時短回数を７０回の設定値とを同一の値（共に７０回）としたが、ＳＴ回数（確変回数）の設定値と時短回数を７０回の設定値とを異なる値としてもよい。また、本実施形態では、８Ｒ確変大当りの場合のＳＴ回数（確変回数）の設定値と、１６Ｒ確変大当りの場合のＳＴ回数（確変回数）の設定値とを同一の値（共に７０回）としたが、８Ｒ確変大当りの場合のＳＴ回数（確変回数）の設定値と、１６Ｒ確変大当りの場合のＳＴ回数（確変回数）の設定値とを異なる値としてもよい。また、本実施形態では、８Ｒ確変大当りの場合の時短回数の設定値と、１６Ｒ確変大当りの場合の時短回数の設定値とを同一の値（共に７０回）としたが、８Ｒ確変大当りの場合の時短回数の設定値と、１６Ｒ確変大当りの場合の時短回数の設定値とを異なる値としてもよい。なお、ＣＰＵ１０３は、遊技制御バッファ設定部１５５に記憶されている大当り種別バッファ値が「１」である場合には１６Ｒ確変大当りであると判断し、大当り種別バッファ値が「２」である場合には８Ｒ確変大当りであると判断してもよい。
【０２９２】
以上のように、主基板１１では、ステップＳ１０１の始動入賞判定処理において、演出制御基板１２に対して、始動口バッファ値に応じた始動口入賞指定コマンドを送信するための送信設定が行われ（ステップＳ２１９）、ステップＳ４０３などにおいて判定された特図表示結果に応じた図柄指定コマンドを送信するための送信設定が行われ（ステップＳ４１０）、ステップＳ４１２において決定された変動カテゴリに応じた変動カテゴリコマンドを送信するための送信設定（ステップＳ４１３）が行われ、保留記憶数通知コマンドを送信するための送信設定が行われる（ステップＳ２２１）。これらの処理が実行されてから、図１１に示す遊技制御用タイマ割込み処理のコマンド制御処理（ステップＳ１７）を実行することにより、始動入賞口（第１始動入賞口、第２始動入賞口）を遊技球が通過（進入）して第１始動条件や第２始動条件が成立したときには、始動口入賞指定コマンド（第１始動口入賞指定コマンド又は第２始動口入賞指定コマンド）、図柄指定コマンド、変動カテゴリコマンド、保留記憶数通知コマンド（第１保留記憶数通知コマンド又は第２保留記憶数通知コマンド）という４つのコマンドが１セットとして、１タイマ割込内に一括して送信される。
【０２９３】
また、主基板１１では、ステップＳ１１０の特別図柄通常処理において、特図表示結果決定用の乱数値ＭＲ１や大当り種別決定用の乱数値ＭＲ２などを用いて特別図柄の可変表示結果となる確定特別図柄が決定され、ステップＳ１１１の変動パターン設定処理において、変動カテゴリ決定用の乱数値ＭＲ３や変動パターン決定用の乱数値ＭＲ５などを用いて飾り図柄の変動パターンが決定される。
【０２９４】
更に、ステップＳ１１１の変動パターン設定処理では、上述の如く決定された確定特別図柄を指定する可変表示結果通知コマンドや上述の如く決定された飾り図柄の変動パターンを指定する変動パターン指定コマンドなどを、演出制御基板１２に対して送信するための送信設定が行われる。これらの処理が実行されてから、図１１に示す遊技制御用タイマ割込み処理のコマンド制御処理（ステップＳ１７）のコマンド制御処理を実行することにより、可変表示を開始するときには、可変表示結果通知コマンドや変動パターン指定コマンドなどが、１タイマ割込内に一括して送信される。なお、１タイマ割込内に一括して送信されるものに限定されず、タイマ割込毎にステップＳ１７のコマンド制御処理により１つずつコマンドが順次に送信されてもよい。
【０２９５】
つまり、特別図柄や飾り図柄の可変表示が開始されるタイミングで、特別図柄通常処理（ステップＳ１１０）にて特図表示結果（特別図柄の可変表示結果）を「大当り」として大当り遊技状態に制御するか否かの決定が行われ、変動パターン設定処理（ステップＳ１１１）にて飾り図柄の具体的な可変表示態様（変動パターン）の決定などが行われ、夫々の演出制御コマンドによって決定された内容が演出制御基板１２に送信される。また、これに先立って、遊技球が始動入賞口（第１始動入賞口、第２始動入賞口）にて検出されたタイミングで、入賞時乱数値判定処理（ステップＳ２２０）により、「大当り」として大当り遊技状態に制御されるか否かの判定や、飾り図柄の大まかな可変表示態様（変動カテゴリ）の判定などが行われ、夫々の演出制御コマンドによって決定された内容が演出制御基板１２に送信される。
【０２９６】
また、大当り（８Ｒ確変大当り、１６Ｒ確変大当り）となった場合には、ステップＳ１１７の大当り終了処理において、ＳＴ回数（確変回数）及び時短回数が共に７０回である、遊技状態が高確高ベース状態に設定される。また、遊技状態が高確高ベース状態であるときの各変動において変動数カウンタがカウントアップされ（ステップＳ４５２）、変動数カウンタがＳＴ回数（確変回数）を超えたときに遊技状態が低確状態に設定され（ステップＳ４５７）、変動数カウンタが時短回数を超えたときに遊技状態が低ベースに設定される（ステップＳ４６０）。
【０２９７】
次に、演出制御基板１２における動作を説明する。
【０２９８】
演出制御基板１２では、電源基板等から電源電圧の供給を受けると、演出制御用ＣＰＵ１２０が起動して、図２３のフローチャートに示すような演出制御メイン処理を実行する。図２３に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。その後、タイマ割込みフラグがオン状態となっているか否かの判定を行う（ステップＳ７２）。タイマ割込みフラグは、例えばＣＴＣのレジスタ設定に基づき、所定時間（例えば２ミリ秒）が経過するごとにオン状態にセットされる。このとき、タイマ割込みフラグがオフ状態であれば（ステップＳ７２；ＮＯ）、ステップＳ７２の処理を繰り返し実行して待機する。
【０２９９】
また、演出制御基板１２の側では、所定時間が経過するごとに発生するタイマ割込みとは別に、主基板１１から演出制御コマンド等を受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンド等となる制御信号を取り込む。
【０３００】
このとき取り込まれた演出制御コマンドは、例えば演出制御バッファ設定部１９４に設けられた演出制御コマンド受信用バッファに格納する。一例として、演出制御コマンドが２バイト構成である場合には、１バイト目（ＭＯＤＥ）と２バイト目（ＥＸＴ）を順次に受信して演出制御コマンド受信用バッファに格納する。その後、演出制御用ＣＰＵ１２０は、割込み許可に設定してから、コマンド受信割込み処理を終了する。
【０３０１】
ステップＳ７２にてタイマ割込みフラグがオン状態である場合には（ステップＳ７２；ＹＥＳ）、タイマ割込みフラグをクリアしてオフ状態にするとともに（ステップＳ７３）、コマンド解析処理を実行する（ステップＳ７４）。ステップＳ７４にて実行されるコマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０３０２】
ステップＳ７４にてコマンド解析処理を実行した後には、演出制御プロセス処理を実行する（ステップＳ７５）。ステップＳ７５の演出制御プロセス処理では、例えば画像表示装置５の表示領域における演出画像の表示動作、スピーカ８からの音声出力動作、ランプ９における発光動作、演出用模型における駆動動作といった、各種の演出装置を用いた演出動作の制御内容について、主基板１１から送信された演出制御コマンド等に応じた判定や決定、設定などが行われる。
【０３０３】
ステップＳ７５の演出制御プロセス処理に続いて、第２特定演出処理が実行される（ステップＳ７７）。第２特定演出処理の詳細は図３４を用いて後述する。
ステップＳ７７の第２特定演出処理に続いて、演出用乱数更新処理が実行され（ステップＳ７６）、演出制御に用いる各種の乱数値として、演出制御カウンタ設定部１９３のランダムカウンタによってカウントされる演出用乱数を示す数値データを、ソフトウェアにより更新する。その後、ステップＳ７２の処理に戻る。
【０３０４】
図２４は、図２３に示す演出制御メイン処理のステップＳ７４にて実行されるコマンド解析処理の一例を示すフローチャートである。図２４に示すコマンド解析処理において、演出制御用ＣＰＵ１２０は、まず、演出制御コマンド受信用バッファの記憶内容を確認することなどにより、中継基板１５を介して伝送された主基板１１からの受信コマンドがあるか否かを判定する（ステップＳ５０１）。このとき、受信コマンドがなければ（ステップＳ５０１；ＮＯ）、コマンド解析処理を終了する。
【０３０５】
ステップＳ５０１にて受信コマンドがある場合には（ステップＳ５０１；ＹＥＳ）、例えば受信コマンドのＭＯＤＥデータを確認することなどにより、その受信コマンドが第１始動口入賞指定コマンドであるか否かを判定する（ステップＳ５０２）。そして、第１始動口入賞指定コマンドであるときには（ステップＳ５０２；ＹＥＳ）、第１保留記憶数通知待ち時間を設定する（ステップＳ５０３）。例えば、ステップＳ５０３の処理では、第１保留記憶数通知コマンドの受信待ち時間に対応して予め定められたタイマ初期値が、演出制御タイマ設定部１９２に設けられたコマンド受信制御タイマにセットされればよい。
【０３０６】
ステップＳ５０２にて受信コマンドが第１始動口入賞指定コマンドではない場合には（ステップＳ５０２；ＮＯ）、その受信コマンドは第２始動口入賞指定コマンドであるか否かを判定する（ステップＳ５０４）。そして、第２始動口入賞指定コマンドであるときには（ステップＳ５０４；ＹＥＳ）、第２保留記憶数通知待ち時間を設定する（ステップＳ５０５）。例えば、ステップＳ５０５の処理では、第２保留記憶数通知コマンドの受信待ち時間に対応して予め定められたタイマ初期値が、コマンド受信制御タイマにセットされればよい。
【０３０７】
ステップＳ５０４にて受信コマンドが第２始動口入賞指定コマンドではない場合には（ステップＳ５０４；ＮＯ）、その受信コマンドは図柄指定コマンドであるか否かを判定する（ステップＳ５０６）。ステップＳ５０６にて受信コマンドが図柄指定コマンドではない場合には（ステップＳ５０６；ＮＯ）、その受信コマンドは変動カテゴリコマンドであるか否かを判定する（ステップＳ５０７）。ステップＳ５０７にて受信コマンドが変動カテゴリコマンドではない場合には（ステップＳ５０７；ＮＯ）、その受信コマンドは第１保留記憶数通知コマンドであるか否かを判定する（ステップＳ５０８）。そして、第１保留記憶数通知コマンドであるときには（ステップＳ５０８；ＹＥＳ）、例えばコマンド受信制御タイマによる計時動作を初期化することなどにより、第１保留記憶数通知待ち時間をクリアする（ステップＳ５０９）。
【０３０８】
ステップＳ５０８にて受信コマンドが第１保留記憶数通知コマンドではない場合には（ステップＳ５０８；ＮＯ）、その受信コマンドは第２保留記憶数通知コマンドであるか否かを判定する（ステップＳ５１０）。そして、第２保留記憶数通知コマンドであるときには（ステップＳ５１０；ＹＥＳ）、例えばコマンド受信制御タイマによる計時動作を初期化することなどにより、第２保留記憶数通知待ち時間をクリアする（ステップＳ５１１）。
【０３０９】
ステップＳ５０６にて受信コマンドが図柄指定コマンドである場合や（ステップＳ５０６；ＹＥＳ）、ステップＳ５０７にて受信コマンドが変動カテゴリコマンドである場合（ステップＳ５０７；ＹＥＳ）、あるいはステップＳ５０３、Ｓ５０５、Ｓ５０９、Ｓ５１１の処理の何れかを実行した後には、当該受信コマンドの１つ前に受信した受信コマンドに対するステップＳ５０３の処理において、第１保留記憶数通知待ち時間が設定されている場合、当該受信コマンドを第１始動入賞時受信コマンドバッファ１９４Ａにおける空き領域の先頭に格納してから（ステップＳ５１２）、ステップＳ５０１の処理に戻る。
【０３１０】
また、ステップＳ５０６にて受信コマンドが図柄指定コマンドである場合や（ステップＳ５０６；ＹＥＳ）、ステップＳ５０７にて受信コマンドが変動カテゴリコマンドである場合（ステップＳ５０７；ＹＥＳ）、あるいはステップＳ５０３、Ｓ５０５、Ｓ５０９、Ｓ５１１の処理の何れかを実行した後には、当該受信コマンドの１つ前に受信した受信コマンドに対するステップＳ５０３の処理において、第２保留記憶数通知待ち時間が設定されている場合、当該受信コマンドを第２始動入賞時受信コマンドバッファ１９４Ｂにおける空き領域の先頭に格納してから（ステップＳ５１２）、ステップＳ５０１の処理に戻る。
【０３１１】
なお、第１変動開始コマンドとともに第１保留記憶数通知コマンドを受信した場合には、保留記憶数通知コマンドを第１始動入賞時受信コマンドバッファ１９４Ａに格納しないようにしてもよい。すなわち、始動入賞の発生に対応して受信した演出制御コマンドを、第１始動入賞時受信コマンドバッファ１９４Ａにおける空き領域の先頭から順次に格納することができればよい。
【０３１２】
また、第２変動開始コマンドとともに第２保留記憶数通知コマンドを受信した場合には、保留記憶数通知コマンドを第２始動入賞時受信コマンドバッファ１９４Ｂに格納しないようにしてもよい。すなわち、始動入賞の発生に対応して受信した演出制御コマンドを、第２始動入賞時受信コマンドバッファ１９４Ｂにおける空き領域の先頭から順次に格納することができればよい。
【０３１３】
ステップＳ５１０にて受信コマンドが第２保留記憶数通知コマンドではない場合には（ステップＳ５１０；ＮＯ）、その他の受信コマンドに応じた設定を行ってから（ステップＳ５１３）、ステップＳ５０１の処理に戻る。例えば、受信コマンドが遊技状態指定コマンドである場合、その遊技状態指定コマンドを解析して、現在の遊技状態を特定する。また、例えば、受信コマンドが当り終了指定コマンドである場合、その当り終了指定コマンドを解析して、時短であるか否かを特定する。
【０３１４】
始動口入賞指定コマンド（第１始動口入賞指定コマンド又は第２始動口入賞指定コマンド）、図柄指定コマンド、変動カテゴリコマンド、保留記憶数通知コマンド（第１保留記憶数通知コマンド、第２保留記憶数通知コマンド）のように、始動入賞が発生したときに主基板１１から受信する演出制御コマンドは、始動入賞時のコマンドともいう。また、第１保留記憶数通知コマンド、第２保留記憶数通知コマンドや第１始動口入賞指定コマンド、第２始動口入賞指定コマンドは、保留記憶情報ともいう。また、図柄指定コマンドや変動カテゴリコマンドは、判定結果情報ともいう。
【０３１５】
なお、第１始動入賞時受信コマンドバッファ１９４Ａにおける空き領域の先頭から順次に受信コマンドを格納するときには、受信コマンドが図柄指定コマンド、変動カテゴリコマンド、第１保留記憶数通知コマンドのいずれであるかを区別せずに格納してもよいし、各受信コマンドを区別して、対応する格納領域における空き領域の先頭に格納してもよい。
【０３１６】
また、第２始動入賞時受信コマンドバッファ１９４Ｂにおける空き領域の先頭から順次に受信コマンドを格納するときには、受信コマンドが図柄指定コマンド、変動カテゴリコマンド、第２保留記憶数通知コマンドのいずれであるかを区別せずに格納してもよいし、各受信コマンドを区別して、対応する格納領域における空き領域の先頭に格納してもよい。
【０３１７】
図２５は、図２３に示す演出制御メイン処理のステップＳ７５にて実行される演出制御プロセス処理の一例を示すフローチャートである。図２５に示す演出制御プロセス処理において、演出制御用ＣＰＵ１２０は、まず、入賞時演出決定処理を実行する（ステップＳ１５０）。入賞時演出決定処理では、演出制御用ＣＰＵ１２０は、まず、始動入賞時受信コマンドバッファ（第１始動入賞時受信コマンドバッファ１９４Ａ又は第２始動入賞時受信コマンドバッファ１９４Ｂ）における記憶内容をチェックする処理や、受信コマンドとして、始動口入賞指定コマンドを受信しているか否かを判定する処理や、始動入賞記憶表示エリア５Ｈに追加表示させる際の保留表示の表示態様（追加時表示態様とも称する）を決定する処理などが実行される。
【０３１８】
ステップＳ１５０の入賞時演出決定処理を実行した後には、例えば、演出制御フラグ設定部１９１などに設けられた演出プロセスフラグの値に応じて、以下のようなステップＳ１７０〜１７７の処理の何れかを選択して実行する。
【０３１９】
ステップＳ１７０の可変表示開始待ち処理は、演出プロセスフラグの値が初期値である“０”のときに実行される処理である。この可変表示開始待ち処理は、主基板１１から伝送された第１変動開始コマンド（又は第２変動開始コマンド）、変動パターン指定コマンド、可変表示結果通知コマンドなどを受信したか否かに基づき、画像表示装置５における飾り図柄の可変表示を開始するか否かを判定する処理や、デモ演出（客待ちデモンストレーション表示）を実行する処理を表示する処理などを含んでいる。飾り図柄の可変表示を開始すると判定したときには、演出プロセスフラグの値を“１”に更新する。
【０３２０】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５における飾り図柄の可変表示やその他の各種演出動作を行うために特別図柄の変動パターンや表示結果の種類などに応じた確定飾り図柄を決定する処理や、第１保留表示又は第２保留表示をシフトさせてアクティブ表示エリアＡＨＡに第１保留表示または第２保留表示に対応するアクティブ表示に応じた情報を表す特別画像を表示する処理や、各種の演出（例えば、主予告演出）を決定する処理などを含んでいる。その後、演出プロセスフラグの値を“２”に更新する。
【０３２１】
ステップＳ１７２の可変表示中演出処理は、演出プロセスフラグの値が“２”のときに実行される処理である。この可変表示中演出処理において、演出制御用ＣＰＵ１２０は、演出制御タイマ設定部１９２に設けられた演出制御プロセスタイマにおけるタイマ値に対応して、可変表示開始設定処理において決定された演出制御パターンに基づいて、各種の制御データを読み出し、各種の演出制御（例えば、飾り図柄の可変表示中における飾り図柄の可変表示制御）を行う。具体的には、演出制御用ＣＰＵ１２０は、読み出した制御データ（プロセスデータ）に基づき、映像信号（演出画像）を画像表示装置５に出力して画面上に表示させる制御、演出音信号を音声制御基板１３に出力してスピーカ８から演出音を出力させる制御、電飾信号をランプ制御基板１４に出力してランプ９を点灯／消灯／点滅させる制御といった各種の演出制御を実行する。
【０３２２】
こうした演出制御を行った後、例えば演出制御パターンから飾り図柄の可変表示終了を示す終了コードが読み出されたこと、あるいは、主基板１１から伝送される図柄確定コマンドを受信したことなどに対応して、飾り図柄の可変表示結果となる確定飾り図柄（最終停止図柄）を完全停止表示させる。演出制御パターンから終了コードが読み出されたことに対応して確定飾り図柄を完全停止表示させるようにすれば、変動パターン指定コマンドにより指定された変動パターンに対応する可変表示時間が経過したときに、主基板１１からの演出制御コマンドによらなくても、演出制御基板１２の側で自律的に確定飾り図柄を導出表示して可変表示結果を確定させることができる。確定飾り図柄を完全停止表示したときには、演出プロセスフラグの値を“３”に更新する。
【０３２３】
ステップＳ１７３の特図当り待ち処理は、演出プロセスフラグの値が“３”のときに実行される処理である。この特図当り待ち処理は、ＳＴ回数（確変回数）や時短回数をカウントする処理や、演出数カウンタの値を更新する処理や、演出数カウンタの値に応じて遊技状態を変更する処理などを含んできる。この特図当り待ち処理において、演出制御用ＣＰＵ１２０は、停止図柄が大当り図柄であるときは、ファンファーレ演出を設定するとともに、演出プロセスフラグの値を“４”に更新し、停止図柄が大当り図柄でないときは、演出プロセスフラグの値を初期値である“０”に更新する。
【０３２４】
ステップＳ１７４の大当り開始処理は、演出プロセスフラグの値が“４”のときに実行される処理である。この大当り開始処理は、特別可変入賞球装置７が開放状態となる前に実行され、ファンファーレ演出を実行する処理や、特別可変入賞球装置７が開放状態となったときに実行する演出（例えば、通常曲に対応する演出や、特別曲に対応する演出など）を設定する処理などを含んでいる。その後、演出プロセスフラグの値を“５”に更新する。
【０３２５】
ステップＳ１７５のラウンド中処理は、演出プロセスフラグの値が“５”のときに実行される処理である。このラウンド中処理は、特別可変入賞球装置７が開放状態であるときに実行され、特別可変入賞球装置７が開放状態となったときの演出（例えば、通常曲に対応する演出や、特別曲に対応する演出など）を実行する処理や、特別可変入賞球装置７が閉鎖状態となったときに実行する演出（例えば、通常曲に対応する演出や、特別曲に対応する演出など）を設定する処理などを含んでいる。その後、演出プロセスフラグの値を“６”に更新する。
【０３２６】
ステップＳ１７６のラウンド後処理は、演出プロセスフラグの値が“６”のときに実行される処理である。このラウンド後処理は、特別可変入賞球装置７が開放状態であるときに実行される。主基板１１からの大入賞口開放中通知コマンドを受信したときは、特別可変入賞球装置７が開放状態となったときに実行する演出（例えば、通常曲に対応する演出や、特別曲に対応する演出など）を設定するとともに、演出プロセスフラグの値を“５”に更新する。また、主基板１１からの当り終了指定コマンドを受信したときは、エンディング演出を設定するとともに、演出プロセスフラグの値を“７”に更新する。
【０３２７】
ステップＳ１７７の大当り終了後処理は、演出プロセスフラグの値が“７”のときに実行される処理である。この大当り終了後処理は、特別可変入賞球装置７が閉鎖状態となる前に実行され、エンディング演出を実行する処理や、遊技状態を設定する処理や、ＳＴ回数（確変回数）や時短回数を設定する処理などを含んできる。その後、演出プロセスフラグの値を“０”に更新する。
【０３２８】
図２６は、図２５に示す演出制御プロセス処理（ステップＳ７５）のステップＳ１７０にて実行される可変表示開始待ち処理の一例を示すフローチャートである。図２６に示す可変表示開始待ち処理において、演出制御用ＣＰＵ１２０は、まず、第１変動開始コマンド（又は第２変動開始コマンド）の受信があるか否かを判定する（ステップＳ１０００）。
【０３２９】
ステップＳ１０００において第１変動開始コマンド（又は第２変動開始コマンド）の受信がないと判定した場合（ステップＳ１０００；ＮＯ）、演出制御用ＣＰＵ１２０は、デモ演出中フラグがオン状態であるか否かを判定する（ステップＳ１００２）。デモ演出中フラグは、客待ちデモンストレーション表示が行われているか否かを示すフラグである。デモ演出中フラグがオン状態（例えば、値「１」）であるときは客待ちデモンストレーション表示が行われていることを示し、デモ演出中フラグがオフ状態（例えば、値「０」）であるときは客待ちデモンストレーション表示が行われていないことを示す。デモ演出中フラグの値は、例えば、演出制御フラグ設定部１９１に記憶されていればよい。
【０３３０】
ステップＳ１００２においてデモ演出中フラグがオン状態でないと判定した場合（ステップＳ１００２；ＮＯ）、演出制御用ＣＰＵ１２０は、客待ちデモ指定コマンドの受信があるか否かを判定する（ステップＳ１００４）。ステップＳ１００４において客待ちデモ指定コマンドの受信がないと判定した場合（ステップＳ１００４；ＮＯ）、可変表示開始待ち処理を終了する。一方、ステップＳ１００４において客待ちデモ指定コマンドの受信があると判定した場合（ステップＳ１００４；ＹＥＳ）、デモ演出中フラグをオン状態にセットし（ステップＳ１００６）、デモ演出（客待ちデモンストレーション表示）に応じたプロセスデータ（演出制御パターン）を選択し（ステップＳ１００８）、演出制御プロセスタイマをスタートさせる（ステップＳ１０１０）。これにより、客待ちデモ指定コマンドの受信にもとづいて、デモ演出（客待ちデモンストレーション表示）が開始される。
その後、可変表示開始待ち処理を終了する。
なお、本実施形態では、デモ演出を開始する条件としてステップＳ１７０の可変表示開始待ち処理において、客待ちデモ指定コマンドの受信があるか否かを判定する場合を説明したが、デモ演出を開始する条件はこれに限定されない。例えば、可変表示停止から所定の時間が経過したときにデモ演出を開始してもよい。また、センサ等により遊技者が遊技状態ではないことを検出してデモ演出を開始してもよい。
【０３３１】
ステップＳ１００２においてデモ演出中フラグがオン状態であると判定した場合（ステップＳ１００２；ＹＥＳ）、つまり、デモ演出が既に行われている場合、演出制御用ＣＰＵ１２０は、所定の操作（例えば、スティックコントローラ３１Ａやプッシュボタン３１Ｂなどによる所定の操作）があるか否かを判定する（ステップＳ１０１２）。ステップＳ１０１２において所定の操作がないと判定した場合（ステップＳ１０１２；ＮＯ）、可変表示開始待ち処理を終了する。つまり、デモ演出を続行する。
一方、ステップＳ１０１２において所定の操作があると判定した場合（ステップＳ１０１２；ＹＥＳ）、演出制御用ＣＰＵ１２０は、演出調整表示を表示する（ステップＳ１０１３）。
【０３３２】
演出調整表示は、演出調整手段の一態様である。演出調整表示は、演出手段の調整を「表示」によって行う。演出調整表示は、例えば、画像表示装置５の表示画面に演出手段の設定状況を示すアイコン等を表示させることにより実行される。
演出手段は、例えば、スピーカ８等の音出力手段、ＬＥＤ９等の発光手段である。演出手段が音出力手段である場合、演出調整表示は、例えば、画像表示装置５に表示される音量調整用のアイコン表示である。また、演出手段が発光手段である場合、演出調整表示は、例えば、画像表示装置５に表示される輝度調整用のアイコン表示である。
遊技者は、画像表示装置５の表示画面に表示される演出調整表示を目視で確認しながら、例えば図２で説明したスティックコントローラ３１Ａ、プッシュボタン３１Ｂ、あるいは図示しない十字キー等で演出手段の音量、輝度等を調整する。
【０３３３】
演出手段としてのスピーカ８等から出力される適切な音量や、演出手段としてのＬＥＤ９の適切な輝度は、遊技者に対して演出効果を向上させるものである。一方、スピーカ８等から出力される不適切な音量やＬＥＤ９の不適切な輝度は、遊技者に対して不快感を与える等の不利益を与える場合がある。
【０３３４】
演出調整表示は、図９で説明したプロセスデータに基づき演出制御用ＣＰＵ１２０によって表示が制御される。すなわち、演出調整表示の表示、変更、消去等の演出動作の制御内容はプロセスデータに予め設定されている。例えば、プロセスデータには、演出手段の音量や輝度の設定状況をアイコン等によって表示する制御内容を設定することができる。また、プロセスデータには、遊技者がプッシュボタン３１Ｂや十字キー等を操作して音量や輝度の設定を変更したときの演出調整表示を変更（ボリューム表示の増減等）する制御内容を設定することができる。また、プロセスデータには、遊技者がプッシュボタン３１Ｂや十字キー等を操作したとき又は所定の時間が経過したときに画像表示装置５の表示画面に表示されている演出調整表示を消去する制御内容を設定することができる。
ステップＳ１０１３の処理の処理を実行後、可変表示開始待ち処理（ステップＳ１７０）を終了する。
【０３３５】
ステップＳ１０００において第１変動開始コマンド（又は第２変動開始コマンド）の受信があると判定した場合（ステップＳ１０００；ＹＥＳ）、演出制御用ＣＰＵ１２０は、デモ演出中フラグがオン状態であるか否かを判定する（ステップＳ１０２２）。ステップＳ１０２２においてデモ演出中フラグがオン状態であると判定した場合（ステップＳ１０２２；ＹＥＳ）、つまり、デモ演出が既に行われている場合、デモ演出中フラグをオフ状態にリセットする（ステップＳ１０２４）。その後、演出プロセスフラグの値を可変表示開始設定処理に対応した値である“１”に更新してから（ステップＳ１０２６）、可変表示開始待ち処理を終了する。一方、ステップＳ１０２２においてデモ演出中フラグがオン状態でないと判定した場合（ステップＳ１０２２；ＮＯ）、ステップＳ１０２４の処理を省略（飛ばして）して、演出プロセスフラグの値を可変表示開始設定処理に対応した値である“１”に更新してから（ステップＳ１０２６）、可変表示開始待ち処理を終了する。
【０３３６】
図２７は、図２５に示す演出制御プロセス処理（ステップＳ７５）のステップＳ１７１にて実行される可変表示開始設定処理の一例を示すフローチャートである。図２７に示す可変表示開始設定処理において、演出制御用ＣＰＵ１２０は、まず、例えば、主基板１１から伝送された可変表示結果通知コマンドにおけるＥＸＴデータを読み取ることなどにより、特図表示結果が「ハズレ」であるか否かを判定する（ステップＳ５２２）。
【０３３７】
ステップＳ５２２において特図表示結果が「ハズレ」であると判定した場合（ステップＳ５２２；ＹＥＳ）、演出制御用ＣＰＵ１２０は、例えば主基板１１から伝送された変動パターン指定コマンドにおけるＥＸＴデータを読み取ることなどにより、指定された変動パターンが飾り図柄の可変表示態様を「非リーチ（ハズレ）」とする場合に対応した非リーチ変動パターン（即ち、図５の「ＰＡ１−１」「ＰＡ２−１」「ＰＡ２−２」「ＰＡ２−３」）であるか否かを判定する（ステップＳ５２３）。
【０３３８】
ステップＳ５２３において非リーチ変動パターンであると判定した場合には（ステップＳ５２３；ＹＥＳ）、演出制御用ＣＰＵ１２０は、非リーチ組合せを構成する確定飾り図柄（最終停止図柄）の組合せを決定する（ステップＳ５２４）。一例として、ステップＳ５２４の処理では、まず、演出制御カウンタ設定部１９３に設けられたランダムカウンタ等により更新される左確定図柄決定用の乱数値を示す数値データを抽出し、ＲＯＭ１２１などに予め記憶された所定の左確定図柄決定テーブルを参照することなどにより、確定飾り図柄のうち画像表示装置５の表示領域における「左」の飾り図柄表示エリア５Ｌに停止表示される左確定飾り図柄を決定する。
【０３３９】
次に、演出制御カウンタ設定部１９３に設けられたランダムカウンタ等により更新される右確定図柄決定用の乱数値を示す数値データを抽出し、ＲＯＭ１２１などに予め記憶された所定の右確定図柄決定テーブルを参照することなどにより、確定飾り図柄のうち画像表示装置５の表示領域における「右」の飾り図柄表示エリア５Ｒに停止表示される右確定飾り図柄を決定する。このときには、右確定図柄決定テーブルにおける設定などにより、右確定飾り図柄の図柄番号が左確定飾り図柄の図柄番号とは異なるように、決定されるとよい。続いて、演出制御カウンタ設定部１９３に設けられたランダムカウンタ等により更新される中確定図柄決定用の乱数値を示す数値データを抽出し、ＲＯＭ１２１などに予め記憶された所定の中確定図柄決定テーブルを参照することなどにより、確定飾り図柄のうち画像表示装置５の表示領域における「中」の飾り図柄表示エリア５Ｃに停止表示される中確定飾り図柄を決定する。なお、ステップＳ５２４の処理では、変動図柄予告を実行中である場合に対応して、所定のチャンス目図柄となる非リーチ組合せの確定飾り図柄を決定すればよい。
【０３４０】
ステップＳ５２３において非リーチ変動パターンでないと判定した場合には（ステップＳ５２３；ＮＯ）、演出制御用ＣＰＵ１２０は、リーチ組合せを構成する確定飾り図柄（最終停止図柄）の組合せを決定する（ステップＳ５２５）。一例として、ステップＳ５２５の処理では、まず、演出制御カウンタ設定部１９３に設けられたランダムカウンタ等により更新される左右確定図柄決定用の乱数値を示す数値データを抽出し、ＲＯＭ１２１などに予め記憶された所定の左右確定図柄決定テーブルを参照することなどにより、確定飾り図柄のうち画像表示装置５の表示領域における「左」と「右」の飾り図柄表示エリア５Ｌ、５Ｒにて揃って停止表示される図柄番号が同一の飾り図柄を決定する。さらに、演出制御カウンタ設定部１９３に設けられたランダムカウンタ等により更新される中確定図柄決定用の乱数値を示す数値データを抽出し、ＲＯＭ１２１などに予め記憶された所定の中確定図柄決定テーブルを参照することなどにより、確定飾り図柄のうち画像表示装置５の表示領域における「中」の飾り図柄表示エリア５Ｃにて停止表示される中確定飾り図柄を決定する。
【０３４１】
ここで、例えば中確定飾り図柄の図柄番号が左確定飾り図柄及び右確定飾り図柄の図柄番号と同一になる場合のように、確定飾り図柄が大当り組合せとなってしまう場合には、任意の値（例えば「１」）を中確定飾り図柄の図柄番号に加算又は減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０３４２】
ステップＳ５２２において特図表示結果が「ハズレ」でないと判定した場合（ステップＳ５２２；ＮＯ）、すなわち、特図表示結果が「大当り（１６Ｒ確変大当り、８Ｒ確変大当り）」である場合、演出制御用ＣＰＵ１２０は、大当り組合せを構成する確定飾り図柄（最終停止図柄）の組合せを決定する（ステップＳ５２８）。一例として、ステップＳ５２８の処理では、まず、演出制御カウンタ設定部１９３のランダムカウンタなどにより更新される大当り確定図柄決定用の乱数値を示す数値データを抽出し、続いてＲＯＭ１２１などに予め記憶された所定の大当り確定図柄決定テーブルを参照することなどにより、画像表示装置５の画面上で「左」、「中」、「右」の飾り図柄表示エリア５Ｌ、５Ｃ、５Ｒに揃って停止表示される図柄番号が同一の飾り図柄を決定する。
【０３４３】
なお、ステップＳ５２８において確定飾り図柄の組合せを決定するときには、演出制御用ＣＰＵ１２０は、大当り種別（１６Ｒ確変大当り、８Ｒ確変大当り）がいずれであるかや、昇格演出の有無などに応じて、確定飾り図柄を決定してもよい。
【０３４４】
具体的な一例として、例えば、１６Ｒ確変大当り専用の大当り組合せ（例えば、奇数の同一の飾り図柄が３個並んだもの）と、８Ｒ確変大当り専用の大当り組み合せ（例えば、偶数の同一の飾り図柄が３個並んだもの）とする態様において、１６Ｒ確変大当りである場合には、１６Ｒ確変大当り専用の大当り組合せ、または、８Ｒ確変大当り専用の大当り組み合せかのいずれかを確定飾り図柄に決定すればよい。このとき、８Ｒ確変大当り専用の大当り組み合せを確定飾り図柄に決定した場合には、昇格演出として、８ラウンドが終了する迄の間に１６Ｒ確変大当りである旨が報知されればよい。他方、８Ｒ確変大当りである場合には、８Ｒ確変大当り専用の大当り組み合せかを確定飾り図柄に決定すればよい。
【０３４５】
なお、本実施形態では２Ｒ確変大当り（突確）を設けないが、２Ｒ確変大当り（突確）を設ける場合において、特図表示結果が「大当り（２Ｒ確変大当り（確変））」である場合、演出制御用ＣＰＵ１２０は、２Ｒ確変大当り（突確）に対応した確定飾り図柄（最終停止図柄）の組合せを決定してもよい。
【０３４６】
ステップＳ５２５の処理〜ステップＳ５２８の処理の何れかを実行した後には、演出制御用ＣＰＵ１２０は、第１特定演出設定処理を実行する（ステップＳ５２９）。第１特定演出設定処理は、第１特定演出を実行するための設定処理である。第１特定演出設定処理の詳細は図２８を用いて後述する。
【０３４７】
ステップＳ５２９の処理の後には、演出制御用ＣＰＵ１２０は、保留消化処理を実行する（ステップＳ５３０）。具体的には、当該変動に対応する保留表示に応じたアクティブ表示をアクティブ表示エリアＡＨＡに表示させる（換言すれば、当該変動に対応するアクティブ表示を含む特別画像を表示させる）。例えば、第１特図ゲームと連動して飾り図柄の変動を開始するときには（今回の飾り図柄の可変表示が第１特図ゲームに連動したものであるときは）、第１始動入賞記憶表示エリア５ＨＬの右端に表示されている保留表示に対応するアクティブ表示をアクティブ表示エリアＡＨＡに表示させる（第１始動入賞記憶表示エリア５ＨＬの右端に表示されている保留表示に対応するアクティブ表示を含む特別画像を表示させる）。
【０３４８】
より詳細には、演出制御用ＣＰＵ１２０は、第１始動入賞記憶表示エリア５ＨＬの右端に表示されている保留表示に対応するアクティブ表示をアクティブ表示エリアＡＨＡに移動させてアクティブ表示を表示させる演出制御パターンを使用パターンとしてセットするとともに、セットされた演出制御パターンに含まれる、表示制御データが指定する表示制御指令を表示制御部１２３のＶＤＰ等に対して伝送させることなどにより、第１始動入賞記憶表示エリア５ＨＬの右端に表示されている保留表示に対応するアクティブ表示をアクティブ表示エリアＡＨＡに表示させる。なお、アクティブ表示エリアＡＨＡにおけるアクティブ表示は、保留表示と同じ態様で表示してもよいし、保留表示に対応するが保留表示とは異なる表示態様で表示されてもよい。第２特図ゲームと連動して飾り図柄の変動を開始するときも同様である。
【０３４９】
また、ステップＳ５３０の処理では、演出制御用ＣＰＵ１２０は、第１始動入賞記憶表示エリア５ＨＬにおいて、消化する保留表示（アクティブ表示）の他に保留表示があるときは、当該他の保留表示を第１始動入賞記憶表示エリア５ＨＬにおいてシフトし、第２始動入賞記憶表示エリア５ＨＲにおいて、アクティブ表示の他に保留表示があるときは、当該他の保留表示を第２始動入賞記憶表示エリア５ＨＲにおいてシフトする。
【０３５０】
ステップＳ５３０の保留消化処理を実行した後には、演出制御用ＣＰＵ１２０は、当該変動の変動パターン等に対応する、演出制御パターンを使用パターンとしてセットする（ステップＳ５３２）。すなわち、演出制御用ＣＰＵ１２０は、主基板１１から伝送された変動パターン指定コマンドによって指定された変動パターンを使用パターンとしてセットする。
【０３５１】
続いて、演出制御用ＣＰＵ１２０は、ステップＳ５３２においてセットした演出制御パターンのプロセスデータの演出制御プロセスタイマの初期値を設定し（ステップＳ５３４）、演出制御プロセスタイマをスタートさせて（ステップＳ５３５）、プロセスデータの内容に従って画像表示装置５等の演出装置（演出用部品）の制御を行う（ステップＳ５３６）。
続いて、演出制御用ＣＰＵ１２０は、変動時間タイマに、変動パターンコマンドで特定される変動時間（図５に示した特図変動時間）に相当する値を設定する（ステップＳ５３７）。
【０３５２】
続いて、演出制御用ＣＰＵ１２０は、第１始動入賞時受信コマンドバッファ１９４Ａまたは第２始動入賞時受信コマンドバッファ１９４Ｂに格納されているコマンドを消化する（ステップＳ５３８）。具体的には、演出制御用ＣＰＵ１２０は、第１特図ゲームに連動して飾り図柄の可変表示が開始されるときには、第１始動入賞時受信コマンドバッファ１９４Ａに対応付けられているコマンドのうち最も小さいバッファ番号に対応した領域に格納されたコマンド（１セット）を削除するとともに、削除されたコマンドのバッファ番号よりも大きいバッファ番号に対応した領域に格納されているコマンド（第１始動口入賞指定コマンドに対応付けられているコマンドを、入賞順を維持しつつシフトする。第２特図ゲームに連動して飾り図柄の可変表示が開始されるときには、第２始動入賞時受信コマンドバッファに格納されているコマンドのうち最も小さいバッファ番号に対応した領域に格納されたコマンド（１セット）を削除するとともに、削除されたコマンドのバッファ番号よりも大きいバッファ番号に対応した領域に格納されているコマンドを、入賞順を維持しつつシフトする。また、ステップＳ５３８の処理では、コマンドの削除やシフトに応じて、ＲＡＭ１２２などに設けられる第１先読予告バッファ１９４Ｃまたは第２先読予告バッファ１９４Ｄに格納されている情報の削除やシフトも行われる。その後、演出プロセスフラグの値を可変表示中演出処理に対応した値である“２”に更新してから（ステップＳ５３９）、可変表示開始設定処理を終了する。
【０３５３】
次に、図２８を用いて、第１特定演出設定処理を説明する。図２８は、図２７に示す可変表示開始設定処理（Ｓ１７１）のステップＳ５２９において実行される第１特定演出設定処理の一例を示すフローチャートである。
【０３５４】
先ず、「特定演出」について説明する、特定演出は、遊技者の動作を検出可能な検出手段が遊技者の動作を検出したときに、演出装置（画像表示装置５、スピーカ８、ランプ９、可動部材等）の動作を制御して行う特定の演出である。特定演出にて実行される演出装置の動作は、例えば、画像表示装置５の表示画面への画像の表示、スピーカ８からの音声出力、ランプ９の点灯、可動部材の動作（可動部材に設けられたＬＥＤ等の点灯を含む）である。本実施形態においては、検出手段として、遊技者による押下の動作を検出可能なプッシュボタン３１Ｂを例示し、特定演出としてプッシュボタン３１Ｂの押下が検出された場合の演出態様を説明する。
【０３５５】
特定演出には、予め定められた特定の期間（以下、「特定期間」という。）において検出手段による遊技者の動作が検出されたときに実行される演出（以下、「第１特定演出」という。）を含む。第１特定演出は、例えばプッシュボタン３１Ｂを押下したときに、画像表示装置５の表示画面に所定の演出映像を表示したり、スピーカ８から所定の音声（楽曲等）を出力したりする演出態様によって実行される。第１特定演出を実行することによって、演出効果の向上を図ることが可能となる。
特定期間は、例えば、遊技者による検出手段に対する操作が有効な期間である操作有効期間である。操作有効期間には、例えば画像表示装置５の表示画面に操作が有効であることを遊技者に報知するボタン表示や操作有効期間の残り時間を示すゲージ表示を表示し、遊技者に対して検出部への操作を促進する促進演出を実行してもよい。促進演出を実行することにより、遊技者に対して、プッシュボタン３１Ｂ等を操作したときに第１特定演出が実行されることを報知することができる。
特定期間は、例えば、可変表示期間、リーチ演出時、大当たり確定時、大当り演出終了時等に検出手段への操作が有効である期間（操作有効期間）として演出制御パターンに設定することができる。
【０３５６】
また、特定演出には、特定期間ではない期間（以下、「非特定期間」という。）において検出手段による遊技者の動作が検出されたときに実行される演出（以下、「第２特定演出」という。）を含む。非特定期間と第２特定演出の詳細は後述する。
【０３５７】
図２８に示す第１特定演出設定処理（ステップＳ５２９）において、演出制御用ＣＰＵ１２０は、変動パターンを特定する（ステップＳ５２９１）。変動パターンの特定は、主基板１１から伝送される変動パターン指定コマンドにおいて指定された変動パターンを特定する。特定された変動パターンは、例えば、ＰＡＭ１２２に記憶しておく。なお、本実施形態において変動パターンは、図５で説明したとおり、ＰＡ１−１〜ＰＢ５−４の２４種類のいずれか変動パターン指定コマンドによって指定されるものとする。
【０３５８】
ステップＳ５２９１の処理を実行した後には、ステップＳ５２９１で特定された変動パターンに基づき、演出の決定処理を行う（ステップＳ５２９２）。ここで、図２９を用いて演出の決定処理について説明する。
【０３５９】
図２９は、ステップＳ５２９２の処理で実行される演出の決定処理における演出決定割合の設定例を示す図である。
図２９において、変動パターンの項目は、図５で説明した変動パターンに対応している。すなわち、ＰＡ１−１〜ＰＢ５−４の変動パターンの中で特定された変動パターンについて、それぞれ演出が決定される割合が予め設定されているものとする。
演出の項目は、ステップＳ５２９２で実行される演出の決定処理において、それぞれの変動パターンに基づいて決定される演出である。本実施形態においては、決定される演出として、特定演出の実行を含まない演出を実行する通常演出、第１特定演出Ａを実行する第１特定演出Ａ、及び第１特定演出Ｂを実行する第１特定演出Ｂの３種類が設定される場合を例示する。第１特定演出Ａ及び第１特定演出Ｂは、特定期間にプッシュボタン３１Ｂの押下に基づき実施される第１特定演出の演出態様であり、本実施形態では、第１特定演出として第１特定演出Ａ及び第１特定演出Ｂの２種類の演出態様が実行されるものとする。但し、第１特定演出の種類は２種類に限定されるものではなく、１種類又は３種類以上であってもよい。
【０３６０】
本実施形態において、第１特定演出Ａは、プッシュボタン３１Ｂを１回押下することにより実行される演出態様とする。また、第１特定演出Ｂは、プッシュボタン３１Ｂを複数回押下する操作により実行される演出態様とする。第１特定演出Ａ及び第１特定演出Ｂは、演出装置を用いた演出であり、演出態様は図９で説明したプロセスデータによって設定することができる。本実施形態では、第１特定演出（第１特定演出Ａ及び第１特定演出Ｂ共通の演出）として、画像表示装置５の表示画面にカットイン演出と２次元コードを表示する演出態様が実行されることを図３７を用いて後述する。
【０３６１】
プッシュボタン３１Ｂを複数回押下する操作は、例えば、所定の時間内にプッシュボタン３１Ｂを複数回数押下する操作（以下、この操作を「連打」という。）である。第１特定演出Ｂにおいては、プッシュボタン３１Ｂの長押しを連打として検出する。ここで、プッシュボタン３１Ｂの「長押し」とは、プッシュボタン３１Ｂを所定の時間押下したままにする操作をいう。長押しを連打として検出することにより、遊技者がプッシュボタン３１Ｂを実際に押下する回数を軽減することができ、演出効果の向上を図ることができる。なお、長押しを連打として検出している間は、例えば画像表示装置５の表示画面に連打を検出中であることを表示するようにしてもよい。なお、第１特定演出Ａ及び第１特定演出Ｂの実行させるための制御の詳細は、図３０〜図３２を用いて後述する。
【０３６２】
ステップＳ５２９２で実行される演出決定の処理は、図２９に示す演出決定割合と、例えば乱数回路１２４により生成される演出用乱数とを用いて実行することができる。例えば、演出決定の処理は、先ずＲＯＭ１２１に演出決定用のテーブルを予め記憶しておく。ここで演出決定用のテーブルには、変動パターンに応じて、乱数回路１２４により生成される演出用乱数値と比較される数値の範囲が夫々の演出に対して割り当てられて記憶されているものとする。演出制御用ＣＰＵ１２０は、特定された変動パターンに基づき、乱数回路１２４により生成される演出用乱数の乱数値と演出決定用のテーブルの演出用乱数の範囲とを比較し、乱数値の値から演出を決定することができる。
なお、乱数回路１２４により生成される演出用乱数の範囲を０〜９９とした場合、乱数の個数は０〜９９の１００個であるためとなり、演出に割り当てられる乱数の個数と演出決定割合の値（％）とを一致させることができる。
【０３６３】
図２９で例示する演出決定割合において、ＰＡ１−１（短縮・非リーチ（ハズレ））、ＰＡ２−１〜ＰＡ２−３（非リーチ（ハズレ））、ＰＡ３−１〜ＰＡ３−２（ノーマルリーチ（ハズレ））、ＰＢ３−１〜ＰＢ３−２（ノーマルリーチ（大当り））の場合、通常演出の決定割合が１００％となるように設定している。すなわち、大当りの期待度が大きくない、短縮・非リーチ（ハズレ）、非リーチ（ハズレ）、ノーマルリーチ（ハズレ）、ノーマルリーチ（大当り）の場合には、第１特定演出は決定されない。第１特定演出が決定されるのは、変動パターンが、ＰＡ４−１〜ＰＡ４−４（スーパーリーチα（ハズレ））、ＰＡ５−１〜ＰＡ５−４（スーパーリーチβ（ハズレ））、ＰＢ４−１〜ＰＡＢ−４（スーパーリーチα（大当り））、又はＰＢ５−１〜ＰＢ５−４（スーパーリーチβ（大当り））の場合である。従って、第１特定演出が行われることにより、遊技者に対して遊技者にとって有利な遊技状態に移行する可能性の期待度（例えば、大当り遊技状態になる期待度、確変制御が行われる期待度等）が高いことを示すことが可能となる。
ただし、変動パターンがＰＡ１−１（短縮・非リーチ（ハズレ））、ＰＡ２−１〜ＰＡ２−３（非リーチ（ハズレ））、ＰＡ３−１〜ＰＡ３−２（ノーマルリーチ（ハズレ））、又はＰＢ３−１〜ＰＢ３−２（ノーマルリーチ（大当り））の場合であっても、第１特定演出が実行されるようにしてもよい。例えば、第１特定演出が決定される割合を数％としてもよい。
【０３６４】
本実施形態では、同じ変動パターンに対して第１特定演出Ａと第１特定演出Ｂが決定される割合が同じとなる場合を例示している。例えば、変動パターンがＰＡ４−１である場合、通常演出が決定される割合が８０％、第１特定演出Ａが決定される割合が１０％、第１特定演出Ｂが決定される割合が１０％である。しかし、第１特定演出Ａ又は第１特定演出Ｂが決定される割合は任意に設定可能である。例えば、通常演出が決定される割合を８０％、第１特定演出Ａが決定される割合を１５％、第１特定演出Ｂが決定される割合が５％としてもよい。
また、変動パターン毎に第１特定演出Ａと第１特定演出Ｂの決定割合を変更して設定してもよい。例えば、変動パターンが遊技者にとって有利な遊技状態に移行する可能性の期待度が低い場合に第１特定演出Ａが決定される割合を高くして、変動パターンが遊技者にとって有利な遊技状態に移行する可能性の期待度が高い場合に第１特定演出Ｂが決定される割合を高くしてもよい。
【０３６５】
また、本実施形態では、第１特定演出の演出が決定される割合を、変動パターンがハズレの場合に比べて、大当りの場合の方が高くなるように設定している。例えば、変動パターンがスーパーリーチα（ハズレ）である場合、第１特定演出Ａ又は第１特定演出Ｂが決定される割合はそれぞれ、ＰＡ４−１；２０％、ＰＡ４−２；３０％、ＰＡ４−３；４０％；ＰＡ４−４；５０％であるのに対して、変動パターンがスーパーリーチα（大当り）である場合はそれぞれ、ＰＢ４−１；６０％、ＰＢ４−２；７０％、ＰＢ４−３；８０％；ＰＢ４−４；９０％としている。これにより、第１特定演出が決定された場合、遊技者にとって有利な遊技状態に移行する可能性の期待度を高くすることができ、興趣の向上を図ることができる。
【０３６６】
また、本実施形態では、第１特定演出Ａとして、プッシュボタン３１Ｂを１回押下することにより実行される演出態様を例示し、また、第１特定演出Ｂとして、プッシュボタン３１Ｂを複数回押下することにより実行される演出態様を例示した。しかし、第１特定演出の演出態様はこれに限定されるものではない。
例えば、第１特定演出Ａとして、プッシュボタン３１Ｂの押下回数に応じた複数の演出態様を実行するようにしてもよい。
また、プッシュボタン３１Ｂの代わりに、スティックコントローラ３１Ａ等、他の検出手段を用いて特定演出を実行するようにしてもよい。
また、本実施形態では、ステップＳ５２９２の処理は、通常演出と２種類の第１特定演出の何れかを決定する処理を例示するが、例えば、第１特定演出が１種類の場合、特定演出を実行するか否かの処理となる。また、ステップＳ５２９２の処理は、第１特定演出を行わない通常演出が決定されない処理、すなわち、いずれかの第１特定演出が常に決定される処理であってもよい。
以上で、図２９を用いたステップＳ５２９２の演出の決定処理の説明を終了する。
【０３６７】
再び図２８の説明に戻る。ステップＳ５２９２の処理を実行した後、演出制御用ＣＰＵ１２０は、第１特定演出Ａ又は第１特定演出Ｂに対応する演出制御パターンを、例えばＲＯＭ１２１から読み出して、使用パターンとしてＲＡＭ１２２の所定領域に一時記憶してセットする（ステップＳ５２９３）。
ＲＡＭ１２２に記憶された演出制御パターンは、第１特定演出を実行するための複数のプロセスデータを含むことができる。プロセスデータは、例えば、演出制御プロセスタイマ判定値、表示制御データ、音声制御データ、ランプ制御データ、操作検出制御データ、可動部材制御データ等の制御データから構成される。すなわち、第１特定演出は、プロセスデータによって設定された演出装置の動作を演出制御用ＣＰＵ１２０によってＲＡＭ１２２から読み出されて時系列的に実行されることにより実施される。
演出制御パターンには、例えば当該第１特定演出で画像表示装置５に表示される映像等の画像を含んでいてもよい。例えば、特定演出で表示する映像をＶＲＡＭに記憶しておき、映像が記憶されたＶＲＡＭのアドレスをＲＡＭ１２２から読み出して実行してもよい。
なお、特定演出で表示される画像（映像を含む）は、１種類には限定されず、複数種類の画像が表示されるようにすることができる。例えば、第１特定演出において、複数の画像の中から選択的に１又は複数の画像がランダムに選択されて演出制御パターンとして記憶されるようにしてもよい。また、第１特定演出で表示される映像は、プッシュボタン３１Ｂの押下等の遊技者の操作によって選択されたり、表示を開始したりするように演出制御パターンを予めプログラムしておいてもよい。
【０３６８】
なお、ステップＳ５２９におけるステップＳ５２９１〜ステップＳ５２９３の処理は、以下で説明する第２特定演出制限フラグの状態（オン状態又はオフ状態）に拘わらず実行される。
【０３６９】
ステップＳ５２９３の処理を実行した後、演出制御用ＣＰＵ１２０は、第２特定演出制限フラグがＯＮ状態であるか否かを判断する（ステップＳ５２９４）。第２特定演出制限フラグは、第２特定演出を制限するためのフラグである。フラグがオン状態で第２特定演出が制限され、フラグがオフ状態で第２特定演出が実行可能な状態となる。ステップＳ５２９５〜ステップＳ５２９８の処理は、第２特定演出制限フラグのＯＮ状態を可変表示の変動回数によってＯＦＦ状態にするための処理である。第２特定演出制限フラグの状態（オン状態又はオフ状態）は、例えばＲＡＭ１２２に記憶しておくことができる。
ここで、第２特定演出、および非特定期間について説明する。
【０３７０】
第２特定演出は、非特定期間（後述）において検出手段の検出結果に応じて実施される演出態様である。第２特定演出も第１特定演出と同様に、演出装置（画像表示装置５、スピーカ８、ランプ９、可動部材等）の動作を制御した演出態様が実行される。第２特定演出は複数の演出態様を選択して実行するようにしてもよい。例えば、プッシュボタン３１Ｂ押下の回数、タイミング等によってスピーカ８から出力する効果音を変えてもよい。
第２特定演出の演出態様は、例えば、検出手段の検出結果に応じて、演出装置を用いて短時間の演出を行う。例えば、プッシュボタン３１Ｂの押下に応じてスピーカ８から短時間の効果音を出力する演出態様を実行する。また、プッシュボタン３１Ｂの押下に応じて画像表示装置５の表示画面に短時間アイコンを表示する演出態様を実行してもよい。さらに、プッシュボタン３１Ｂの押下に応じて可動部材を短時間動作させる演出態様を実行してもよい。本実施形態において第２特定演出は、プッシュボタン３１Ｂの押下に応じてスピーカ８から短時間の効果音を出力するとともに画像表示装置５の表示画面に短時間アイコンを表示する演出態様を実行する場合を例示する。遊技者が、非特定期間において遊技者がプッシュボタン３１Ｂを連打した場合、プッシュボタン３１Ｂの押下に応じて効果音の出力とアイコンの表示が連続して実施されることとなる。したがって、第２特定演出が制限されない場合、プッシュボタン３１Ｂを押下するたびに第２特定演出が繰り返し実行されるため、演出効果が低減する場合がある。第２特定演出制限フラグは、第２特定演出を制限することにより、演出効果の低減を防止することができる。
第２特定演出は、特定期間で実行される第１特定演出に加えて、非特定期間においてもプッシュボタン３１Ｂの押下等により実行される演出態様である。第２特定演出を実行することにより、プッシュボタン３１Ｂ等の操作に対する演出態様が増えて、さらに演出効果の向上を図ることが可能となる。また、第２特定演出によって非特定期間においても検出手段による検出がされているか否かを判断できるため、例えばプッシュボタン３１Ｂ等の故障を容易に確認することが可能となる。
【０３７１】
［非特定期間］
非特定期間は、特定期間ではない期間である。本実施形態では、遊技機が遊技が可能な状態（例えば、遊技機の電源投入前や電源投入時の初期設定時を除く）であって、特定期間ではない全ての期間を非特定期間とする場合を例示する。非特定期間は、例えば、デモ演出画面表示中や、ハズレの飾り図柄の停止中とすることができる。
【０３７２】
［第２特定演出の設定、及び実行］
第１特定演出は可変表示開始設定処理後に実行されるため、第１特定演出の演出制御パターンは、ステップＳ１７１の可変表示開始設定処理において設定される。一方、第２特定演出は、特定期間ではない全期間において実施されるため、本実施形態では第２特定演出の演出制御パターンを図２３で説明した演出制御メイン処理におけるステップＳ７７の第２特定演出処理において設定している。第２特定演出の演出制御パターンを設定する処理は、例えば、図２３のステップＳ７１で説明した初期化処理において実行してもよい。
第２特定演出フラグをオン状態にするのは、後述するステップＳ７７におけるステップＳ７７５の処理である。すなわち、非特定期間にプッシュボタン３１Ｂを規定回数以上押下することにより第２特定演出フラグはオン状態になる。
【０３７３】
ステップＳ５２９４の処理において、第２特定演出制限フラグがオン状態ではないと判断されたとき（ステップＳ５２９４；ＮＯ）、演出制御用ＣＰＵ１２０は、ステップＳ５２９の第１特定演出設定処理を終了する。すなわち、第２特定演出制限フラグがオン状態で無い場合は、以下で説明する第２特定演出制限フラグをオフ状態にする処理は不要であるため、スキップされる。
【０３７４】
一方、第２特定演出制限フラグがオン状態であると判断されたとき（ステップＳ５２９４；ＹＥＳ）、演出制御用ＣＰＵ１２０は、変動カウンタが７以上であるか否かを判断する（ステップＳ５２９５）。変動カウンタは、第２特定演出制限フラグがオン状態であるときに可変表示開始設定処理が実行された回数である。本実施形態においては、可変表示開始設定処理が７回設定されるまで、第２特定演出を制限する場合を例示している。第２特定表示を制限する可変表示開始設定処理の回数は、７以外の回数で設定されてもよい。
変動カウンタが７以上ではないと判断された場合（ステップＳ５２９５；ＮＯ）、演出制御用ＣＰＵ１２０は、変動カウンタを＋１加算し（ステップＳ５２９６）、ステップＳ５２９の第１特定演出設定処理を終了する。
【０３７５】
一方、変動カウンタが７以上であると判断された場合（ステップＳ５２９５；ＹＥＳ）、演出制御用ＣＰＵ１２０は、第２特定演出制限フラグをオフ状態にする（ステップＳ５２９７）。すなわち、本実施形態では、プッシュボタン３１Ｂの押下で第２特定演出が制限された場合、可変図柄の可変表示回数（変動回数）が７回になったときに第２特定演出の制限を解除する。第２特定演出制限フラグをＯＦＦ状態とすることにより第２特定演出が実行可能となる。
【０３７６】
ステップＳ５２９７の処理を実行した後、演出制御用ＣＰＵ１２０は検出カウンタをリセットする。検出カウンタは、遊技者がプッシュボタン３１Ｂを押下した回数をカウントするカウンタである。検出カウンタをリセットすることにより、プッシュボタン３１Ｂ押下の回数を初期値から新たに計数可能にする。なお、検出カウンタを用いた第２特定演出処理の詳細は図３４を用いて後述する。
ステップＳ５２９８の処理を実行した後、演出制御用ＣＰＵ１２０は、変動カウンタをリセットし（ステップＳ５２９８）、ステップＳ５２９の第１特定演出設定処理を終了する。
【０３７７】
なお、本実施形態では、上述のとおり、第２特定演出制限フラグをオフ状態にする条件を可変表示開始設定処理の回数で判断する場合を例示した。また、図３３を用いて後述する特図当り待ち処理（ステップＳ１７３）では、大当たりになったときに第２特定演出制限フラグをオフ状態にする場合を例示する。しかし、第２特定演出制限フラグをオフ状態にする条件はこれに限定されない。例えば、第２特定演出制限フラグがオン状態となってから、所定の時間が経過したことを条件として第２特定演出制限フラグをオフ状態にしてもよい。また、第２特定演出制限フラグがオン状態となってから、所定の時間が経過するまで遊技者がプッシュボタン３１Ｂを押下しないことを条件として第２特定演出制限フラグをオフ状態にしてもよい。
以上で、図２８を用いたステップＳ５２９の第１特定演出設定処理の説明を終了する。
【０３７８】
次に、図３０を用いて、図２５のステップＳ７５の演出制御プロセス処理で実行されるステップＳ１７２の可変表示中演出処理について説明する。図３０は、可変表示中演出処理の一例を示すフローチャートである。
図３０に示す可変表示中演出処理において、演出制御用ＣＰＵ１２０は、演出制御プロセスタイマの値を１減算するとともに（ステップＳ６０１）、変動時間タイマの値を１減算する（ステップＳ６０２）。可変時間タイマは、変動時間を計測するためのタイマであり、図５で説明したそれぞれの変動パターンに応じて設定される特図変動時間である。
【０３７９】
ステップＳ６０２の処理を実行した後、演出制御用ＣＰＵ１２０は、演出制御プロセスタイマがタイムアウトしたか否かを判定する。（ステップＳ６０３）。演出制御プロセスタイマがタイムアウトした場合には（ステップＳ６０３；ＹＥＳ）、演出制御用ＣＰＵ１２０は、ステップＳ５３２においてセットした演出制御パターンにおける、次のプロセスデータの演出制御プロセスタイマの設定値を設定し、演出制御プロセスタイマをスタートさせて（ステップＳ６０４）、次のプロセスデータの内容に従って、演出装置制御処理を実行する（ステップＳ６０５）。本実施形態では、ステップＳ６０５の処理として、図３１を用いて後述するステップＳ６０５Ａの演出装置制御処理と、図３２を用いて後述するステップＳ６０５Ｂの演出装置制御処理の２種類の演出装置制御処理が実行される場合を例示する。ステップＳ６０５の演出装置制御処理は、それぞれのプロセスデータに従った演出の実行を開始するものであり、プロセスタイマがタイムアウトして次のプロセスデータに基づく演出装置制御処理が開始されるまで、繰り返し実行されるものとする。すなわち、ステップＳ６０３の処理で演出制御プロセスタイマがタイムアウトしていない場合は、処理が開始されたステップＳ６０５の演出装置制御処理は、繰り返して実行されるものとする。
【０３８０】
一方、演出制御プロセスタイマがタイムアウトしていない場合（ステップＳ６０３；ＮＯ）、又はステップＳ６０５の処理を実行した後、演出制御用ＣＰＵ１２０は、変動時間タイマがタイムアウトしたか否かを判定する（ステップＳ６０６）。変動時間タイマがタイムアウトした場合には（ステップＳ６０６；ＹＥＳ）、演出制御用ＣＰＵ１２０は、演出プロセスフラグの値を特図当り待ち処理に対応した値である“３”に更新し（ステップＳ６０７）、可変表示中演出処理を終了する。
一方、変動時間タイマがタイムアウトしていない場合（ステップＳ６０６；ＮＯ）、演出制御用ＣＰＵ１２０は、演出プロセスフラグの値を更新せずに、可変表示中演出処理を終了する。
【０３８１】
次に、図３１及図３２を用いて、図３０で説明したＳ６０５の演出装置制御処理について説明する。図３１は、第１特定演出Ａを実行する演出装置制御処理（ステップＳ６０５Ａ）の一例を示すフローチャートである。ステップＳ６０５の演出装置制御処理では、複数のプロセスデータにおける演出装置制御処理が実行される。図３１で説明する演出装置制御処理（ステップＳ６０５Ａ）は、第１特定演出Ａを実行するときの処理である。なお、第１特定演出Ｂを実行するときの演出装置制御処理は、図３２を用いて後述する。
【０３８２】
図３１の演出装置制御処理（ステップＳ６０５Ａ）において、演出制御用ＣＰＵ１２０は、操作有効期間が開始されているか否かを判断する（ステップＳ６０５００）。操作有効期間は、後述するステップＳ６０５０２の処理において開始される。操作有効期間が開始されていない場合（ステップＳ６０５００；ＮＯ）、演出制御用ＣＰＵ１２０は、ボタン表示とゲージ表示を画像表示装置５の表示画面に表示し（ステップＳ６０５０１）、操作有効期間を開始する（ステップＳ６０５０２）。
一方、操作有効期間が開始されている場合（ステップＳ６０５００；ＹＥＳ）、ステップＳ６０５０１及びステップＳ６０５０２の処理はスキップされる。すなわち、ステップＳ６０５００の処理は、ステップＳ６０５０１のボタン表示とゲージ表示を画像表示装置５の表示画面に表示の処理とステップＳ６０５０１の操作有効期間の開始の処理が重複して実行されることを避けるための処理である。
【０３８３】
ボタン表示及びゲージ表示は、プッシュボタン３１Ｂの押下の操作が有効である操作有効期間を遊技者に対して報知する操作促進のための演出態様である。遊技者は、ボタン表示によって、プッシュボタン３１Ｂの押下を促され、ゲージ表示によって操作有効期間の残り時間を把握することができる。ゲージ表示は、有効期間の経過とともに減少するゲージ値を表示することができる。ゲージ値は、例えば棒形状で表示され、操作有効期間の開始時からゲージ値の棒の長さを時間の経過とともに短くし、操作有効期間の終了とともにゲージ値が消去されるようにしてもよい。演出制御用ＣＰＵ１２０は、ボタン表示とゲージ表示を画像表示装置５の表示画面に表示する処理を実行した後に特定期間として例示する操作有効期間を開始する。
なお、本実施形態では特定期間として操作有効期間を例示するため、非特定期間においては操作有効期間ではない期間として「操作有効期間外期間」を例示する。
【０３８４】
ステップＳ６０５０２の処理を実行した後、演出制御用ＣＰＵ１２０は、操作有効期間が終了したか否かを判断する（ステップＳ６０５０３）。操作有効期間が終了したか否かの判断は、例えばプロセスタイマの値によって判断する。演出制御用ＣＰＵ１２０は、演出制御パターンのプロセスデータとして予め設定された操作有効期間の値とプロセスタイマの値とを比較して操作有効期間が終了したか否かを判断することができる。
【０３８５】
操作有効期間が終了していないと判断された場合（ステップＳ６０５０３；ＮＯ）、演出制御用ＣＰＵ１２０は、プッシュボタン３１Ｂの押下が検出されたか否かを判断する（ステップＳ６０５０４）。
第１特定演出Ａにおいては、プッシュボタン３１Ｂが１回押下されることにより、プッシュボタン３１Ｂの押下の検出を判断している。したがって、プッシュボタン３１Ｂの押下している時間や押下の回数に拘わらず、プッシュボタン３１Ｂを１回押下することによりステップＳ６０５０４の処理において押下検出の判断を行う。
プッシュボタン３１Ｂの押下が検出されない場合（ステップＳ６０５０４；ＮＯ）、演出制御用ＣＰＵ１２０は、ステップＳ６０５Ａの演出装置制御処理を終了する。すなわち、ステップＳ６０５０４の処理は、操作有効期間が終了するまで（ステップＳ６０５０３；ＮＯ）、プッシュボタン３１Ｂの押下を待機する処理が実行される。
【０３８６】
一方、プッシュボタン３１Ｂの押下が検出された場合（ステップＳ６０５０４；ＹＥＳ）、演出制御用ＣＰＵ１２０は、画像表示装置５の表示画面に表示したボタン表示とゲージ表示を消去する（ステップＳ６０５０５）。画像表示装置５の表示画面に表示したボタン表示とゲージ表示を消去することにより、遊技者に対してプッシュボタン３１Ｂの押下が検出されたことを報知することができる。
ステップＳ６０５０５の処理は、操作有効期間に遊技者がプッシュボタン３１Ｂを押下した後に行われる。したがって、プッシュボタン３１Ｂの押下が検出されたときにボタン表示の色や形状等を変化させてからボタン表示を消去してもよい。また、ゲージ表示は、遊技者がプッシュボタン３１Ｂを押下したときのゲージ値（棒の長さで示す操作有効期間の残り）の形状で消去してもよい。また、ゲージ表示は、遊技者がプッシュボタン３１Ｂを押下したときにゲージ値を一旦０（棒の長さ０）に表示し、操作有効期間が終了したことを遊技者に認識しやすく報知してからゲージ表示を消去するようにしてもよい。
【０３８７】
ステップＳ６０５０５の処理を実行した後、演出制御用ＣＰＵ１２０は、第１特定演出Ａを実行し（ステップＳ６０５０６）、ステップＳ６０５Ａの演出装置制御処理を終了する。第１特定演出Ａは、図２９で説明したとおり、操作有効期間にプッシュボタン３１Ｂを１回押下することにより行われるボタン操作演出である。本実施形態における第１特定演出Ａの例示は、図３７を用いて後述する。
【０３８８】
ステップＳ６０５０３の処理において、操作有効期間が終了したと判断された場合（ステップＳ６０５０３；ＹＥＳ）、演出制御用ＣＰＵ１２０は、画像表示装置５の表示画面に表示したボタン表示とゲージ表示を消去する（ステップＳ６０５０７）。画像表示装置５の表示画面に表示したボタン表示とゲージ表示を消去することにより、遊技者に対して操作有効期間が終了したことを報知することができる。ステップＳ６０５０７の処理は操作有効期間に遊技者がプッシュボタン３１Ｂを押下しなかった場合の処理であるため、ゲージ表示の消去はゲージ値が０となるのを表示した後に実行される演出態様が実施される。
なお、本実施形態ではステップＳ６０５０５の処理とステップＳ６０５０７の処理では、画像表示装置５の表示画面に表示したボタン表示及びゲージ表示の消去を異なる演出態様で消去する場合を例示したが、同じ演出態様で消去するようにしてもよい。
【０３８９】
ステップＳ６０５０７の処理を実行した後、演出制御用ＣＰＵ１２０は、終了演出Ａを実行し（ステップＳ６０５０８）、ステップＳ６０５Ａの演出装置制御処理を終了する。終了演出Ａは、操作有効期間に遊技者がプッシュボタン３１Ｂを押下しなかった場合に実行される演出態様である。終了演出Ａにおいて第１特定演出Ａと異なる演出態様を実行することにより、演出効果の向上を図ることができる。なお、終了演出Ａは、画像表示装置５の表示画面への表示やスピーカ８への音声出力等を何も行わない演出態様であってもよい。
以上で、図３１を用いたステップＳ６０５Ａの演出装置制御処理の説明を終了する。
【０３９０】
次に、図３２を用いて、第１特定演出Ｂを実行する演出装置制御処理について説明する。図３２は、第１特定演出Ｂを実行する演出装置制御処理（ステップＳ６０５Ｂ）の一例を示すフローチャートである。
図３２の演出装置制御処理（ステップＳ６０５Ｂ）において、演出制御用ＣＰＵ１２０は、操作有効期間が開始されているか否かを判断する（ステップＳ６０５２０）。操作有効期間は、後述するステップＳ６０５２２の処理において開始される。操作有効期間が開始されていない場合（ステップＳ６０５２０；ＮＯ）、演出制御用ＣＰＵ１２０は、ボタン表示とゲージ表示を画像表示装置５の表示画面に表示し（ステップＳ６０５２１）、操作有効期間を開始する（ステップＳ６０５２２）。
一方、操作有効期間が開始されている場合（ステップＳ６０５２０；ＹＥＳ）、ステップＳ６０５２１及びステップＳ６０５２２の処理はスキップされて、ステップＳ６０５２１のボタン表示とゲージ表示を画像表示装置５の表示画面に表示の処理とステップＳ６０５２１の操作有効期間の開始の処理が重複実行が避けられる。
【０３９１】
ボタン表示及びゲージ表示は、プッシュボタン３１Ｂの押下の操作が有効である操作有効期間を遊技者に対して報知する操作促進のための演出態様である。第１特定演出Ｂにおいては、プッシュボタン３１Ｂを複数回押下する操作（連打）を検出する。したがって、ボタン表示は、連打を遊技者に対して促すものであってもよい。例えば、プッシュボタンを連打するアニメーション画像を表示してもよい。遊技者は、ボタン表示によって、プッシュボタン３１Ｂの押下を促され、ゲージ表示によって操作有効期間の残り時間を把握することができる。ゲージ表示は、図３１で説明したゲージ表示と同様に、操作有効期間の残り時間を表示するゲージ値表示を行うものとする。
【０３９２】
ステップＳ６０５２２の処理を実行した後、演出制御用ＣＰＵ１２０は、操作有効期間が終了したか否かを判断する（ステップＳ６０５２３）。操作有効期間が終了したか否かの判断は、図３１で説明したステップＳ６０５０３の処理と同様である。
【０３９３】
操作有効期間が終了していないと判断された場合（ステップＳ６０５２３；ＮＯ）、演出制御用ＣＰＵ１２０は、プッシュボタン３１Ｂの押下が検出されたか否かを判断する（ステップＳ６０５２４）。ステップＳ６０５２４の処理は、ステップＳ６０５０４の処理と同様にプッシュボタン３１Ｂ１回の押下を検出する。
プッシュボタン３１Ｂの押下が検出された場合（ステップＳ６０５２４；ＹＥＳ）、演出制御用ＣＰＵ１２０は、長押しタイマが動作中であるか否かを判断する（ステップＳ６０５２５）。長押しタイマとは、プッシュボタン３１Ｂの押下が所定時間以上の長押しであるか否かを判断するためのタイマである。本実施形態においては、プッシュボタン３１Ｂが長押しタイマで設定された所定時間以上長押しされている場合、所定時間毎（長押しタイマがタイムアップする毎）にプッシュボタン３１Ｂが１回押下されたものとして計数される場合を例示する。例えば、長押しタイマの所定時間が１秒間で設定された場合、プッシュボタン３１Ｂを１秒間以上長押しすると押下回数は２回（２回の連打）と計数され、２秒間以上長押しすると３回（３回の連打）と計数され、以降、長押しが１秒経過する毎に１回の押下として計数される。
長押しタイマの設定時間は、上記のように長押しの期間中に１秒間等の固定時間としてもよく、また、押下時間の経過とともに設定時間を変化させるものであってもよい。例えば、最初の長押しタイマの設定時間を３秒間として、２回目以降の設定時間を１秒間とすることができる。その場合、３秒間以上長押しすると押下回数を２回と計数し、以降、長押しが１秒経過する毎に１回の押下として計数することができる。
長押しタイマの所定時間は、図９で説明したプロセスデータとして予め設定されてもよい。
【０３９４】
長押しタイマが動作中でないと判断された場合（ステップＳ６０５２５；ＮＯ）、演出制御用ＣＰＵ１２０は、長押しタイマをスタートさせる（ステップＳ６０５２６）。すなわち長押しタイマのスタートは、長押しタイマがスタートしていない場合のみである。長押しタイマはスタートによって動作状態を記録することができる、ステップＳ６０５２５の処理では、長押しタイマの動作状態を検出することによって長押しタイマが動作中であるか否かの判断をすることができる。
【０３９５】
ステップＳ６０５２６の処理を実行した後、演出制御用ＣＰＵ１２０は、連打カウンタを＋１加算する（ステップＳ６０５２７）。連打カウンタは、プッシュボタン３１Ｂの連打回数を計数するカウンタである。連打カウンタは、プッシュボタン３１Ｂを実際に押下した回数を計数するとともに、長押しタイマがカウントアップする度にプッシュボタン３１Ｂが１回の押下されたものとみなして計数する。
【０３９６】
一方、長押しタイマが動作中である場合（ステップＳ６０５２５；ＹＥＳ）、演出制御用ＣＰＵ１２０は、長押しタイマがタイムアウトしたか否かを判断する（ステップＳ６０５２９）。長押しタイマがタイムアウトしていない場合（ステップＳ６０５２９；ＮＯ）、ステップＳ６０５Ｂの演出装置制御処理を終了する。一方、長押しタイマがタイムアウトした場合（ステップＳ６０５２９；ＹＥＳ）、長押しタイマをリセットして（ステップＳ６０５３３）、ステップＳ６０５Ｂの演出装置制御処理を終了する。長押しタイマがリセットされると、次にステップＳ６０５２４の処理でプッシュボタン３１Ｂの押下が検出された場合（長押しされている場合）、長押しタイマは動作中ではない（ステップＳ６０５２５；ＮＯ）と判断されるため、ステップＳ６０５２７の処理で連打カウンタが＋１加算処理され、長押しを連打とみなして計数する。
【０３９７】
ステップＳ６０５２７の処理を実行した後、演出制御用ＣＰＵ１２０は、連打カウンタが規定の回数以上であるか否かを判断する（ステップＳ６０５２８）。連打カウンタで規定される回数は、図９で説明したプロセスデータとして予め設定されてもよい。
【０３９８】
連打カウンタが規定の回数以上ではない場合（ステップＳ６０５２８；ＮＯ）、演出制御用ＣＰＵ１２０は、ステップＳ６０５Ｂの演出装置制御処理を終了する。すなわち、操作有効期間が終了するまでの間に（ステップＳ６０５２３；ＮＯ）、連打カウンタが規定の回数になるまでステップＳ６０５２８の処理が繰り返される。
【０３９９】
一方、ステップＳ６０５２４の処理においてプッシュボタン３１Ｂの押下を検出しないと判断した場合（ステップＳ６０５２４；ＮＯ）、演出制御用ＣＰＵ１２０は、長押しタイマをリセットする。すなわち、遊技者が押下しているプッシュボタン３１Ｂを元の状態に戻した場合（ボタンの押下を止めた場合）、長押しタイマはリセットされる。
【０４００】
一方、連打カウンタが規定の回数以上の場合（ステップＳ６０５２８；ＹＥＳ）、演出制御用ＣＰＵ１２０は、画像表示装置５の表示画面に表示されたボタン表示とゲージ表示を消去し（ステップＳ６０５３０）、第１特定演出Ｂを実行する（ステップＳ６０５３１）。すなわち、操作有効期間が終了するまでの間に遊技者がプッシュボタン３１Ｂを規定の回数連打することにより第１特定演出Ｂが実行される。
【０４０１】
ステップＳ６０５３０のボタン表示とゲージ表示の消去の処理は、図３１で説明したステップＳ６０５０５の処理と同様に画像表示装置５の表示画面に表示したボタン表示とゲージ表示をプッシュボタン３１Ｂの押下に応じて消去する。したがって、遊技者に対してプッシュボタン３１Ｂの押下が検出されたことを報知することができる。
【０４０２】
ステップＳ６０５３１の処理を実行した後、演出制御用ＣＰＵ１２０は、長押しタイマと連打カウンタをリセットして（ステップＳ６０５３２）、ステップＳ６０５Ｂの演出装置制御処理を終了する。
【０４０３】
一方、ステップＳ６０５２３の処理において、操作有効期間が終了したと判断された場合（ステップＳ６０５２３；ＹＥＳ）、演出制御用ＣＰＵ１２０は、図３１で説明したステップＳ６０５０７の処理と同様に、画像表示装置５の表示画面に表示したボタン表示とゲージ表示を消去する（ステップＳ６０５３４）。画像表示装置５の表示画面に表示したボタン表示とゲージ表示を消去することにより、遊技者に対して操作有効期間が終了したことを報知することができる。ステップＳ６０５３０の処理とステップＳ６０５３４の処理は、画像表示装置５の表示画面に表示したボタン表示及びゲージ表示の消去を異なる演出態様で消去しても同じ演出態様で消去してもよい。
【０４０４】
ステップＳ６０５３４の処理を実行した後、演出制御用ＣＰＵ１２０は、終了演出Ｂを実行し（ステップＳ６０５３５）、ステップＳ６０５Ｂの演出装置制御処理を終了する。第１特定演出Ｂが、連打カウンタが規定回数以上になった場合の演出態様であるのに対して、終了演出Ｂは、操作有効期間に連打カウンタが規定回数に達しなかった場合に実行される演出態様である。したがって、例えば、第１特定演出Ｂにおいて、画像表示装置５の表示画面に、連打が成功したことを表示する演出態様が実行するのに対して、終了演出Ｂにおいては、連打が失敗したことを表示する演出態様を実行してもよい。終了演出Ｂにおいて第１特定演出Ｂと異なる演出態様を実行することにより、演出効果の向上を図ることができる。なお、終了演出Ｂは、画像表示装置５の表示画面への表示やスピーカ８への音声出力等を何も行わない演出態様であってもよい。
以上で、図３２を用いたステップＳ６０５Ｂの演出装置制御処理の説明を終了する。
【０４０５】
次に、図３３を用いて特図当り待ち処理を説明する。図３３は、図２５に示す演出制御プロセス処理（ステップＳ７５）のステップＳ１７３にて実行される特図当り待ち処理の一例を示すフローチャートである。図３３に示す特図当り待ち処理において、演出制御用ＣＰＵ１２０は、確定飾り図柄を表示していることを示す停止図柄表示フラグがセットされているか否かを判定する（ステップＳ６５１）。
【０４０６】
停止図柄表示フラグがセットされていなければ（ステップＳ６５１；ＮＯ）、演出制御用ＣＰＵ１２０は、図２７に示した可変表示開始設定処理（ステップＳ１７１）のステップＳ５２４、ステップＳ５２５、又はステップＳ５２８において決定した確定飾り図柄（はずれ図柄、大当り図柄、または小当り図柄）を停止表示させる制御を行う（ステップＳ６５２）。なお、演出制御用ＣＰＵ１２０は、遊技制御用マイクロコンピュータ１００からの図柄確定コマンドの受信に応じて確定飾り図柄を停止表示する制御を行うようにしてもよい。
【０４０７】
一方、停止図柄表示フラグがセットされていれば（ステップＳ６５１；ＹＥＳ）、演出制御用ＣＰＵ１２０は、ステップＳ６５７に移行する。本実施形態では、後述するように、飾り図柄の停止図柄として大当り図柄を表示した場合に停止図柄表示フラグがセットされ（ステップＳ６５６）、当り開始指定コマンド（ファンファーレコマンド）を受信した後にステップＳ６５８で停止図柄表示フラグがリセットされる。従って、ステップＳ６５１で停止図柄表示フラグがセットされているということは、大当り図柄を停止表示したもののファンファーレ演出をまだ実行していない段階であるので、ステップＳ６５２の飾り図柄の停止図柄を表示する処理を重ねて実行することなく、ステップＳ６５７に移行する。
【０４０８】
ステップＳ６５２に続いて、演出制御用ＣＰＵ１２０は、停止図柄が大当り図柄であるか否かを判定する（ステップＳ６５３）。停止図柄が大当り図柄でない場合には（ステップＳ６５３；ＮＯ）、変動時遊技状態設定処理を実行する（ステップＳ６５４）。変動時遊技状態設定処理は、例えば、演出制御フラグ設定部１９１などに設けられた確変フラグや時短フラグの状態を確認することなどにより、確変フラグおよび時短フラグの一方または両方の状態を判定し、現在の遊技状態が低確低ベース状態であるか否かを判定する処理である。
ステップＳ６５４の処理を実行後、演出制御用ＣＰＵ１２０は、演出プロセスフラグの値を可変表示開始待ち処理に対応した値である“０”に更新して（ステップＳ６５５）、ステップＳ１７３の特図当り待ち処理を終了する。
【０４０９】
停止図柄表示フラグがセットされている場合（ステップＳ６５１；ＹＥＳ）、または、ステップＳ６５６の処理が実行された後、すなわち、停止図柄が大当り図柄である場合には、演出制御用ＣＰＵ１２０は、当り開始指定コマンド（ファンファーレコマンド）を受信したか否かを判定する（ステップＳ６５７）。当り開始指定コマンド（ファンファーレコマンド）を受信していない場合には（ステップＳ６５７；ＮＯ）、演出制御用ＣＰＵ１２０は、演出プロセスフラグの値を更新せずに、特図当り待ち処理を終了する。
【０４１０】
一方、当り開始指定コマンド（ファンファーレコマンド）を受信した場合には（ステップＳ６５７；ＹＥＳ）、演出制御用ＣＰＵ１２０は、停止図柄表示フラグをリセットする（ステップＳ６５８）。停止図柄表示フラグをリセットすることにより、ステップＳ６５１の処理において停止図柄表示フラグがセットされていないと判断され（ステップＳ６５１；ＮＯ）、ステップＳ６５２の飾り図柄の停止図柄を表示する処理を実行することができるようになる。
【０４１１】
ステップＳ６５８の処理を実行した後、演出制御用ＣＰＵ１２０は、第２特定演出制限フラグをオフ状態にする（ステップＳ６５９）。すなわち、本実施形態においては、第２特定演出が制限されている状態（第２特定演出制限フラグがオン状態）であったとしても、大当りになった場合は第２特定演出の制限を解除する。なお、本実施形態では、第２特定演出制限フラグをオフ状態にする処理を、図２５におけるステップＳ１７３に含まれるステップＳ６５９において実行する場合を例示したが、第２特定演出制限フラグをオフ状態にする処理を実行するタイミングはこれに限定されない。例えば、図２５のステップＳ１７４の大当り開始処理、又はステップＳ１７７の大当り終了後処理において演出制限フラグをオフ状態にする処理を実行するようにしてもよい。
【０４１２】
ステップＳ６５９の処理を実行した後、演出制御用ＣＰＵ１２０は、検出カウンタをリセットする（ステップＳ６５９）。検出カウンタは、遊技者がプッシュボタン３１Ｂを押下した回数をカウントするカウンタであり、検出カウンタをリセットすることにより、プッシュボタン３１Ｂ押下の回数を初期値から新たに計数可能にする。なお、検出カウンタは図３４で説明する第２特定演出処理にて計数される。
【０４１３】
ステップＳ６５９の処理に続いて、演出制御用ＣＰＵ１２０は、ファンファーレ演出に応じたプロセスデータを選択し（ステップＳ６６４）、演出制御プロセスタイマをスタートさせる（ステップＳ６６５）。つまり、演出制御用ＣＰＵ１２０は、当り開始指定コマンド（ファンファーレコマンド）に対応する、演出制御パターンを使用パターンとしてセットし、セットした演出制御パターンのプロセスデータの演出制御プロセスタイマの初期値を設定し、演出制御プロセスタイマをスタートさせる。これにより、ファンファーレ演出が実行される。続いて、演出制御用ＣＰＵ１２０は、演出プロセスフラグの値を大当り開始処理に対応した値である“４”に更新してから（ステップＳ６６６）、特図当り待ち処理を終了する。
【０４１４】
次に、図３４を用いて、ステップＳ７７の第２特定演出処理の詳細を説明する。図３４は、第２特定演出処理の一例を示すフローチャートである。ステップＳ７７の処理は、図２３で説明した演出制御メイン処理の中で行われる。すなわち、第１特定演出が可変表示が開始されてから演出態様が設定されて実行されるのに対して、第２特定演出処理は、演出プロセス処理の状態（演出制御プロセス処理のプロセスフラグの値）にかかわらず実行されることになる。
【０４１５】
図３４のステップＳ７７の第２特定演出処理において、演出制御用ＣＰＵ１２０は、第２特定演出制限フラグがオン状態であるか否かを判断する（ステップＳ７７１）。第２特定演出制限フラグは、プッシュボタン３１Ｂの押下が規定回数以上となった場合に後述するステップＳ７７５にてオン状態にされる、第２特定演出を制限するためのフラグである。
第２特定演出制限フラグがＯＮ状態である場合（ステップＳ７７１；ＹＥＳ）、演出制御用ＣＰＵ１２０は、ステップＳ７７の第２特定演出処理を終了する。すなわち、第２特定演出が既に制限されている場合は、ステップＳ７７２以下の処理を実行しない。したがって、後述するステップＳ７７７の処理における第２特定演出の実行が制限される。
【０４１６】
一方、第２特定選出フラグがＯＮ状態でない場合（ステップＳ７７１；ＮＯ）、演出制御用ＣＰＵ１２０は、プッシュボタン３１Ｂの押下を検出したか否かを判断する（ステップＳ７７２）。すなわち、プッシュボタン３１Ｂ押下の検出を判断するのは、第２特定選出フラグがＯＦＦ状態の場合である。プッシュボタン３１Ｂの押下を検出しない場合（ステップＳ７７２；ＮＯ）、ステップＳ７７の第２特定演出処理を終了する。
【０４１７】
一方、プッシュボタン３１Ｂの押下が検出された場合（ステップＳ７７２；ＹＥＳ）、演出制御用ＣＰＵ１２０は、プッシュボタン３１Ｂが押下されたタイミングが第１特定演出の操作有効期間であるか否かを判断する（ステップＳ７７３）。操作有効期間は、特定期間の一態様であって、プッシュボタン３１Ｂの押下が検出されたときに、第１特定演出が行われるための有効期間である。操作有効期間は、図２８で説明したステップＳ５２９３におけ特定演出制御パターンのセットにおいて設定することができる。
プッシュボタン３１Ｂが押下されたタイミングが操作有効期間である場合（ステップＳ７７３；ＹＥＳ）、演出制御用ＣＰＵ１２０は、ステップＳ７７の第２特定演出処理を終了する。すなわち、特定期間においては、第２特定演出は実行されず、プッシュボタン３１Ｂの押下によって第１特定演出が実行されることになる。一方、操作有効期間でないは期間である操作有効期間外期間は、プッシュボタン３１Ｂの押下が検出されたときに、第２特定演出が行われる非特定期間として例示する期間である。
【０４１８】
プッシュボタン３１Ｂの押下が検出されたときが操作有効期間ではない場合（ステップＳ７７３；ＮＯ）、演出制御用ＣＰＵ１２０は、検出カウンタの値が規定回数以上であるか否かを判断する（ステップＳ７７４）。検出カウンタは、遊技者がプッシュボタン３１Ｂを押下した回数をカウントするカウンタである。本実施形態では、検出カウンタの初期値は０であるとする。規定回数は、例えば特定演出制御パターンによって予め設定される数値であって、例えば１０回、３０回、５０回等のプッシュボタン３１Ｂを押下する回数である。
【０４１９】
検出カウンタの値が規定回数以上でない場合（ステップＳ７７４；ＮＯ）、演出制御用ＣＰＵ１２０は、第２特定演出を実行する（ステップＳ７７７）。第２特定演出において実行される演出態様は、例えば特定演出制御パターンによって予め設定される。本実施形態では、プッシュボタン３１Ｂの押下に応じて、スピーカ８から短時間の効果音を出力し、画像表示装置５の表示画面に画像を短時間表示するものとする。
ステップＳ７７７の処理を実行した後、演出制御用ＣＰＵ１２０は、検出カウンタを＋１加算し（ステップＳ７７８）、ステップＳ７７の第２特定演出処理を終了する。
第２特定演出（ステップＳ７７７）は、ステップＳ７７８の処理で加算される検出カウンタの値が規定回数以上になるまで、プッシュボタン３１Ｂの押下に応じて実行される。すなわち、遊技者がプッシュボタン３１Ｂを押下するたびにスピーカ８から効果音が出力され、画像表示装置５の表示画面にセリフが表示される。遊技者はプッシュボタン３１Ｂを押下するたびに効果音を聞くこと等ができるので、演出効果の向上を図ることができる。
【０４２０】
一方、検出カウンタの値が規定回数以上である場合（ステップＳ７７４；ＹＥＳ）、演出制御用ＣＰＵ１２０は、第２特定演出制限フラグをオン状態にする。第２特定演出制限フラグは第２特定演出を制限するためのフラグであり、第２特定演出制限フラグがオン状態である場合、プッシュボタン３１Ｂを押下しても第２特定演出の処理の実行は制限される（ステップＳ７７１；ＹＥＳ）。
プッシュボタン３１Ｂを連打して第２特定演出を繰り返し実行すると、却って演出効果を低下させてしまう場合がある。第２特定演出の実行回数を規定して制限することにより、演出効果の低下を防止することができる。
【０４２１】
ステップＳ７７５の処理を実行した後、演出制御用ＣＰＵ１２０は、第２特定演出制限報知を実行し（ステップＳ７７６）、ステップＳ７７の第２特定演出処理を終了する。
第２特定演出制限報知は、第２特定演出を制限することを遊技者に報知する処理である。例えば、画像表示装置５の表示画面に第２特定演出を制限する旨のメッセージを表示する。また、スピーカ８から第２特定演出を制限する旨のメッセージを音声で出力してもよい。また、ランプ９等の点灯状態により、第２特定演出が制限されていることを報知してもよい。第２特定演出を制限することを遊技者に報知することにより、無駄なプッシュボタン３１Ｂの押下を防止して演出効果の低下を防止することができる。
【０４２２】
本実施形態において検出カウンタがクリアされるのは、図２８で説明した、変動カウンタが７回以上になったとき（ステップＳ５２９８）、及び図３３で説明した、大当りになったとき（ステップＳ６６０）を例示した。したがって、本実施形態において第２特定演出が制限されるのは、検出カウンタがクリアされるまでの間であって操作有効期間外期間であるときに、プッシュボタン３１Ｂが規定回数以上押下された場合である。しかし、第２特定演出が制限される条件はこれに限定されるものではない。
例えば、操作有効期間外期間において、所定の時間辺りの検出回数が規定回数以上になったときに第２特定演出を制限するようにしてもよい。例えば、１０秒間に押下された回数が規定回数以上であったか否かを判断し第２特定演出を制限することができる。所定の時間あたりの回数を計数することにより、プッシュボタン３１Ｂの連打の速度を検出して第２特定演出を制限する条件とすることができる。
また、第２特定演出を制限する規定回数を固定の値ではなく、所定の条件によって変動させるようにしてもよい。例えば、デモ画面が表示されているときと可変表示中とで規定回数を変えてもよい。
【０４２３】
また、本実施形態においては、プッシュボタン３１Ｂが押下されるタイミング、すなわちプッシュボタン３１Ｂがオフ状態からオン状態になるタイミングで検出カウンタを加算するが、検出カウンタを加算するタイミングはこれに限定されない。例えば、検出カウンタが加算されるタイミングを、プッシュボタン３１Ｂが押下されて戻されるタイミング、すなわちプッシュボタン３１Ｂがオン状態からオフ状態になるタイミングにおいてプッシュボタン３１Ｂの押下を検出してもよい。また、プッシュボタン３１Ｂがオフ状態からオン状態になった後、所定の遅延時間（オンディレイ時間）にて検出カウンタを加算することによりノイズやチャタリングによる誤検出を防止するようにしてもよい。
また、本実施形態では、プッシュボタン３１Ｂを長押しした場合、検出カウンタは＋１のみを加算される（ステップＳ７７９）が、第２特定演出の制限方法はこれに限定されない。例えば、第１特定演出と同様にプッシュボタン３１Ｂの長押しを連打と同様に検出して第２特定演出を制限してもよい。また、第１の時間と第２の時間を設定しておき、長押しが第１の時間を超えると第２の時間毎に検出カウンタを＋１加算するようにしてもよい。
【０４２４】
また、本実施形態において検出カウンタは、図２８で説明したステップＳ５２９７の処理において７回の変動回数の達することによって、又は図２９で説明したステップＳ６５９の処理において大当りによって、リセットされる場合を例示した。しかし、変動回数は他の変動回数であってもよい。例えば３回等の変動回数であってもよい。また、検出カウンタのリセットは、他の条件において実行されてもよい。例えば、プッシュボタン３１Ｂの押下が検出されてから所定の時間が経過する前に次の検出がされないときに検出カウンタをリセットしてもよい。所定の時間は、例えば５分間等の時間であってもよい。
また、変動回数の計数には、途中にデモ画面表示が実行されてもよい。例えば、変動回数７回で検出カウンタがリセットされる場合、４回の変動の後デモ画面表示が実行され、その後３回の変動で検出カウンタがリセットされるようにしてもよい。
【０４２５】
また、本実施形態では第２特定演出制限フラグを用いて第２特定演出を制限する場合を例示したが、検出カウンタの値のみにおいて第２特定演出を制限するようにしてもよい。その場合、ステップＳ７７１の処理は、ステップＳ７７４と同様に、検出カウンタが規定回数となっているか否かを判断すればよい。
【０４２６】
また、本実施形態では、ステップＳ７７の第２特定演出処理は、図２３で説明した演出制御メイン処理の中で行われるため、演出制御メイン処理を実行中は常に処理され、第２特定演出処理が実行されることになるが、第２特定演出処理の実行は一部の期間のみに実行されるものであってもよい。例えば、第２特定演出は、デモ演出表示中、飾り図柄が高速で変動している間等においてのみ実行されるようにしてもよい。
また、本実施形態では、検出カウンタをリセットするのは検出カウンタが規定回数になった場合を例示するが、例えば、可変表示終了後に検出カウンタをリセットして、１変動における押下の回数を計数するようにしてもよい。
以上で、図３４を用いたステップＳ７７の第２特定演出処理の説明を終了する。
【０４２７】
次に、図３５を用いて、第２特定演出の制限と、第２特定演出の制限中における第１特定演出の実行について説明する。図３５は、第２特定演出の制限と第２特定演出の制限中における第１特定演出の実行の一例を示すタイムチャートである。本実施形態では、規定回数が１０回以上となったときに第２特定演出が制限される場合を例示している。
図３５において、横軸は時間（ｔ）の推移を示す。（ａ）は操作有効期間外におけるプッシュボタン押下のタイミングを示す。（ｂ）は、第２特定演出が実行されるタイミングを示す。（ｃ）は、第２特定フラグの状態を示す。（ｄ）は、第２特定演出制限報知が実行されるタイミングを示す。（ｅ）は、可変表示の期間を示す。（ｆ１）は、特定期間の第１の設定例を示す。（ｆ２）は、特定期間の第２の設定例を示す。（ｇ）は、操作有効期間におけるプッシュボタン押下のタイミングを示す。また、（ｈ）は、第１特定演出が実行されるタイミングを示す。
【０４２８】
（ａ）において、（１）〜（１１）は、プッシュボタン３１Ｂの押下の回数を示す。図３５は、プッシュボタン３１Ｂが１１回押下されていることを示している。
ｔ１において、（ａ）プッシュボタン３１Ｂの１回目の押下が検出されると、（ｂ）押下の検出に基づいて、Ｔ２の時間第２特定演出が実行される。Ｔ２の時間は、例えば１秒間、０．５秒間等の短時間である。第２特定演出では、スピーカ８から効果音が出力されて、画像表示装置５の表示画面に所定のセリフが表示されるものとする。
ｔ２、ｔ３、・・・及びｔ９において、（ａ）遊技者がプッシュボタン３１Ｂを押下すると（（２）、（３）、・・・（９））、（ｂ）押下の度に押下の検出に基づいて第２特定演出が実行される。第２特定演出はＴ２の時間実施される。Ｔ２は、例えば０．５秒間、１秒間等の短時間である。すなわち、本実施形態において第２特定演出は、プッシュボタン３１Ｂの押下によって実行される短時間の演出態様を例示している。
ｔ１０において、（ａ）遊技者によるプッシュボタン３１Ｂの押下が１０回目になったとき（１０）、（ｂ）第２特定演出が実行されて、（ｃ）第２特定演出制限フラグがオン状態となり、（ｄ）画像表示装置５の表示画面に第２特定演出が制限されることを報知する。本実施形態では、第２特定演出の実行は１０回に制限されるものとする。第２特定演出が制限されることの報知は、Ｔａの時間実行される。Ｔａは例えば、２秒間、５秒等、遊技者に対して第２特定演出が制限されることを報知するために適当な時間実施するものとする。
ｔ１１において、遊技者がプッシュボタン３１Ｂを押下して１１回目の押下が検出されたときには、（ｃ）第２特定演出制限フラグはオン状態であるため、（ｂ）第２特定演出は実行されない。すなわち、第２特定演出制限フラグがオン状態の場合、第２特定演出の実行は制限される。
【０４２９】
本実施形態では、（ｃ）第２特定演出制限フラグがオン状態となっているときでも、（ｇ）プッシュボタンの押下が検出されると、（ｈ）第１特定演出が実行される。
ｔ１２において、（ｅ）変動図柄が可変表示中になり、可変表示はＴｋの時間実行されるものとする。可変表示中に図２８で説明したステップＳ５２９２の処理によって第１特定演出が実行されることが決定された場合、ステップＳ５２９３において設定された演出制御パターンに基づき、特定期間（操作有効期間）が開始されるタイミング（ｔ１３）が設定される。本実施形態では、演出制御パターンによって設定される特定期間として、２種類の特定期間を例示して説明する。
【０４３０】
（ｆ１）は、特定期間を固定時間として設定する第１の設定例を示している。すなわち、第１の設定例において、ｔ１３から開始される操作有効期間（特定期間）は、予め定められた固定のＴｔ１の時間が設定されるものとする。Ｔｔ１は遊技者がプッシュボタン３１Ｂを押下できる最大時間である。Ｔｔ１が固定の時間である場合は、Ｔｔ１ではない非特定期間として例示する操作有効期間外期間Ｔｈ１も固定の時間となる。したがって、プッシュボタン３１Ｂの押下によって第２特定演出が実行される操作有効期間外期間Ｔｈ１は、プッシュボタン３１Ｂ押下のタイミングに影響されないこととなる。すなわち、（ｆ１）に示す第１の設定例における操作有効期間は、第２特定演出が実行できない期間であって、プッシュボタン３１Ｂが押下された後はプッシュボタン３１Ｂの押下が無視される期間となる。
（ｆ２）は、操作有効期間がプッシュボタン３１Ｂの押下によって変化する第２の設定例を示している。すなわち、ｔ１２から開始される操作有効期間は、ｔ１４においてプッシュボタン３１Ｂの押下が検出されたときに終了し、操作有効期間Ｔｔ２はプッシュボタン３１Ｂ押下のタイミングよって変化することとなる。したがって、操作有効期間Ｔｔ２ではない期間である操作有効期間外期間Ｔｈ２も特定期間に応じて変化することとなる。プッシュボタン３１Ｂの押下後は、操作有効期間外期間Ｔｈ２となるため、（第２特定演出制限フラグがオフ状態であることを条件に）プッシュボタン３１Ｂ押下によって第２特定演出が実行可能となる。
【０４３１】
ｔ１４において、（ｃ）第２特定演出制限フラグがオン状態のときであっても、（ｆ１、ｆ２）操作有効期間においては、（ｇ）プッシュボタン３１Ｂが押下されると、（ｈ）特定演出が（Ｔ１の時間）実行される。したがって、第２特定演出が制限されている場合であってもプッシュボタン３１Ｂの押下によって第１特定演出が実行されるので、演出効果の向上を図ることができる。
以上で、図３５を用いた、第２特定演出の制限と第２特定演出の制限中における第１特定演出の実行についての説明を終了する。
【０４３２】
次に、図３６を用いて、第２特定演出が制限される状況を説明する。図３６は、第２特定演出の制限の一例を示す図である。図３６は、第２特定演出として、スピーカ８からの効果音の出力と画像表示装置５の表示画面へのセリフ表示が実行される場合を例示する。図３６は、図３６（ａ）〜図３６（ｃ）の順序で、画像表示装置５の表示画面に表示される演出態様を示している。
【０４３３】
図３６（ａ）は、図３５におけるｔ１０までの状態を示している。すなわち、第２特定演出制限フラグがＯＦＦ状態のときにプッシュボタン３１Ｂの押下に基づき第２特定演出が実行されることを示している。
図３６（ａ）において、画像表示装置５の表示画面には、飾り図柄表示エリア５Ｌ、飾り図柄表示エリア５Ｃ、及び飾り図柄表示エリア５Ｒが表示されている。飾り図柄表示エリア５Ｌ、飾り図柄表示エリア５Ｃ、及び飾り図柄表示エリア５Ｒに表示されている数字の図柄は、それぞれの飾り図柄表示エリアにおいて、飾り図柄が停止中であることを示している。本実施形態では、操作有効期間外期間として、飾り図柄が停止中である場合を例示する。
図３６（ａ）の画像表示装置５の右側に表すボタンのアイコンは、プッシュボタン３１Ｂを遊技者が押下することを示している。また、画像表示装置５の右側に表すスピーカのアイコンは、スピーカ８からの出力される音の出力状況を示している。
遊技者がプッシュボタン３１Ｂを押下すると、図２で説明したプッシュセンサを介して、演出制御用ＣＰＵ１２０は、遊技者のプッシュボタン３１Ｂの押下の動作を検出する。
演出制御用ＣＰＵ１２０は、遊技者の押下動作の検出結果に基づいて、第２特定演出を実行する。本実施形態では、第２特定演出として、スピーカ８から「バシ」という短時間の効果音を出力する。また、第２特定演出として、画像表示装置５の表示画面に「バシ」というセリフ表示（５ＴＨ）を短時間表示する。
第２特定演出は、遊技者がプッシュボタン３１Ｂを押下するたびに実行される。すなわり、遊技者がプッシュボタン３１Ｂを連打した場合、スピーカ８から「バシ」という効果音が連続して出力されるとともに、画像表示装置５の表示画面に「バシ」というセリフ表示５ＴＨが連続して（あるいは画像表示装置５の表示画面からセリフ表示５ＨＴが消去されることなく連続して）表示される。プッシュボタン３１Ｂが押下される度に演出装置による演出が実行されるので演出効果の向上を図ることができる。
【０４３４】
図３６（ｂ）は、図３５におけるｔ１０において実行される第２特定演出が制限される報知の演出態様を例示している。第２特定演出が制限されるのは、操作有効期間外期間におけるプッシュボタン３１Ｂの押下の回数が図３４で説明した規定回数以上になり、第２特定演出制限フラグがＯＮ状態となった場合である。本実施形態では、プッシュボタン３１Ｂを１０回以上押下することにより第２特定演出が制限される。第２特定演出が制限される報知は、Ｔａの時間実行される。
図３６（ｂ）において、画像表示装置５の表示画面には、第２特定演出が制限されたことを遊技者に報知する「ボタン押し過ぎ！」のセリフ表示５ＡＬが表示される。セリフ表示５ＡＬが表示されることにより、演出効果が向上するとともに遊技者に対してプッシュボタン３１Ｂの操作を抑制させることができる。
図３６（ｃ）は、図３５のｔ１０において第２特定演出制限フラグがオン状態のときに、プッシュボタン３１Ｂが押下されたときの演出態様を例示している。
図３６（ｃ）において、飾り図柄表示エリア５Ｌ、飾り図柄表示エリア５Ｃ、及び飾り図柄表示エリア５Ｒに表示されている数字の図柄は、それぞれの飾り図柄表示エリアにおいて、飾り図柄が停止中であることを示している。
図３６（ｃ）の画像表示装置５の右側に表すボタンのアイコン及びスピーカのアイコンは、第２特定演出が制限されているときにプッシュボタン３１Ｂを押下しても、スピーカ８からは効果音が出力されず、画像表示装置５の表示画面にはセリフ表示は表示されないことを示している。
【０４３５】
なお、本実施形態では、画像表示装置５の表示画面の表示によって第２特定演出が制限されていることを遊技者に報知する場合を例示したが、第２特定演出が制限されていることを遊技者に報知する方法はこれに限定されない。例えば、スピーカ８からの音出力、ランプ９の点灯状態、演出用模型の動作等、他の演出装置の動作によって、又は複数の演出装置の動作の組み合わせによって報知をしてもよい。また、プッシュボタン３１Ｂに配置されたＬＥＤランプの点灯状態（消灯を含む）によって報知してもよい。また、本実施形態では、セリフ表示５ＡＬの画像をＴａの時間表示する場合を例示したが、例えば、所定の動画像を表示するようにしてもよい。
また、第２特定演出が制限されたことを報知する演出態様の種類を複数用意しておき、例えばプッシュボタン３１Ｂの押下回数や押下速度（所定時間における押下回数）に応じて実行する演出態様を選択するようにしてもよい。
また、本実施形態では、画像表示装置５の表示画面にセリフ表示５ＡＬを所定時間（図３５で説明した時間：Ｔａ）表示して第２特定演出が制限されていることを遊技者に報知する場合を例示したが、第２特定演出が制限されていることを遊技者に対して、第２特定演出が制限されている間は常に報知するようにしてもよい。例えば、画像表示装置５の表示画面に第２特定演出が制限されていることを常に表示してもよい。また、プッシュボタン３１Ｂに配置されたＬＥＤランプを常に消灯してもよい。さらに、遊技者がプッシュボタン３１Ｂを押下したときに第２特定演出ではない他の演出態様によって報知をしてもよい。
以上で、図３６を用いた第２特定演出が制限される状況の説明を終了する。
【０４３６】
次に、図３７を用いて、第２特定演出制限中における第１特定演出の実行について説明する。図３７は、第２特定演出制限中における第１特定演出の実行の一例を示す図である。図３７は、第２特定演出が制限中であっても第１特定演出が実行可能であることを例示している。図３７は、図３７（ａ）〜図３７（ｃ）の順序で、画像表示装置５の表示画面に表示される演出態様を示している。
【０４３７】
図３７（ａ）は、図３６（ｃ）で説明した状態を示している。すなわち、図３７（ａ）は、第２特定演出が制限されているときにプッシュボタン３１Ｂを押下した場合には、スピーカ８からは効果音が出力されず、画像表示装置５の表示画面にはセリフ表示は表示されないことを示している。
【０４３８】
図３７（ｂ）は、図３５のｔ１２において変動表示が可変表示が開始された後、図２８のステップＳ５２９２で説明した第１特定演出（第１特定演出Ａ又は第１特定演出Ｂ）が決定されて、決定された第１特定演出で設定されるプロセスデータに基づいてｔ１３において操作有効期間が開始されて操作促進用のボタン表示５Ｂとゲージ５Ｇが表示され、操作有効期間が経過していることを例示している。
図３７（ｂ）において、画像表示装置５の表示画面には、飾り図柄表示エリア５Ｌ、飾り図柄表示エリア５Ｃ、及び飾り図柄表示エリア５Ｒが可変表示中で表示されている。操作促進用のボタン表示５Ｂとゲージ５Ｇは、操作有効期間の開始（図３５のｔ１３）によって表示される。
ボタン表示５Ｂの表示は、遊技者に対してプッシュボタン３１Ｂの押下を促す。また、ゲージ５Ｇの表示は、プッシュボタン３１Ｂの押下が可能である操作有効期間を遊技者に対して報知する。ゲージ５Ｇは、操作有効期間の残り時間を示すゲージ値（図３７（ｂ）で図示するゲージ表示５Ｇの矩形網掛部分）を有する。ゲージ値の長さは操作有効期間の開始とともに図示右側から減少し、操作有効期間の終了時に消滅する。図３７（ｂ）の画像表示装置５の右側に表すボタンのアイコンは、プッシュボタン３１Ｂを遊技者が押下することを示している。操作有効期間（すなわちゲージ値が消滅する前に）に遊技者がプッシュボタン３１Ｂを押下すると、演出制御用ＣＰＵ１２０は、遊技者の押下動作の検出結果に応じて、ボタン表示５Ｂ、及びゲージ５Ｇの表示を消去する。なお、本実施形態では、決定された第１特定演出が、１回のプッシュボタン３１Ｂの押下を検出する第１特定演出Ａである場合を説明するが、決定される第１特定演出は、複数回のボタン押下を検出する第１特定演出Ｂであってもよい。
【０４３９】
図３７（ｃ）は、図３５のｔ１４から時間Ｔ１実行される第１特定演出を例示している。
図３７において、画像表示装置５の表示画面には、飾り図柄表示エリア５Ｌ、飾り図柄表示エリア５Ｃ、及び飾り図柄表示エリア５Ｒが可変表示中で表示されるとともに、第１特定演出Ａとして、カットイン演出５ＣＥ及び２次元コード５ＣＤが表示される。
本実施形態では、第２特定演出が制限されている状態（第２特定演出制限フラグがオン状態）であても、操作有効期間になった場合には、プッシュボタン３１Ｂの押下に基づき第１特定演出が実行されることになる。第２特定演出が制限されている場合であっても第１特定演出は実行可能であるため、第１特定演出が制限されることによる興趣の低下を防止することができ、また演出効果の向上を図ることができる。
【０４４０】
なお、本実施形態では第１特定演出Ａとして、画像表示装置５の表示画面にカットイン演出５ＣＥと２次元コード５ＣＤが表示される演出態様が実行される場合を例示したが、第１特定演出Ａの演出態様はこれに限定されるものではない、例えば、画像表示装置５の表示画面に表示される保留表示の表示態様（色、形状等）を変化させるものであってもよい。また、画像表示装置５の表示画面に表示される可変表示中の飾り図柄の表示を変化させるものであってもよい。
以上で、図３７を用いた第２特定演出制限中における第１特定演出の実行についての説明を終了する。
【０４４１】
次に、図３８〜図４１を用いて、第２特定演出が制限されたときに制限を解除する方法について説明する。なお、図３８の説明には図２８で説明したフローチャートを参照する。
【０４４２】
図３８は、特図の変動回数による第２特定演出の制限解除の一例を示すタイムチャートである。本実施形態では、第２特定演出が制限されているときに、特図の変動回数が７回になると制限を解除する場合を例示している。
図３８において、横軸は時間（ｔ）の推移を示す。（ａ）は第２特定演出制限フラグの状態を示す。（ｂ）は、特図の変動に対応した変動表示の可変表示を示す。
ｔ１０において、第２特定演出制限フラグがオン状態になる。第２特定演出制限フラグがオン状態になるのは、上述のとおり、操作有効期間外期間においてプッシュボタン３１Ｂが規定回数以上押下された場合である。可変表示の回数は、図２８で説明したとおり、第２特定演出制限フラグがオン状態になってから（ステップＳ５２９４）、変動カウンタによって計数される（ステップＳ５２９５〜ステップＳ５２９６）。（ｂ）に示す、（１）、（２）、（３）、・・・（７）は、変動カウンタによって計数される可変表示の回数を示している。１回の可変表示は、時間Ｔｋ実行されるものとする。
ｔ２０において、（ｂ）可変表示の回数が７回となったときに、（ａ）第２特定演出制限フラグがオフ状態となる（ステップＳ５２９７）。第２特定演出制限フラグがオフ状態となることにより、プッシュボタン３１Ｂの押下により第２特定演出が再度実行可能となる。
【０４４３】
なお、本実施形態では、本実施形態では、第２特定演出制限フラグをオフ状態にするタイミングは、可変表示が開始されるタイミング（ｔ２０）である。したがって、可変表示の回数が７回となり第２特定演出制限フラグがオフ状態になると可変表示中においても操作可能期間外期間であればプッシュボタン３１Ｂを押下することによって第２特定演出を実行することができる。しかし、第２特定演出制限フラグをオフ状態にするタイミングを７回目の可変表示が終了するタイミングとしてもよい。すなわち、可変表示中においては第２特定演出の実行を制限するようにしてもよい。
以上で、図３８を用いた特図の変動回数による第２特定演出の制限解除の説明を終了する。
【０４４４】
次に、図３９を用いて、図３８で説明した特図の変動回数による第２特定演出の制限解除について説明する。図３９は、特図の変動回数による第２特定演出の制限解除の一例を示す図である。図３９は、図３９（ａ）〜図３９（ｃ）の順序で、画像表示装置５の表示画面に表示される演出態様を示している。
【０４４５】
図３９（ａ）は、図３６（ｃ）で説明した状態を示している。すなわち、図３９（ａ）は、第２特定演出が制限されているときにプッシュボタン３１Ｂを押下した場合には、スピーカ８からは効果音が出力されず、画像表示装置５の表示画面にはセリフ表示は表示されないことを示している。
なお、画像表示装置５の表示画面には、飾り図柄表示エリア５Ｌ、飾り図柄表示エリア５Ｃ、及び飾り図柄表示エリア５Ｒには、飾り図柄が停止中で表示されている。
図３９（ｂ）は、第２特定演出が制限された後に変動表示が可変表示が開始されたことを示している。図３９（ｂ）において、画像表示装置５の表示画面には、飾り図柄表示エリア５Ｌ、飾り図柄表示エリア５Ｃ、及び飾り図柄表示エリア５Ｒが可変表示中で表示されている。図３９（ｂ）に示す可変表示が繰り返されて、図３８で説明した７回目の可変表示が開始されると、ｔ２０において第２特定演出制限フラグはオフ状態となる。
図３９（ｃ）は、図３９（ａ）と同様に、画像表示装置５の表示画面に、飾り図柄表示エリア５Ｌ、飾り図柄表示エリア５Ｃ、及び飾り図柄表示エリア５Ｒに停止中の飾り図柄が表示されている。しかし、第２特定演出制限フラグはオフ状態となっているため、遊技者がプッシュボタン３１Ｂを押下すると、第２特定演出が実行されて、スピーカ８から「バシ」という短時間の効果音を出力するとともに、画像表示装置５の表示画面に「バシ」というセリフ表示（５ＴＨ）が表示される。
【０４４６】
なお、本実施形態では、第２特定演出の制限が解除されるときには制限が解除される旨の報知は行わない。しかし、制限が解除されるときにおいても図３６（ｂ）で示した、第２特定演出が制限されるときの報知と同様に、画像表示装置５の表示画面に制限が解除される旨のセリフを表示してもよい。
また、第２特定演出が制限されているか否かの状態を報知することにより、制限が解除されたことを報知するようにしてもよい。例えば、第２特定演出が制限中であるか否かによって画像表示装置５の表示画面の表示を変更してもよい。また第２特定演出が制限中であるか否かによってプッシュボタン３１Ｂの設けられたＬＥＤの点灯状態を変更してもよい。
第２特定演出の制限が解除されたときに制限が解除された旨の報知を行うことにより、第２特定演出が実行可能な状態になったことを報知することができ演出効果の向上を図ることができる。
以上で、図３９を用いた特図の変動回数による第２特定演出の制限解除の説明を終了する。
【０４４７】
次に、図４０を用いて、特図大当りによる第２特定演出の制限解除の説明をする。図４０は、特図大当りによる第２特定演出の制限解除の一例を示すタイムチャートである。本実施形態では、第２特定演出が制限されているときに、特図大当りが発生すると制限を解除する場合を例示している。
図４０において、横軸は時間（ｔ）の推移を示す。（ａ）は第２特定演出制限フラグの状態を示す。（ｂ１）は、第１のタイミングにおける第２特定演出の制限解除を行うときの第２特定演出制限フラグの状態を示す。（ｂ２）は、第２のタイミングにおける第２特定演出の制限解除を行うときの第２特定演出制限フラグの状態を示す。本実施形態では、第１のタイミング又は第２のタイミングのいずれかのタイミングで第２特定演出制限フラグをオフ状態にするが、例えば、所定の条件においていずれかのタイミングが選択されるようにしてもよい。
【０４４８】
（ａ）において、特図大当りは、ｔ２１に開始されてＴｇの時間実行され、ｔ２２に終了するものとする。ｔ２１は図２５で説明したステップＳ１７３が実行されるタイミングである。また、ｔ２２は、同図ステップＳ１７７で実行されるタイミングである。
（ｂ１）に示す第２特定演出の制限を解除する第１のタイミングは、ｔ２１における特図大当りの開始時である。すなわち、図３３で説明したステップＳ６５９の処理において第２特定演出制限フラグをオフ状態とする場合を例示している。ｔ２１で第２特定演出制限フラグがオフ状態となった場合、ｔ２１以降においては例えば、大当りの最中においても第２特定演出が実行可能となる。例えば、第２特定演出の演出態様を、ｔ２１からｔ２２までの大当りの期間と、それ以外の期間とで実行される第２特定演出を変えることにより、大当りの期間において異なる演出態様を実行可能となり、演出効果の向上を図ることができる。
（ｂ２）に示す第２特定演出の制限を解除する第２のタイミングは、ｔ２２における特図大当りの終了時である。すなわち、図２５で説明したステップＳ１７７の処理に含まれる処理において第２特定演出制限フラグをオフ状態とする場合を例示している。ｔ２２で第２特定演出制限フラグがオフ状態となった場合、大当りの間（ｔ２１〜ｔ２２）では第２特定演出は制限が解除されない。
なお、（ｂ２）において大当りの間（ｔ２１〜ｔ２２）に第２特定演出が制限されている場合であっても第１特定演出を行う場合には第１特定演出が実行可能である。
【０４４９】
大当りによって第２特定演出の制限を解除する演出態様を実施することによって、興趣の低下防止と演出効果の向上を図ることができる。
なお、本実施形態では、大当りによっての第２特定演出の制限を解除する方法として、（ｂ１）と（ｂ２）のタイミングでフラグの状態をオフ状態にする場合を例示したが、大当りによっての第２特定演出の制限を解除する方法はこれに限定されない。例えば、大当りのラウンド最中に所定の条件によって制限を解除するようにしてもよい。
以上で、図４０を用いた特図大当りによる第２特定演出の制限解除の説明を終了する。
【０４５０】
次に、図４１を用いて、図４０の特図大当りによる第２特定演出の制限解除について説明する。図４１は、特図大当りによる第２特定演出の制限解除の一例を示す図である。図４１は、図４１（ａ）〜図４１（ｄ）の順序で、画像表示装置５の表示画面に表示される演出態様を示している。なお、図４１は図４０の（ｂ）で説明したタイミングにおいて第２特定演出の制限が解除される場合を例示している。
【０４５１】
図４１（ａ）は、図３９（ａ）で説明した状態と同様である。すなわち、図４１（ａ）は、第２特定演出が制限されているときにプッシュボタン３１Ｂを押下した場合には、スピーカ８からは効果音が出力されず、画像表示装置５の表示画面にはセリフ表示は表示されないことを示している。
なお、画像表示装置５の表示画面には、飾り図柄表示エリア５Ｌ、飾り図柄表示エリア５Ｃ、及び飾り図柄表示エリア５Ｒには、飾り図柄が停止中で表示されている。
図４１（ｂ）は、第２特定演出が制限された後に変動表示が可変表示が開始されたことを示している。図４１（ｂ）において、画像表示装置５の表示画面には、飾り図柄表示エリア５Ｌ、飾り図柄表示エリア５Ｃ、及び飾り図柄表示エリア５Ｒが可変表示中で表示されている。
図４１（ｃ）は、特図大当りによって大当りの停止図柄が飾り図柄表示エリア５Ｌ、飾り図柄表示エリア５Ｃ、及び飾り図柄表示エリア５Ｒに表示されていることを示している。図４１（ｃ）で示す大当りの停止図柄を表示するとともに、図３３で説明したステップＳ６５９において第２特定演出制限フラグをオフ状態にしているものとする。すなわち、次に説明する図４１（ｄ）では、第２特定演出制限フラグはオフ状態となっているものとする。
なお、図４１では、図４１（ｃ）〜図４１（ｄ）で表示される、大当りに伴うファンファーレ演出の表示、及び大当りラウンド中の表示を省略している。本実施形態では、第２特定演出制限フラグがオフ状態である場合、特定期間を除きプッシュボタン３１Ｂ押下による第２特定演出が実行される。
図４１（ｄ）は、図３９（ｃ）と同様に、画像表示装置５の表示画面に、飾り図柄表示エリア５Ｌ、飾り図柄表示エリア５Ｃ、及び飾り図柄表示エリア５Ｒに停止中の飾り図柄が表示され、遊技者がプッシュボタン３１Ｂを押下すると、第２特定演出が実行されて、スピーカ８から「バシ」という短時間の効果音を出力するとともに、画像表示装置５の表示画面に「バシ」というセリフ表示（５ＴＨ）が表示される。
以上で、図４１を用いた特図大当りによる第２特定演出の制限解除の説明を終了する。
【０４５２】
次に、図４２を用いて、画像表示装置５の表示画面に表示される輝度調整の演出態様を説明する。図４２は、輝度調整の一例を示す図である。図４２は、図４２（ａ）、図４２（ｂ）、図４２（ｃ）、図４２（ｄ）、図４２（ｅ）、および図４２（ｆ）の順序で、画像表示装置５の表示画面に時系列に表示される輝度調整の演出態様を示している。
【０４５３】
図４２（ａ）は、通常演出において表示領域に飾り図柄が停止中で表示されていることを示している。
図４２（ａ）において、画像表示装置５の表示画面には、飾り図柄表示エリア５Ｌ、飾り図柄表示エリア５Ｃ、及び飾り図柄表示エリア５Ｒが表示されている。飾り図柄表示エリア５Ｌ、飾り図柄表示エリア５Ｃ、及び飾り図柄表示エリア５Ｒに表示されている数字は、それぞれの飾り図柄表示エリアにおいて、飾り図柄が停止中であることを示している。  
【０４５４】
画像表示装置５の周囲には、複数個の装飾ＬＥＤ９Ｓが配置されている。装飾ＬＥＤ９Ｓは多色に発光可能な多色発光ＬＥＤを用いる。装飾ＬＥＤ９Ｓは、例えば、赤色、緑色、青色の三原色で発光する３つの発光素子を一つにパッケージ化されたものである。それぞれの発光素子の輝度を変更して配色を組み合わせることにより装飾ＬＥＤ９Ｓは様々な発光色（色温度）による発光が可能になる。
本実施形態では、画像表示装置５の周囲に１４個の装飾ＬＥＤ９Ｓを配置する場合を例示したが、配置する装飾ＬＥＤ９Ｓの個数、配置方法はこれに限定されない。
【０４５５】
飾り図柄が停止中であって、所定の条件（図２６で説明した、ステップＳ１０００の処理、及びステップＳ１００２の処理の条件）になると、演出制御用ＣＰＵ１２０は、画像表示装置５の表示画面にデモ画面表示をする。
【０４５６】
図４２（ｂ）は、通常演出においてデモ画面表示がされていることを示している。
図４２（ｂ）において、画像表示装置５の表示画面にはデモ画面表示がされている。デモ画面表示は、装飾ＬＥＤ９Ｓの点灯と併せて行ってもよい。
演出制御用ＣＰＵ１２０は、画像表示装置５の表示画面にデモ画面表示がされているときにプッシュボタン３１Ｂを押下することによって、遊技者に対して図４２（ｃ）に示す輝度調整用の表示を行う演出態様を実施する。
なお、デモ画面表示において遊技者に対して輝度調整を促す表示を行う演出態様を実施してもよい。
【０４５７】
図４２（ｃ）、図４２（ｄ）、図４２（ｅ）、及び図４２（ｆ）は、デモ画面表示がされているときに遊技者がプッシュボタン３１Ｂを押下したときに表示される輝度調整画面である。
図４２（ｃ）〜図４２（ｆ）において、画像表示装置５の表示画面には、演出調整表示として例示する輝度調整画面が表示される。輝度調整画面には、輝度調整表示５ＫＣが表示される。輝度調整表示５ＫＣは、装飾ＬＥＤ９Ｓ等の発光手段の輝度の設定状況が表示される。輝度調整表示５ＫＣは、図４２（ｃ）図示左から右側に行くに従って輝度が暗から明に大きくなることを表す。図４３（ｃ）図示ハッチング部分は、輝度の設定値を示している。遊技者は、例えば、スティックコントローラ３１Ａを左右に操作することにより、輝度調整表示５ＫＣの表示を増減することができる。
【０４５８】
本実施形態では、輝度を調整するときに装飾ＬＥＤ９Ｓの発光色を時間とともに変化させながら表示する、複数種類の発光態様による演出を行う。例えば、装飾ＬＥＤ９Ｓの、赤色、緑色、及び青色のそれぞれの発光素子の輝度の組み合わせ（配色）を時間とともに変更することにより、装飾ＬＥＤ９Ｓの発光色が時間とともに変化する。装飾ＬＥＤ９Ｓの発光色を時間とともに変化させる演出は「レインボー演出」ともいわれる。
図４２（ｃ）は、発光素子の配色で装飾ＬＥＤ９Ｓを白色で発光させていることを示している。図４２（ｄ）は、発光素子の配色で装飾ＬＥＤ９Ｓを赤色で発光させていることを示している。図４２（ｅ）は、発光素子の配色で装飾ＬＥＤ９Ｓを橙色で発光させていることを示している。図４２（ｆ）は、発光素子の配色で装飾ＬＥＤ９Ｓを黄色で発光させていることを示している。
輝度調整中は、図４２（ｃ）〜図４２（ｆ）に示すとおり、発光色を白色→赤色→橙色→黄色（→白色）と時間の推移とともに変化させて繰り返す演出態様を行う。
【０４５９】
複数種類の発光色を順番に出力することにより、遊技者は装飾ＬＥＤ９Ｓから出力される複数種類の発光色での輝度を確認することができるので、演出出力としてそれぞれの発光色において適切な輝度を容易に設定でき、演出効果の向上を図ることができる。
【０４６０】
なお、本実施形態では、複数種類の発光態様による演出として、装飾ＬＥＤ９Ｓの発光色を時間の推移とともに、白色→赤色→橙色→黄色と繰り返し変更させる演出態様を説明した。しかし、複数種類の発光態様による演出態様はこれに限定されない。
例えば、発光色の組み合わせは上記４色以外の組み合わせであってもよい。
また、配置される複数の装飾ＬＥＤ９Ｓの発光色を、それぞれ異なる発光色で発光させてもよい。
また、本実施形態では、輝度調整表示５ＫＣは１つの場合を説明した。しかし、輝度調整表示５ＫＣは１つには限定されない。例えば、輝度を配色ごとに分けて設定ができるようにしてもよい。輝度を配色ごとに設定することにより、遊技者の好みに合った発光色を設定しやすくなり、さらに演出効果の向上を図ることができる。
また、本実施形態では、複数種類の発光色を自動的に切り替えて出力する場合を説明した。複数種類の発光色を自動的に切り替えて出力することにより、複数種類の発光色に対する輝度を容易に確認することができる。また、発光色を自動的に切り替える速度を変更できるようにしてもよい。また、出力される発光色の切り換えを遊技者の操作によって行うようにしてもよい。出力される発光色の切り換えを遊技者の操作によって行うことにより、遊技者の好みに合った発光色を設定しやすくなり、さらに演出効果の向上を図ることができる。
【０４６１】
遊技者は、輝度調整を終了したときには、例えばプッシュボタン３１Ｂを操作することにより輝度調整画面の表示を終了させて、図４２（ｂ）のデモ画面表示に戻すことができる。また、輝度調整画面が表示された後、遊技者が所定の時間スティックコントローラ３１Ａ等により輝度調整の操作を行わないときに輝度調整画面からデモ画面表示に戻してもよい。また、遊技者が打球操作ハンドルを操作して遊技を開始したときに輝度調整画面からデモ画面表示に戻してもよい。
以上で、図４２を用いた、画像表示装置５の表示画面に表示される輝度調整の演出態様の説明を終了する。
【０４６２】
次に、図４３を用いて、画像表示装置５の表示画面に表示される音量調整の演出態様を説明する。図４３は、音量調整の一例を示す図である。
【０４６３】
図４３は、図４３（ａ）、図４３（ｂ）、及び図４３（ｃ）の順序で、画像表示装置５の表示画面に時系列に表示される通常演出における音量調整の演出態様を示している。
【０４６４】
図４３（ａ）は、表示領域に飾り図柄が停止中で表示されていることを示している。
図４３（ａ）において、画像表示装置５の表示画面には、表示領域５ＨＹの中に、飾り図柄表示エリア５Ｌ、飾り図柄表示エリア５Ｃ、及び飾り図柄表示エリア５Ｒが表示されている。飾り図柄表示エリア５Ｌ、飾り図柄表示エリア５Ｃ、及び飾り図柄表示エリア５Ｒに表示されている数字は、それぞれの飾り図柄表示エリアにおいて、飾り図柄が停止中であることを示している。
【０４６５】
飾り図柄が停止中であって、所定の条件（図２６で説明した、ステップＳ１０００の処理、及びステップＳ１００２の処理の条件）になると、演出制御用ＣＰＵ１２０は、画像表示装置５の表示画面に図３１（ｂ）に示すデモ画面表示をする。
【０４６６】
図４３（ｂ）は、デモ画面表示がされていることを示している。デモ画面表示は、例えばデモ演出の動画や静止画を画像表示装置５の表示画面に表示する演出態様である。デモ画面表示は、例えば遊技効果ランプ９等の点灯と併せて行ってもよい。
演出制御用ＣＰＵ１２０は、画像表示装置５の表示画面にデモ画面表示がされているときにプッシュボタン３１Ｂを押下することによって、遊技者に対して図４３（ｃ）に示す音量調整用の表示を行う演出態様を実施する。
なお、本実施形態では、デモ画面表示において遊技者に対して音量調整を促す表示は行わない。しかし、デモ画面表示において、例えば、ボタン表示５Ｂ等を表示して、遊技者に対して操作を促す演出態様を実施してもよい。
【０４６７】
図４３（ｃ）は、デモ画面表示がされているときに遊技者がプッシュボタン３１Ｂを押下したときに表示される音量調整画面である。
図４３（ｃ）において、画像表示装置５の表示画面には、演出調整表示として例示する音量調整画面が表示される。音量調整画面には、ボリューム表示５ＶＯＬが表示される。ボリューム表示５ＶＯＬは、スピーカ８等の音出力手段の音量の設定状況が表示される。ボリューム表示５ＶＯＬは、図４３（ｃ）図示左から右側に行くに従って音量が大きくなることを表す。図４３（ｃ）図示ハッチング部分は、音量の設定値を示している。遊技者は、例えば、スティックコントローラ３１Ａを左右に操作することにより、ボリューム表示５ＶＯＬの表示を増減することができる。
【０４６８】
本実施形態では、音量を調整するときにスピーカ８から音を出力する。遊技者は、スピーカ８から出力される音を確認しながら適正な音量になるように調整することができる。
音量の調整をするときにスピーカ８から出力する音は、複数種類の音を用いることができる。複数種類の音は、例えば、楽曲であってもよいし単音であってもよい。音の種類は、出力される音域が違うものを用いることができる。例えば、スピーカ８から低音域の音、中音域の音、又は高音域の音を順番に自動的に切り替えて出力し、遊技者は設定された音量によってそれぞれの音域の音を順番に聴いて、適切な音量を設定することができる。それぞれの効果音は、所定の時間毎に切り替えて出力してもよい。また、効果音の音域を時間とともに自動的に変化させて出力してもよい。
【０４６９】
複数種類の音を順番に出力することにより、遊技者は複数種類の音での音量を確認することができるので、演出出力として適切な音量を容易に設定でき、演出効果の向上を図ることができる。
【０４７０】
なお、本実施形態では、ボリューム表示５ＶＯＬは１つの場合を説明した。しかし、ボリューム表示５ＶＯＬは１つには限定されない。例えば、ボリューム表示を音域ごとに分けて設定ができるようにしてもよい。ボリューム表示を音域ごとに分けて設定することにより、遊技者の好みに合った音を設定しやすくなり、さらに演出効果の向上を図ることができる。
また、本実施形態では、複数種類の音を自動的に切り替えて出力する場合を説明した。複数種類の音を自動的に切り替えて出力することにより、複数種類の音に対する音量を容易に確認することができる。しかし、出力される音の切り換えを遊技者の操作によって行うようにしてもよい。出力される音の切り換えを遊技者の操作によって行うことにより、遊技者の好みに合った音を設定しやすくなり、さらに演出効果の向上を図ることができる。
【０４７１】
遊技者は、音量調整を終了したときには、例えばプッシュボタン３１Ｂを操作することにより音量調整画面の表示を終了させて、図４３（ｂ）のデモ画面表示に戻すことができる。また、音量調整画面が表示された後、遊技者が所定の時間スティックコントローラ３１Ａ等により音量調整の操作を行わないときに音量調整画面からデモ画面表示に戻してもよい。また、遊技者が打球操作ハンドルを操作して遊技を開始したときに音量調整画面からデモ画面表示に戻してもよい。
以上で、図４３を用いた、画像表示装置５の表示画面に表示される音量調整の演出態様の説明を終了する。
【０４７２】
以上、上記実施形態による遊技機は、遊技を行う遊技機であって、であって、遊技者の動作を検出可能な検出手段を備え、特定期間における前記検出手段の検出結果に基づいて第１特定演出を実行可能であり、非特定期間における前記検出手段の検出結果に基づいて第２特定演出を実行可能であり、前記非特定期間に前記検出手段の検出態様に応じて前記第２特定演出の実行を制限可能であり、前記第２特定演出の実行が制限されているときであっても、前記特定期間において前記検出手段の検出結果に基づいて前記第１特定演出を実行可能である場合を例示したが、これは一例である。
【０４７３】
［検出手段］
本実施形態では、検出手段として、プッシュボタン３１Ｂを例示したが、検出手段はこれに限定されない。例えば、スティックコントローラ３１Ａ、又は遊技者の身体の接近又は接触、並びに遊技者の身体の動きを検出するセンサやテレビカメラであってもよい。センサには、例えば、静電容量式センサ、赤外線式センサ、レーザ式センサ、超音波式センサ等を用いることができる。テレビカメラは、遊技者の身体を撮影する。撮影された画像を解析することにより、遊技者の顔の表情、ジェスチャ等を検出することができる。
［特定期間、非特定期間］
本実施形態においては、特定期間は第１特定演出が実行可能な期間として例示した、しかし、特定期間と第１特定演出が実行可能な期間とは完全に一致している必要はない。例えば、ボタン表示等の操作促進演出をしてから遊技者がプッシュボタン等を操作するまでの間は所定の遅延時間が発生するため、特定期間と第１特定演出が実行可能な期間とが所定の時間のずれをもって設定されてもよい。
また、本実施形態においては、非特定期間は第２特定演出が実行可能な期間として例示した、しかし、非特定期間と第２特定演出が実行可能な期間とは完全に一致している必要はない。例えば、第２特定演出が制限されている期間は、非特定期間でなくてもよい。また、特定期間と第１特定演出が実行可能な期間とがずれていてもよいのと同様に、非特定期間と第２特定演出が実行可能な期間とがずれていてもよい。
［特定期間と非特定期間］
本実施形態において非特定期間は、特定期間ではない期間である。非特定期間は、特定期間ではない全ての期間を非特定期間とする場合を例示した。しかし、非特定期間は、特定期間ではない全ての期間であることには限定されない。
例えば、非特定期間は、特定期間でない期間であって、所定の条件を満たす期間であってもよい。非特定期間を定める所定の期間は、例えば、演出プロセスフラグが所定の値である場合を所定の期間とすることができる。上述のとおり、演出プロセスフラグは、ステップＳ７５における演出制御プロセスの処理を示す情報である。例えば、演出プロセスフラグの値が“０”のときは、ステップＳ１７０の可変表示開始待ち処理が行われる。演出プロセスフラグの値が“１”のときは、ステップＳ１７１の可変表示開始設定処理が行われる、演出プロセスフラグの値が“２”のときは、ステップＳ１７２の可変表示中演出処理が行われる。さらに、演出プロセスフラグの値が“３”のときは、ステップＳ１７３の特図当り待ち処理が行われる。例えば、非特定期間を定める所定の期間として演出プロセスフラグが０〜３のときとした場合、第２特定演出は、特定期間でない期間であって、かつ大当り開始処理（演出プロセスフラグ４）〜大当り終了後処理（演出プロセスフラグ７）ではない期間に実行可能となる。
また、本実施形態では第２特定演出を制限するプッシュボタン押下の規定回数は、特定演出制御パターンによって予め設定される回数として説明したが、規定回数は１０回等の固定回数である場合に限定されない。例えば、所定の時間内（例えば、１時間に）に第２特定演出が複数回数制限された場合、第２特定演出が制限がされる度に次に制限がされる押下回数を少なくするように規定回数を小さくしていってもよい。また、所定の時間以上第２特定演出が制限されていない場合、第２特定演出が制限される押下回数を増やすように規定回数を大きくしてもよい。また、大当り中は５０回、非大当り中は３０回、先読み演出中は４０回というように、遊技状態や演出態様によって規定回数を変えてもよい。
【０４７４】
また、上記実施形態による遊技機は、演出手段と、前記演出手段による演出態様を調整可能な演出調整手段とをさらに備える場合を例示した。
［演出手段、演出調整手段］
演出手段は、例えば、音出力手段、発光手段、下皿を形成する部材に設けられる振動を与える加振手段、ファン等による送風手段等である。
演出調整手段は、例えば、音出力手段から出力される音量を調整する手段、発光手段の輝度を調整する手段、加振手段から出力される振動の大きさを調整する手段、送風手段の風量を調整する手段等である。
演出調整手段は、画像表示装置５の表示画面に演出手段の設定状況を示すアイコン等を表示して演出手段の演出態様を調整する。演出調整手段は、演出手段の設定状況を演出調整音声で遊技者に報知してもよい。
【０４７５】
また、上記実施形態による遊技機は、前記第２特定演出の実行を制限するときに遊技者に対して前記第２特定演出の実行を制限することを報知する場合を例示したが、これは一例である。
例えば、第２特定演出の実行が制限される前の所定のタイミングで報知してもよい。本実施形態ではプッシュボタンを１０回押下したときに第２特定演出が制限される場合を例示したが、例えば、９回目の押下によってもうすぐ第２特定演出が制限されることを報知するようにしてもよい。また、プッシュボタンの１０回目の押下で第２特定演出が制限された場合、１１回目以降にプッシュボタンが押下されたときに報知をするようにしてもよい。
また、プッシュボタンの押下の回数によって報知する演出態様を変えてもよい。本実施形態では、画像表示装置の表示画面に１種類のセリフ表示を表示する場合を例示したが、プッシュボタンの押下の回数に応じてセリフの内容を変えてもよい。
【０４７６】
また、上記実施形態による遊技機は、前記検出手段として遊技者が操作可能な操作部を有し、前記特定期間において、前記操作部の連続操作を前記操作部に対する複数回の操作として前記第１特定演出を実行し、前記非特定期間において、前記操作部の連続操作を前記操作部に対する複数回の操作とはせずに前記第２特定演出を実行する場合を例示したが、これは一例である。
例えば、特定期間において操作部の連続操作を操作部に対する複数回の操作とする条件を、特定の第１特定演出に限定してもよい。また、操作部の連続操作を操作部に対する複数回の操作とするか否かを遊技者が予め設定できるようにしてもよい。
また、操作部の連続操作を操作部に対する複数回の操作とするか否かを操作対象の操作部毎に設定できるようにしてもよい。
【０４７７】
また、上記実施形態による遊技機は、前記演出手段を制御可能な演出制御手段をさらに備え、前記演出手段は、少なくとも発光手段を含み、前記演出制御手段は、少なくとも発光手段を制御可能な発光制御手段を含み、前記演出調整手段は、調整可能期間中に少なくとも発光手段の輝度調整を行うことが可能な輝度調整手段を含み、前記発光制御手段は、前記輝度調整手段によって調整される輝度で、調整可能期間中に複数種類の発光態様による演出を行う場合を例示したが、これは一例である。
例えば、第２特定演出が制限されているときであっても、輝度調整手段による発光手段の輝度調整をプッシュボタン等の操作手段によって実行できるようにしてもよい。
【０４７８】
また、上記実施形態による遊技機は、前記演出手段を制御可能な演出制御手段をさらに備え、前記演出手段は、少なくとも音出力手段を含み、前記演出制御手段は、少なくとも音出力手段を制御可能な音出力制御手段を含み、前記演出調整手段は、調整可能期間中に少なくとも音出力手段の音量調整を行うことが可能な音量調整手段を含み、前記音出力制御手段は、前記音調整手段によって調整される音量で、前記調整可能期間中に複数種類の音出力態様による演出を行う場合を例示したが、これは一例である。
例えば、第２特定演出が制限されているときであっても、音量調整手段による音量手段の音量調整をプッシュボタン等の操作手段によって実行できるようにしてもよい。
【０４７９】
以上、本発明の実施形態について説明したが、パチンコ遊技機１の装置構成、データ構成、フローチャートで示した処理、画像表示装置５の表示領域における演出画像の表示動作を含めた各種の演出動作などは、本発明の趣旨を逸脱しない範囲で、任意に変更及び修正が可能である。
【０４８０】
例えば、プリペイドカードや会員カード等の遊技用記録媒体の記録情報より特定される大きさの遊技価値である度数を使用して、遊技に使用するための遊技得点を付与するとともに、付与された遊技得点又は遊技による入賞により付与された遊技得点を使用して遊技機内に封入された遊技球を遊技領域に打ち込んで遊技者が遊技を行う遊技機にも本発明を適用することができる。
【０４８１】
また、上記の各実施の形態では、遊技機としてパチンコ機を例にしたが、本発明を、メダルが投入されて所定の賭け数が設定され、遊技者による操作レバーの操作に応じて複数種類の図柄を回転させ、遊技者によるストップボタンの操作に応じて図柄を停止させたときに停止図柄の組合せが特定の図柄の組み合わせになると、所定数のメダルが遊技者に払い出されるスロット機に適用することも可能である。
【０４８２】
つまり、本実施形態における遊技機は、遊技を行う遊技機（例えば、上述のようなゲームを行うスロットマシン等）であって、遊技者の動作を検出可能な検出手段（例えば、上述のようなゲームを行うスロットマシンのＢＥＴボタン等）を備え、特定期間（例えば、例えば、上述のようなゲームを行うスロットマシンのＢＥＴボタンの操作が促される期間）における前記検出手段の検出結果（例えば、上述のようなゲームを行うスロットマシンのＢＥＴボタンの押下）に基づいて第１特定演出（例えば、上述のようなゲームを行うスロットマシンの画像表示装置の表示画面にカットイン演出等を表示する演出）を実行可能（例えば、上述のようなゲームを行うスロットマシンの演出制御用ＣＰＵによる実行が可能）であり、非特定期間（例えば、上述のようなゲームを行うスロットマシンのＢＥＴボタンの操作が促されない期間）における前記検出手段の検出結果に基づいて第２特定演出（例えば、上述のようなゲームを行うスロットマシンのスピーカからの効果音の出力、画像表示装置の表示画面へのセリフ表示の表示）を実行可能（例えば、上述のようなゲームを行うスロットマシンの演出制御用ＣＰＵによる実行が可能）であり、前記非特定期間に前記検出手段の検出態様（例えば、上述のようなゲームを行うスロットマシンのＢＥＴボタンの規定回数以上の押下）に応じて前記第２特定演出の実行を制限可能（例えば、上述のようなゲームを行うスロットマシンの演出制御用ＣＰＵによる第２特定演出の制限が可能）であり、前記第２特定演出の実行が制限されているとき（例えば、上述のようなゲームを行うスロットマシンの第２特定演出が制限されている状態）であっても、前記特定期間において前記検出手段の検出結果に基づいて前記第１特定演出を実行可能である遊技機であってもよい。また、本実施形態においてパチンコ遊技機１について説明した変形例などは、上述のようなゲームを行うスロットマシン等にも適用することができる。
【０４８３】
本発明を実現するためのプログラム及びデータは、パチンコ遊技機１に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０４８４】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０４８５】
また、上記の各実施の形態においては、変動時間およびリーチ演出の種類や擬似連の有無等の変動態様を示す変動パターンを演出制御用マイクロコンピュータに通知するために、変動を開始するときに１つの変動パターンコマンドを送信する例を示したが、２つ乃至それ以上のコマンドにより変動パターンを演出制御用マイクロコンピュータに通知するようにしてもよい。具体的には、２つのコマンドにより通知する場合、遊技制御用マイクロコンピュータは、１つ目のコマンドでは擬似連の有無、滑り演出の有無など、リーチとなる以前（リーチとならない場合には所謂第２停止の前）の変動時間や変動態様を示すコマンドを送信し、２つ目のコマンドではリーチの種類や再抽選演出の有無など、リーチとなった以降（リーチとならない場合には所謂第２停止の後）の変動時間や変動態様を示すコマンドを送信するようにしてもよい。この場合、演出制御用マイクロコンピュータは２つのコマンドの組合せから導かれる変動時間にもとづいて変動表示における演出制御を行うようにすればよい。なお、遊技制御用マイクロコンピュータの方では２つのコマンドのそれぞれにより変動時間を通知し、それぞれのタイミングで実行される具体的な変動態様については演出制御用マイクロコンピュータの方で選択を行うようにしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信するようにしてもよい。なお、それぞれのコマンドで示される変動態様はこの例に限定されるわけではなく、送信する順序についても適宜変更可能である。このように２つ乃至それ以上のコマンドにより変動パターンを通知するようにすることで、変動パターンコマンドとして記憶しておかなければならないデータ量を削減することができる。
【０４８６】
また、上記の各実施の形態において、「割合」とは、例えば、Ａ：Ｂ＝７０％：３０％やＡ：Ｂ＝３０％：７０％のような関係であり、割合が異なる場合には、Ａ：Ｂ＝１００％：０％のような関係で割合が異なる場合（すなわち、一方が１００％の割り振りで他方が０％の割り振りとなるような場合）も含む。
【０４８７】
その他にも、パチンコ遊技機１の装置構成、データ構成、フローチャートで示した処理、画像表示装置５の表示領域における演出画像の表示動作を含めた各種の演出動作等は、本発明の趣旨を逸脱しない範囲で、任意に変更及び修正が可能である。
【０４８８】
加えて、本発明の遊技機は、遊技者に景品として遊技球が払い出され、遊技者は払い出された遊技球を遊技領域に発射して遊技が行われる遊技機であったが、プリペイドカードや会員カード等の遊技用記録媒体の記録情報より特定される大きさの遊技価値である度数を使用して、遊技に使用するための遊技得点を付与すると共に、付与された遊技得点、又は遊技による入賞により付与された遊技得点を使用して遊技機内に封入された遊技球を遊技領域に打ち込んで遊技者が遊技を行う遊技機にも本発明を適用することができる。
【０４８９】
また、上記の各実施の形態では、遊技機として遊技媒体を使用するものを例にしたが本発明による遊技機は、所定数の景品としての遊技媒体を払い出す遊技機に限定されず、遊技球等の遊技媒体を封入し景品の付与条件が成立した場合に得点を付与する封入式の遊技機に適用することもできる。
【０４９０】
また、上記の各実施の形態では、確変大当りに決定されたことにもとづいて、大当り遊技終了後に確変状態に制御される遊技機を示したが、そのような遊技機に限定されない。例えば、内部に所定の確変領域が設けられた特別可変入賞球装置（１つだけ設けられた特別可変入賞球装置内に確変領域が設けられていてもよいし、複数設けられた特別可変入賞球装置のうちの一部に確変領域が設けられていてもよい）を備え、大当り遊技中に特別可変入賞球装置内における確変領域を遊技球が通過したことにもとづいて確変が確定し、大当り遊技終了後に確変状態に制御される遊技機に上記の各実施の形態で示した構成を適用することもできる。
【０４９１】
即ち、遊技領域に設けられた始動領域を遊技媒体が通過したことに基づいて、各々が識別可能な複数種類の識別情報の可変表示を行い表示結果を導出表示する可変表示手段を備え、当該可変表示手段に予め定められた特定表示結果が導出表示されたときに、遊技者にとって有利な特定遊技状態に制御する遊技機であるが、遊技得点が０でないときに遊技得点を使用して遊技機内に封入された遊技球を遊技領域に打ち込んで遊技が行われ、遊技球の打ち込みに応じて遊技得点を減算し、遊技領域に設けられた入賞領域に遊技球が入賞することに応じて遊技得点を加算する遊技機にも本発明を適用できる。そのような遊技機は、遊技得点の加算に使用可能な遊技用価値の大きさを特定可能な情報が記録された遊技用記録媒体を挿入するための遊技用記録媒体挿入口と、遊技用記録媒体挿入口に挿入された遊技用記録媒体に記録されている記録情報の読み出しを行う遊技用記録媒体処理手段を備えていてもよい。
【０４９２】
また、上記の実施の形態では、各々が識別可能な複数種類の特別図柄の可変表示を行い、可変表示結果となる確定特別図柄を導出表示する遊技機を示したが、そのような遊技機に限定されない。例えば、変動する特別図柄と、可変表示結果として導出表示される確定特別図柄とが異なっていてもよい。換言すれば、変動する複数種類の特別図柄の中に、可変表示結果として導出表示される確定特別図柄が含まれていなくてもよい。
【０４９３】
また、上記の実施の形態では、各々が識別可能な複数種類の飾り図柄の可変表示を行い、可変表示結果となる確定飾り図柄を導出表示する遊技機を示したが、そのような遊技機に限定されない。例えば、変動する飾り図柄と、可変表示結果として導出表示される確定飾り図柄とが異なっていてもよい。換言すれば、変動する複数種類の飾り図柄の中に、可変表示結果として導出表示される確定飾り図柄が含まれていなくてもよい。
【符号の説明】
【０４９４】
１  …  パチンコ遊技機
２  …  遊技盤
３  …  遊技機用枠
４Ａ、４Ｂ  …  特別図柄表示装置
５  …  画像表示装置
５ＨＬ  …  第１始動入賞記憶表示エリア
５ＨＲ  …  第２始動入賞記憶表示エリア
５Ｈ  …  始動入賞記憶表示エリア
６Ａ  …  普通入賞球装置
６Ｂ  …  普通可変入賞球装置
７  …  特別可変入賞球装置
８  …  スピーカ
９  …  ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ  …  第１始動口スイッチ
２２Ｂ  …  第２始動口スイッチ
２３  …  カウントスイッチ
３１Ａ  …  スティックコントローラ
３１Ｂ  …  プッシュボタン
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
【図１】
0006550635.tif 000002
【図２】
0006550635.tif 000003
【図３】
0006550635.tif 000004
【図４】
0006550635.tif 000005
【図５】
0006550635.tif 000006
【図６】
0006550635.tif 000007
【図７】
0006550635.tif 000008
【図８】
0006550635.tif 000009
【図９】
0006550635.tif 000010
【図１０】
0006550635.tif 000011
【図１１】
0006550635.tif 000012
【図１２】
0006550635.tif 000013
【図１３】
0006550635.tif 000014
【図１４】
0006550635.tif 000015
【図１５】
0006550635.tif 000016
【図１６】
0006550635.tif 000017
【図１７】
0006550635.tif 000018
【図１８】
0006550635.tif 000019
【図１９】
0006550635.tif 000020
【図２０】
0006550635.tif 000021
【図２１】
0006550635.tif 000022
【図２２】
0006550635.tif 000023
【図２３】
0006550635.tif 000024
【図２４】
0006550635.tif 000025
【図２５】
0006550635.tif 000026
【図２６】
0006550635.tif 000027
【図２７】
0006550635.tif 000028
【図２８】
0006550635.tif 000029
【図２９】
0006550635.tif 000030
【図３０】
0006550635.tif 000031
【図３１】
0006550635.tif 000032
【図３２】
0006550635.tif 000033
【図３３】
0006550635.tif 000034
【図３４】
0006550635.tif 000035
【図３５】
0006550635.tif 000036
【図３６】
0006550635.tif 000037
【図３７】
0006550635.tif 000038
【図３８】
0006550635.tif 000039
【図３９】
0006550635.tif 000040
【図４０】
0006550635.tif 000041
【図４１】
0006550635.tif 000042
【図４２】
0006550635.tif 000043
【図４３】
0006550635.tif 000044